(57)【要約】【課題】複数の特定演出を並行して実行可能に構成した場合に適切な演出制御を実現でき、遊技に対する興趣を向上させる。【解決手段】有利状態（例えば、大当り遊技状態）に制御されることを示唆する特定演出（例えば、スーパーリーチＡやスーパーリーチＢなどのリーチ演出）を実行可能であるとともに、複数の特定演出を並行して実行する特別演出（例えば、マルチモニタリーチ演出）を実行可能である。また、特定演出の実行中に、該特定演出が実行される表示手段（例えば、演出表示装置、擬似モニタ）とは異なる演出手段（例えば、可動部材、操作ボタン）を用いた特殊演出（本例では、役物演出、ボタン演出）を実行可能である。そして、特別演出において、複数の特定演出のうちのいずれか一の特定演出を対象として特殊演出を実行可能であり、該一の特定演出以外の特定演出に対しては特殊演出を実行しない。【選択図】図３３
2018196541.tif 000002
【特許請求の範囲】
【請求項１】
遊技を行うことが可能であり、遊技者にとって有利な有利状態に制御可能な遊技機であって、
前記有利状態に制御されることを示唆する特定演出を実行可能であるとともに、複数の特定演出を並行して実行する特別演出を実行可能な特定演出実行手段と、
特定演出の実行中に、該特定演出が実行される表示手段とは異なる演出手段を用いた特殊演出を実行可能な特殊演出実行手段とを備え、
前記特殊演出実行手段は、前記特別演出において、複数の特定演出のうちのいずれか一の特定演出を対象として前記特殊演出を実行可能であり、該一の特定演出以外の特定演出に対しては前記特殊演出を実行しない
ことを特徴とする遊技機。
【請求項２】
遊技を行うことが可能であり、遊技者にとって有利な有利状態に制御可能な遊技機であって、
前記有利状態に制御されることを示唆する特定演出を実行可能であるとともに、複数の特定演出を並行して実行する特別演出を実行可能な特定演出実行手段と、
特定演出の実行中に、該特定演出が実行される表示手段とは異なる演出手段を用いた特殊演出を実行可能な特殊演出実行手段とを備え、
前記特殊演出実行手段は、前記特別演出において、複数の特定演出のうちのいずれか一の特定演出を対象として前記特殊演出を実行可能であり、該一の特定演出以外の特定演出に対しては前記特殊演出を制限する
ことを特徴とする遊技機。
【発明の詳細な説明】
【技術分野】
【０００１】
本発明は、遊技を行うことが可能なパチンコ機やスロット機等の遊技機に関する。
【背景技術】
【０００２】
遊技機として、遊技媒体である遊技球を発射装置によって遊技領域に発射し、遊技領域に設けられている入賞口などの入賞領域に遊技球が入賞すると、所定個の賞球が遊技者に払い出されるものがある。さらに、識別情報を可変表示（「変動」ともいう。）可能な可変表示装置が設けられ、可変表示装置において識別情報の可変表示の表示結果が特定表示結果となった場合に、遊技状態（遊技機の状態。よって、具体的には、遊技機が制御されている状態。）を変更して、所定の遊技価値を遊技者に与えるように構成されたものがある（いわゆるパチンコ機）。
【０００３】
また、所定の遊技媒体を１ゲームに対して所定数の賭数を設定した後、遊技者がスタートレバーを操作することにより可変表示装置による識別情報の可変表示を開始し、遊技者が各可変表示装置に対応して設けられた停止ボタンを操作することにより、その操作タイミングから予め定められた最大遅延時間の範囲内で識別情報の可変表示を停止し、全ての可変表示装置の可変表示を停止したときに導出された表示結果に従って入賞が発生し、入賞に応じて予め定められた所定の遊技媒体が払い出され、特定入賞が発生した場合に、遊技状態を所定の遊技価値を遊技者に与える状態にするように構成されたものがある（いわゆるスロット機）。
【０００４】
なお、遊技価値とは、遊技機の遊技領域に設けられた可変入賞球装置の状態が、打球が入賞しやすい遊技者にとって有利な状態になることや、遊技者にとって有利な状態になるための権利を発生させたりすることや、賞球払出の条件が成立しやすくなる状態になることである。
【０００５】
パチンコ遊技機では、始動入賞口に遊技球が入賞したことにもとづいて可変表示装置において開始される特別図柄（識別情報）の可変表示の表示結果として、あらかじめ定められた特定の表示態様が導出表示された場合に、「大当り」が発生する。なお、導出表示とは、図柄（最終停止図柄）を最終的に停止表示させることである。大当りが発生すると、例えば、大入賞口が所定回数開放して打球が入賞しやすい大当り遊技状態に移行する。そして、各開放期間において、所定個（例えば、１０個）の大入賞口への入賞があると大入賞口は閉成する。そして、大入賞口の開放回数は、所定回数（例えば、１５ラウンド）に固定されている。なお、各開放について開放時間（例えば、２９秒）が決められ、入賞数が所定個に達しなくても開放時間が経過すると大入賞口は閉成する。以下、各々の大入賞口の開放期間をラウンドということがある。また、ラウンドにおける遊技をラウンド遊技ということがある。
【０００６】
また、可変表示装置において、最終停止図柄（例えば、左中右図柄のうち中図柄）となる図柄以外の図柄が、所定時間継続して、特定の表示結果と一致している状態で停止、揺動、拡大縮小もしくは変形している状態、または、複数の図柄が同一図柄で同期して変動したり、表示図柄の位置が入れ替わっていたりして、最終結果が表示される前で大当り発生の可能性が継続している状態（以下、これらの状態をリーチ状態という。）において行われる演出をリーチ演出という。また、リーチ状態やその様子をリーチ態様という。さらに、リーチ演出を含む可変表示をリーチ可変表示という。そして、可変表示装置に変動表示される図柄の表示結果が特定の表示結果でない場合には「はずれ」となり、変動表示状態は終了する。遊技者は、大当りをいかにして発生させるかを楽しみつつ遊技を行う。
【０００７】
また、複数の表示領域でリーチ演出表示を行うことを可能とし、表示領域の大きさをリーチ表示態様を構成する図柄の種類に応じたものとする遊技機が提案されている（例えば、特許文献１参照）。
【先行技術文献】
【特許文献】
【０００８】
【特許文献１】特開２００４−４９４０３号公報（図７、図８）
【発明の概要】
【発明が解決しようとする課題】
【０００９】
しかしながら、特許文献１に記載された遊技機では、複数の特定演出（リーチ演出）を並行して実行可能に構成した場合、必ずしも特定演出に付随して実行される演出を適切に制御できるとはかぎらない。
【００１０】
そこで、本発明は、複数の特定演出を並行して実行可能に構成した場合に適切な演出制御を実現でき、遊技に対する興趣を向上させることができる遊技機を提供することを目的とする。
【課題を解決するための手段】
【００１１】
（手段１）本発明による遊技機は、遊技を行うことが可能であり、遊技者にとって有利な有利状態（例えば、大当り遊技状態）に制御可能な遊技機であって、有利状態に制御されることを示唆する特定演出（例えば、スーパーリーチＡやスーパーリーチＢなどのリーチ演出）を実行可能であるとともに、複数の特定演出を並行して実行する特別演出（例えば、マルチモニタリーチ演出）を実行可能な特定演出実行手段（例えば、演出制御用マイクロコンピュータ１００におけるステップＳ８００８，Ｓ８０１１，Ｓ８１０６を実行する部分）と、特定演出の実行中に、該特定演出が実行される表示手段（例えば、演出表示装置９、擬似モニタ２００〜２０２）とは異なる演出手段（例えば、可動部材７６、操作ボタン１２０）を用いた特殊演出（例えば、役物演出、ボタン演出）を実行可能な特殊演出実行手段（例えば、演出制御用マイクロコンピュータ１００におけるステップＳ８１１８，Ｓ８１２０〜Ｓ８１３２を実行する部分）とを備え、特殊演出実行手段は、特別演出において、複数の特定演出のうちのいずれか一の特定演出を対象として特殊演出を実行可能であり（例えば、演出制御用マイクロコンピュータ１００は、ステップＳ８１１７，Ｓ８１２２を実行することにより、最後に分割表示された擬似モニタ画面において役物演出の実行タイミングとなったときに役物演出を実行したり、ボタン演出の操作有効期間の開始タイミングとなったときに、操作指示表示２１６の表示を開始してボタン演出を開始したりする）、該一の特定演出以外の特定演出に対しては特殊演出を実行しない（例えば、演出制御用マイクロコンピュータ１００は、ステップＳ８１１７，Ｓ８１２２を実行することにより、最後に分割表示された擬似モニタ画面よりも前に分割表示された擬似モニタ画面において役物演出の実行タイミングとなったときやボタン演出の操作有効期間の開始タイミングとなったときには、禁則処理により役物演出を実行せず、禁則処理により操作指示表示２１６を表示せずボタン演出を実行しない）ことを特徴とする。そのような構成によれば、複数の特定演出を並行して実行可能に構成した場合に適切な演出制御を実現でき、遊技に対する興趣を向上させることができる。
【００１２】
（手段２）本発明による遊技機の他の態様は、遊技を行うことが可能であり、遊技者にとって有利な有利状態（例えば、大当り遊技状態）に制御可能な遊技機であって、有利状態に制御されることを示唆する特定演出（例えば、スーパーリーチＡやスーパーリーチＢなどのリーチ演出）を実行可能であるとともに、複数の特定演出を並行して実行する特別演出（例えば、マルチモニタリーチ演出）を実行可能な特定演出実行手段（例えば、演出制御用マイクロコンピュータ１００におけるステップＳ８００８，Ｓ８０１１，Ｓ８１０６を実行する部分）と、特定演出の実行中に、該特定演出が実行される表示手段（例えば、演出表示装置９、擬似モニタ２００〜２０２）とは異なる演出手段（例えば、可動部材７６、操作ボタン１２０）を用いた特殊演出（例えば、役物演出、ボタン演出）を実行可能な特殊演出実行手段（例えば、演出制御用マイクロコンピュータ１００におけるステップＳ８１１８，Ｓ８１２０〜Ｓ８１３２を実行する部分）とを備え、特殊演出実行手段は、特別演出において、複数の特定演出のうちのいずれか一の特定演出を対象として特殊演出を実行可能であり（例えば、演出制御用マイクロコンピュータ１００は、ステップＳ８１１７，Ｓ８１２２を実行することにより、最後に分割表示された擬似モニタ画面において役物演出の実行タイミングとなったときに役物演出を実行したり、ボタン演出の操作有効期間の開始タイミングとなったときに、操作指示表示２１６の表示を開始してボタン演出を開始したりする）、該一の特定演出以外の特定演出に対しては特殊演出を制限する（例えば、演出制御用マイクロコンピュータ１００は、ステップＳ８１１７，Ｓ８１２２を実行することにより、最後に分割表示された擬似モニタ画面よりも前に分割表示された擬似モニタ画面において役物演出の実行タイミングとなったときやボタン演出の操作有効期間の開始タイミングとなったときには、禁則処理により役物演出を実行せず、禁則処理により操作指示表示２１６を表示せずボタン演出を実行しない。または、可動部材７６の動作範囲を小さくしたり、特殊演出の実行割合を低下させたりすることにより特殊演出を制限してもよい。）ことを特徴とする。そのような構成によれば、複数の特定演出を並行して実行可能に構成した場合に適切な演出制御を実現でき、遊技に対する興趣を向上させることができる。
【００１３】
（手段３）手段１または手段２において、特殊演出実行手段は、特殊演出として、可動体（例えば、可動部材７６）を動作させる可動体演出（例えば、役物演出）を実行可能であり（例えば、演出制御用マイクロコンピュータ１００は、ステップＳ８１１８を実行する）、特定演出の実行中に、可動体演出の実行を示唆する示唆演出（例えば、エフェクト表示）を実行可能な示唆演出実行手段（例えば、演出制御用マイクロコンピュータ１００におけるステップＳ８１１５を実行する部分）を備え、示唆演出実行手段は、特別演出において、複数の特定演出のうちのいずれか一の特定演出を対象として示唆演出を実行可能であるとともに、該一の特定演出以外の特定演出に対しても示唆演出を実行可能である（例えば、演出制御用マイクロコンピュータ１００は、ステップＳ８１１４，Ｓ８１１５を実行することにより、最後に分割表示された擬似モニタ画面においてエフェクト表示の実行タイミングとなったときにエフェクト画像を表示するとともに、最後に分割表示された擬似モニタ画面よりも前に分割表示された擬似モニタ画面においてエフェクト表示の実行タイミングとなったときにもエフェクト画像を表示する）ように構成されていてもよい。そのような構成によれば、特殊演出の対象であるか否かにかかわらず示唆演出を実行可能であり、特殊演出の対象であるか否かにかかわらず共通の演出データを使用することができる。
【００１４】
（手段４）手段１から手段３のうちのいずれかにおいて、特定演出実行手段は、特別演出において、複数の特定演出を互いに異なる表示領域において並行して実行可能である（例えば、図３７〜図３８に示すように、複数の擬似モニタ画面２００〜２０２においてそれぞれスーパーリーチを実行可能である）ように構成されていてもよい。そのような構成によれば、特別演出に対する興趣を向上させることができる。
【００１５】
（手段５）手段４において、特定演出実行手段は、表示領域を順次分割表示し、少なくとも、分割表示した第１表示領域において特定演出を実行可能であるとともに、第１表示領域の後に分割表示した第２表示領域において特定演出を実行可能であり（例えば、図３７（３）〜図３８（５）に示すように、例えば、擬似モニタ画面２００〜２０２を順次分割表示し、１つ目に分割表示した擬似モニタ画面２００においてスーパーリーチＡを実行し、２つ目の分割表示した擬似モニタ画面２０１においてスーパーリーチＡを実行し、３つ目の分割表示した擬似モニタ画面２０２においてスーパーリーチＢを実行する）、第２表示領域において、第１表示領域に表示した表示結果よりも有利な表示結果を高い割合により表示する（例えば、演出制御用マイクロコンピュータ１００は、ステップＳ８１３３〜Ｓ８１３７，Ｓ８３０６を実行することにより、図４０（１３）に示すように、例えば、１つ目および２つ目に分割表示した擬似モニタ画面２００，２０１ではリーチはずれ図柄を仮停止表示したままの状態とし、３つ目に分割表示した擬似モニタ画面２０２において大当り図柄を確定表示する）ように構成されていてもよい。そのような構成によれば、特別演出において遊技者に注目させる表示領域を明確にすることができ、遊技に対する興趣を向上させることができる。
【００１６】
（手段６）手段１から手段５のうちのいずれかにおいて、特別演出における複数の特定演出のうちのいずれか一の特定演出に対応して所定演出（例えば、チャンスアップ演出）を実行するか否かを決定する所定演出決定手段（例えば、演出制御用マイクロコンピュータ１００におけるステップＳ８００６を実行して、最後に分割表示される擬似モニタ画面に対してチャンスアップ演出の有無および種類を決定する部分）と、特定演出決定手段の決定結果にもとづいて、一の特定演出に対応して所定演出を実行可能な所定演出実行手段（例えば、演出制御用マイクロコンピュータ１００におけるステップＳ８１１２を実行して、最後に分割表示される擬似モニタ画面に対してチャンスアップ演出を実行する部分）とを備え、所定演出実行手段は、特定演出決定手段の決定結果にもとづいて、一の特定演出以外の特定演出に対応しても所定演出を実行可能である（例えば、演出制御用マイクロコンピュータ１００は、ステップＳ８１１１，Ｓ８１１２を実行することにより、最後に分割表示される擬似モニタ画面よりも前に分割表示される擬似モニタ画面に対してもチャンスアップ演出を実行する）ように構成されていてもよい。そのような構成によれば、所定演出の決定処理の簡略化を図りつつ、一の特定演出に対する決定結果を他の特定演出に対しても反映させて、特別演出における見た目の期待感の統一を図ることができ、遊技に対する興趣を向上させることができる。
【００１７】
（手段７）手段１から手段６のうちのいずれかにおいて、特定演出の実行前に導入演出（例えば、図４２（Ｄ）や、図４３（Ｂ）、図４３（Ｄ）、図４３（Ｆ）に示す導入演出）を実行可能な導入演出実行手段（例えば、第２の実施の形態において、演出制御用マイクロコンピュータ１００におけるステップＳ８０２を実行して導入演出を実行する部分）と、導入演出が実行される度に、表示領域を増加させる増加演出（例えば、図４３（Ａ）や、図４３（Ｃ）、図４３（Ｅ）に示す増加演出）を実行可能な増加演出実行手段（例えば、第２の実施の形態において、演出制御用マイクロコンピュータ１００におけるステップＳ８０２を実行して増加演出を実行する部分）とを備え、増加演出により増加した複数の表示領域において特定演出を実行可能である（例えば、図４３（Ａ）や、図４３（Ｃ）、図４３（Ｅ）に示すように、増加した擬似モニタでロングリーチやスーパーリーチＡなどのリーチ演出が実行される）ように構成されていてもよい。そのような構成によれば、特定演出が実行されることに注目しているときに、増加演出が実行されることがあるので、興趣が向上する。
【図面の簡単な説明】
【００１８】
【図１】パチンコ遊技機を正面からみた正面図である。
【図２】遊技制御基板（主基板）の回路構成例を示すブロック図である。
【図３】演出制御基板、ランプドライバ基板および音声出力基板の回路構成例を示すブロック図である。
【図４】主基板におけるＣＰＵが実行するメイン処理を示すフローチャートである。
【図５】４ｍｓタイマ割込処理を示すフローチャートである。
【図６】あらかじめ用意された演出図柄の変動パターンを示す説明図である。
【図７】各乱数を示す説明図である。
【図８】大当り判定テーブル、小当り判定テーブルおよび大当り種別判定テーブルを示す説明図である。
【図９】演出制御コマンドの内容の一例を示す説明図である。
【図１０】演出制御コマンドの内容の一例を示す説明図である。
【図１１】特別図柄プロセス処理のプログラムの一例を示すフローチャートである。
【図１２】特別図柄プロセス処理のプログラムの一例を示すフローチャートである。
【図１３】始動口スイッチ通過処理を示すフローチャートである。
【図１４】保留記憶バッファの構成例を示す説明図である。
【図１５】特別図柄通常処理を示すフローチャートである。
【図１６】特別図柄通常処理を示すフローチャートである。
【図１７】変動パターン設定処理を示すフローチャートである。
【図１８】表示結果指定コマンド送信処理を示すフローチャートである。
【図１９】特別図柄変動中処理を示すフローチャートである。
【図２０】特別図柄停止処理を示すフローチャートである。
【図２１】大当り終了処理を示すフローチャートである。
【図２２】特別図柄表示制御処理のプログラムの一例を示すフローチャートである。
【図２３】演出制御用ＣＰＵが実行する演出制御メイン処理を示すフローチャートである。
【図２４】コマンド受信バッファの構成例を示す説明図である。
【図２５】コマンド解析処理を示すフローチャートである。
【図２６】演出制御プロセス処理を示すフローチャートである。
【図２７】変動パターンコマンド受信待ち処理を示すフローチャートである。
【図２８】演出図柄変動開始処理を示すフローチャートである。
【図２９】演出図柄の停止図柄の一例を示す説明図である。
【図３０】役物演出の有無を決定するための役物演出決定テーブル、およびボタン演出の有無を決定するためのボタン演出決定テーブルの具体例を示す説明図である。
【図３１】チャンスアップ演出の有無および種類を決定するためのチャンスアップ演出決定テーブルの具体例を示す説明図である。
【図３２】プロセスデータの構成例を示す説明図である。
【図３３】演出図柄変動中処理を示すフローチャートである。
【図３４】演出図柄変動中処理を示すフローチャートである。
【図３５】演出図柄変動中処理を示すフローチャートである。
【図３６】演出図柄変動停止処理を示すフローチャートである。
【図３７】マルチモニタリーチ演出の演出態様を説明するための説明図である。
【図３８】マルチモニタリーチ演出の演出態様を説明するための説明図である。
【図３９】マルチモニタリーチ演出の演出態様を説明するための説明図である。
【図４０】マルチモニタリーチ演出の演出態様を説明するための説明図である。
【図４１】第２の実施の形態におけるマルチモニタリーチが実行される可変表示の内容を示すタイミングチャートである。
【図４２】第２の実施の形態における導入演出の演出動作を示す図である。
【図４３】第２の実施の形態におけるマルチモニタリーチの演出動作を示す図である。
【図４４】第２の実施の形態における変形例のマルチモニタリーチの演出動作を示す図である。
【発明を実施するための形態】
【００１９】
実施の形態１．
以下、本発明の第１の実施の形態を、図面を参照して説明する。まず、遊技機の一例であるパチンコ遊技機１の全体の構成について説明する。図１はパチンコ遊技機１を正面からみた正面図である。
【００２０】
パチンコ遊技機１は、縦長の方形状に形成された外枠（図示せず）と、外枠の内側に開閉可能に取り付けられた遊技枠とで構成される。また、パチンコ遊技機１は、遊技枠に開閉可能に設けられている額縁状に形成されたガラス扉枠２を有する。遊技枠は、外枠に対して開閉自在に設置される前面枠（図示せず）と、機構部品等が取り付けられる機構板（図示せず）と、それらに取り付けられる種々の部品（後述する遊技盤６を除く）とを含む構造体である。
【００２１】
ガラス扉枠２の下部表面には打球供給皿（上皿）３がある。打球供給皿３の下部には、打球供給皿３に収容しきれない遊技球を貯留する余剰球受皿４や、打球を発射する打球操作ハンドル（操作ノブ）５が設けられている。また、ガラス扉枠２の背面には、遊技盤６が着脱可能に取り付けられている。なお、遊技盤６は、それを構成する板状体と、その板状体に取り付けられた種々の部品とを含む構造体である。また、遊技盤６の前面には、打ち込まれた遊技球が流下可能な遊技領域７が形成されている。
【００２２】
遊技領域７の中央付近には、液晶表示装置（ＬＣＤ）で構成された演出表示装置９が設けられている。演出表示装置９の表示画面には、第１特別図柄または第２特別図柄の可変表示に同期した演出図柄の可変表示を行う演出図柄表示領域がある。よって、演出表示装置９は、演出図柄の可変表示を行う可変表示装置に相当する。演出図柄表示領域には、例えば「左」、「中」、「右」の３つの装飾用（演出用）の演出図柄を可変表示する図柄表示エリアがある。図柄表示エリアには「左」、「中」、「右」の各図柄表示エリアがあるが、図柄表示エリアの位置は、演出表示装置９の表示画面において固定的でなくてもよいし、図柄表示エリアの３つ領域が離れてもよい。演出表示装置９は、演出制御基板に搭載されている演出制御用マイクロコンピュータによって制御される。演出制御用マイクロコンピュータが、第１特別図柄表示器８ａで第１特別図柄の可変表示が実行されているときに、その可変表示に伴って演出表示装置９で演出表示を実行させ、第２特別図柄表示器８ｂで第２特別図柄の可変表示が実行されているときに、その可変表示に伴って演出表示装置９で演出表示を実行させるので、遊技の進行状況を把握しやすくすることができる。
【００２３】
また、演出表示装置９において、最終停止図柄（例えば左右中図柄のうち中図柄）となる図柄以外の図柄が、所定時間継続して、大当り図柄（例えば左中右の図柄が同じ図柄で揃った図柄の組み合わせ）と一致している状態で停止、揺動、拡大縮小もしくは変形している状態、または、複数の図柄が同一図柄で同期して変動したり、表示図柄の位置が入れ替わっていたりして、最終結果が表示される前で大当り発生の可能性が継続している状態（以下、これらの状態をリーチ状態という。）において行われる演出をリーチ演出という。従って、リーチ演出は、大当りとなることを示唆する演出であるといえる。また、リーチ状態やその様子をリーチ態様という。さらに、リーチ演出を含む可変表示をリーチ可変表示という。そして、演出表示装置９に変動表示される図柄の表示結果が大当り図柄でない場合には「はずれ」となり、変動表示状態は終了する。遊技者は、大当りをいかにして発生させるかを楽しみつつ遊技を行う。
【００２４】
演出表示装置９の表示画面の右上方部には、演出図柄と後述する特別図柄および普通図柄とに次ぐ第４図柄を表示する第４図柄表示領域９ｃ，９ｄが設けられている。この実施の形態では、後述する第１特別図柄の変動表示に同期して第１特別図柄用の第４図柄の変動表示が行われる第１特別図柄用の第４図柄表示領域９ｃと、第２特別図柄の変動表示に同期して第２特別図柄用の第４図柄の変動表示が行われる第２特別図柄用の第４図柄表示領域９ｄとが設けられている。
【００２５】
この実施の形態では、特別図柄の変動表示に同期して演出図柄の変動表示が実行されるのであるが（ただし、正確には、演出図柄の変動表示は、演出制御用マイクロコンピュータ１００側で変動パターンコマンドにもとづいて認識した変動時間を計測することによって行われる。）、演出表示装置９を用いた演出を行う場合、例えば、演出図柄の変動表示を含む演出内容が画面上から一瞬消えるような演出が行われたり、可動物が画面上の全部または一部を遮蔽するような演出が行われるなど、演出態様が多様化してきている。そのため、演出表示装置９上の表示画面を見ていても、現在変動表示中の状態であるのか否か認識しにくい場合も生じている。そこで、この実施の形態では、演出表示装置９の表示画面の一部でさらに第４図柄の変動表示を行うことによって、第４図柄の状態を確認することにより現在変動表示中の状態であるのか否かを確実に認識可能としている。なお、第４図柄は、常に一定の動作で変動表示され、画面上から消えたり遮蔽物で遮蔽することはないため、常に視認することができる。
【００２６】
なお、第１特別図柄用の第４図柄と第２特別図柄用の第４図柄とを、第４図柄と総称することがあり、第１特別図柄用の第４図柄表示領域９ｃと第２特別図柄用の第４図柄表示領域９ｄを、第４図柄表示領域と総称することがある。
【００２７】
第４図柄の変動（可変表示）は、第４図柄表示領域９ｃ，９ｄを所定の表示色（例えば、青色）で一定の時間間隔で点灯と消灯とを繰り返す状態を継続することによって実現される。第１特別図柄表示器８ａにおける第１特別図柄の可変表示と、第１特別図柄用の第４図柄表示領域９ｃにおける第１特別図柄用の第４図柄の可変表示とは同期している。第２特別図柄表示器８ｂにおける第２特別図柄の可変表示と、第２特別図柄用の第４図柄表示領域９ｄにおける第２特別図柄用の第４図柄の可変表示とは同期している。なお、「可変表示が同期する」とは、可変表示の開始時点および終了時点が同じであって、可変表示の期間が同じであることをいう。また、第１特別図柄表示器８ａにおいて大当り図柄が停止表示されるときには、第１特別図柄用の第４図柄表示領域９ｃにおいて大当りを想起させる表示色（はずれとは異なる表示色。例えば、はずれのときには青色で表示されるのに対して、大当りのときには赤色で表示される。なお、大当りの種類（通常大当りや確変大当りのいずれであるかに応じて表示色を異ならせてもよい。）で点灯されたままになる。第２特別図柄表示器８ｂにおいて大当り図柄が停止表示されるときには、第２特別図柄用の第４図柄表示領域９ｄにおいて大当りを想起させる表示色（はずれとは異なる表示色。例えば、はずれのときには青色で表示されるのに対して、大当りのときには赤色で表示される。なお、大当りの種類（通常大当りや確変大当りのいずれであるかに応じて表示色を異ならせてもよい。）で点灯されたままになる。なお、第４図柄表示領域９ｃ，９ｄの消灯時の表示色は、消灯したときに背景画像と同化して見えなくなることを防止するために、背景画像とは異なる表示色（例えば、黒色）であることが望ましい。
【００２８】
なお、この実施の形態では、第４図柄表示領域を演出表示装置９の表示画面の一部に設ける場合を示しているが、演出表示装置９とは別に、ランプやＬＥＤなどの発光体を用いて第４図柄表示領域を実現するようにしてもよい。この場合、例えば、第４図柄の変動（可変表示）を、２つのＬＥＤが交互に点灯する状態を継続することによって実現されるようにしてもよく、２つのＬＥＤのうちのいずれのＬＥＤが停止表示されたかによって大当り図柄が停止表示されたか否かを表すようにしてもよい。
【００２９】
また、この実施の形態では、第１特別図柄と第２特別図柄とにそれぞれ対応させて別々の第４図柄表示領域９ｃ，９ｄを備える場合を示しているが、第１特別図柄と第２特別図柄とに対して共通の第４図柄表示領域を演出表示装置９の表示画面の一部に設けるようにしてもよい。また、第１特別図柄と第２特別図柄とに対して共通の第４図柄表示領域をランプやＬＥＤなどの発光体を用いて実現するようにしてもよい。この場合、第１特別図柄の変動表示に同期して第４図柄の変動表示を実行するときと、第２特別図柄の変動表示に同期して第４図柄の変動表示を実行するときとで、例えば、一定の時間間隔で異なる表示色の表示を点灯および消灯を繰り返すような表示を行うことによって、第４図柄の変動表示を区別して実行するようにしてもよい。また、第１特別図柄の変動表示に同期して第４図柄の変動表示を実行するときと、第２特別図柄の変動表示に同期して第４図柄の変動表示を実行するときとで、例えば、異なる時間間隔で点灯および消灯を繰り返すような表示を行うことによって、第４図柄の変動表示を区別して実行するようにしてもよい。また、例えば、第１特別図柄の変動表示に対応して停止図柄を導出表示するときと、第２特別図柄の変動表示に対応して停止図柄を導出表示するときとで、同じ大当り図柄であっても異なる態様の停止図柄を停止表示するようにしてもよい。
【００３０】
遊技盤６における下部の左側には、識別情報としての第１特別図柄を可変表示する第１特別図柄表示器（第１可変表示部）８ａが設けられている。この実施の形態では、第１特別図柄表示器８ａは、０〜９の数字を可変表示可能な簡易で小型の表示器（例えば７セグメントＬＥＤ）で実現されている。すなわち、第１特別図柄表示器８ａは、０〜９の数字（または、記号）を可変表示するように構成されている。遊技盤６における下部の右側には、識別情報としての第２特別図柄を可変表示する第２特別図柄表示器（第２可変表示部）８ｂが設けられている。第２特別図柄表示器８ｂは、０〜９の数字を可変表示可能な簡易で小型の表示器（例えば７セグメントＬＥＤ）で実現されている。すなわち、第２特別図柄表示器８ｂは、０〜９の数字（または、記号）を可変表示するように構成されている。
【００３１】
小型の表示器は、例えば方形状に形成されている。また、この実施の形態では、第１特別図柄の種類と第２特別図柄の種類とは同じ（例えば、ともに０〜９の数字）であるが、種類が異なっていてもよい。また、第１特別図柄表示器８ａおよび第２特別図柄表示器８ｂは、それぞれ、例えば、００〜９９の数字（または、２桁の記号）を可変表示するように構成されていてもよい。
【００３２】
以下、第１特別図柄と第２特別図柄とを特別図柄と総称することがあり、第１特別図柄表示器８ａと第２特別図柄表示器８ｂとを特別図柄表示器（可変表示部）と総称することがある。
【００３３】
なお、この実施の形態では、２つの特別図柄表示器８ａ，８ｂを備える場合を示しているが、遊技機は、特別図柄表示器を１つのみ備えるものであってもよい。
【００３４】
第１特別図柄または第２特別図柄の可変表示は、可変表示の実行条件である第１始動条件または第２始動条件が成立（例えば、遊技球が第１始動入賞口１３または第２始動入賞口１４を通過（入賞を含む）したこと）した後、可変表示の開始条件（例えば、保留記憶数が０でない場合であって、第１特別図柄および第２特別図柄の可変表示が実行されていない状態であり、かつ、大当り遊技が実行されていない状態）が成立したことにもとづいて開始され、可変表示時間（変動時間）が経過すると表示結果（停止図柄）を導出表示する。なお、遊技球が通過するとは、入賞口やゲートなどのあらかじめ入賞領域として定められている領域を遊技球が通過したことであり、入賞口に遊技球が入った（入賞した）ことを含む概念である。また、表示結果を導出表示するとは、図柄（識別情報の例）を最終的に停止表示させることである。
【００３５】
演出表示装置９の下方には、第１始動入賞口１３を有する入賞装置が設けられている。第１始動入賞口１３に入賞した遊技球は、遊技盤６の背面に導かれ、第１始動口スイッチ１３ａによって検出される。
【００３６】
また、第１始動入賞口（第１始動口）１３を有する入賞装置の下方には、遊技球が入賞可能な第２始動入賞口１４を有する可変入賞球装置１５が設けられている。第２始動入賞口（第２始動口）１４に入賞した遊技球は、遊技盤６の背面に導かれ、第２始動口スイッチ１４ａによって検出される。可変入賞球装置１５は、ソレノイド１６によって開状態とされる。可変入賞球装置１５が開状態になることによって、遊技球が第２始動入賞口１４に入賞可能になり（始動入賞し易くなり）、遊技者にとって有利な状態になる。可変入賞球装置１５が開状態になっている状態では、第１始動入賞口１３よりも、第２始動入賞口１４に遊技球が入賞しやすい。また、可変入賞球装置１５が閉状態になっている状態では、遊技球は第２始動入賞口１４に入賞しない。従って、可変入賞球装置１５が閉状態になっている状態では、第２始動入賞口１４よりも、第１始動入賞口１３に遊技球が入賞しやすい。なお、可変入賞球装置１５が閉状態になっている状態において、入賞はしづらいものの、入賞することは可能である（すなわち、遊技球が入賞しにくい）ように構成されていてもよい。
【００３７】
以下、第１始動入賞口１３と第２始動入賞口１４とを総称して始動入賞口または始動口ということがある。
【００３８】
可変入賞球装置１５が開放状態に制御されているときには可変入賞球装置１５に向かう遊技球は第２始動入賞口１４に極めて入賞しやすい。そして、第１始動入賞口１３は演出表示装置９の直下に設けられているが、演出表示装置９の下端と第１始動入賞口１３との間の間隔をさらに狭めたり、第１始動入賞口１３の周辺で釘を密に配置したり、第１始動入賞口１３の周辺での釘配列を、遊技球を第１始動入賞口１３に導きづらくして、第２始動入賞口１４の入賞率の方を第１始動入賞口１３の入賞率よりもより高くするようにしてもよい。
【００３９】
なお、この実施の形態では、図１に示すように、第２始動入賞口１４に対してのみ開閉動作を行う可変入賞球装置１５が設けられているが、第１始動入賞口１３および第２始動入賞口１４のいずれについても開閉動作を行う可変入賞球装置が設けられている構成であってもよい。
【００４０】
第１特別図柄表示器８ａの側方には、第１始動入賞口１３に入った有効入賞球数すなわち第１保留記憶数（保留記憶を、始動記憶または始動入賞記憶ともいう。）を表示する４つの表示器からなる第１特別図柄保留記憶表示器１８ａが設けられている。第１特別図柄保留記憶表示器１８ａは、有効始動入賞がある毎に、点灯する表示器の数を１増やす。そして、第１特別図柄表示器８ａでの可変表示が開始される毎に、点灯する表示器の数を１減らす。
【００４１】
第２特別図柄表示器８ｂの側方には、第２始動入賞口１４に入った有効入賞球数すなわち第２保留記憶数を表示する４つの表示器からなる第２特別図柄保留記憶表示器１８ｂが設けられている。第２特別図柄保留記憶表示器１８ｂは、有効始動入賞がある毎に、点灯する表示器の数を１増やす。そして、第２特別図柄表示器８ｂでの可変表示が開始される毎に、点灯する表示器の数を１減らす。
【００４２】
また、演出表示装置９の表示画面の下部には、第１保留記憶数を表示する第１保留記憶表示部９ａと、第２保留記憶数を表示する第２保留記憶表示部９ｂとが設けられている。第１保留記憶表示部９ａには、第１保留記憶の各々に対応して第１保留表示が表示される。また、第２保留記憶表示部９ｂには、第２保留記憶の各々に対応して第２保留表示が表示される。なお、この実施の形態では、第１保留記憶数と第２保留記憶数とを個別に表示する場合を示しているが、第１保留記憶数と第２保留記憶数との合計数である合算保留記憶数を表示する合算保留記憶表示部を設けるように構成してもよい。そのように構成すれば、可変表示の開始条件が成立していない実行条件の成立数の合計を把握しやすくすることができる。また、そのように構成した場合に、合算保留記憶表示部において、第１保留記憶と第２保留記憶とが第１始動入賞口１３および第２始動入賞口１４への入賞順に並べて表示されるとともに、第１保留記憶であるか第２保留記憶であるかを認識可能な態様で表示される（例えば、第１保留記憶は赤色で表示され、第２保留記憶は青色で表示される）ように構成してもよい。
【００４３】
演出表示装置９は、第１特別図柄表示器８ａによる第１特別図柄の可変表示時間中、および第２特別図柄表示器８ｂによる第２特別図柄の可変表示時間中に、装飾用（演出用）の図柄としての演出図柄の可変表示を行う。第１特別図柄表示器８ａにおける第１特別図柄の可変表示と、演出表示装置９における演出図柄の可変表示とは同期している。また、第２特別図柄表示器８ｂにおける第２特別図柄の可変表示と、演出表示装置９における演出図柄の可変表示とは同期している。また、第１特別図柄表示器８ａにおいて大当り図柄が停止表示されるときと、第２特別図柄表示器８ｂにおいて大当り図柄が停止表示されるときには、演出表示装置９において大当りを想起させるような演出図柄の組み合わせが停止表示される。
【００４４】
なお、この実施の形態では、後述するように、特別図柄の変動表示を制御する遊技制御用マイクロコンピュータ５６０が変動時間を特定可能な変動パターンコマンドを送信し、演出制御用マイクロコンピュータ１００によって、受信した変動パターンコマンドで特定される変動時間に従って演出図柄の変動表示が制御される。そのため、変動パターンコマンドにもとづいて変動時間が特定されることから、特別図柄の変動表示と演出図柄の変動表示とは、原則として同期して実行されるはずである。ただし、万一変動パターンコマンドのデータ化けなどが生じた場合には、遊技制御用マイクロコンピュータ５６０側で認識している変動時間と、演出制御用マイクロコンピュータ１００側で認識している変動時間との間にズレが生じる可能性がある。そのため、コマンドのデータ化けなどの不測の事態が生じた場合には、特別図柄の変動表示と演出図柄の変動表示とが完全には同期しない事態が生じる可能性がある。
【００４５】
さらに、演出表示装置９の下方には、飛行機の形状を模した可動部材７６が設けられており、モータ８５（図３参照）が回転すると可動部材７６が移動動作する。
【００４６】
また、図１に示すように、可変入賞球装置１５の下方には、特別可変入賞球装置２０が設けられている。特別可変入賞球装置２０は開閉板を備え、第１特別図柄表示器８ａに特定表示結果（大当り図柄）が導出表示されたときと、第２特別図柄表示器８ｂに特定表示結果（大当り図柄）が導出表示されたときに生起する特定遊技状態（大当り遊技状態）においてソレノイド２１によって開閉板が開放状態に制御されることによって、入賞領域となる大入賞口が開放状態になる。大入賞口に入賞した遊技球はカウントスイッチ２３で検出される。
【００４７】
遊技領域６には、遊技球の入賞にもとづいてあらかじめ決められている所定数の景品遊技球の払出を行うための入賞口（普通入賞口）２９，３０，３３，３９も設けられている。入賞口２９，３０，３３，３９に入賞した遊技球は、入賞口スイッチ２９ａ，３０ａ，３３ａ，３９ａで検出される。
【００４８】
遊技盤６の右側方には、普通図柄表示器１０が設けられている。普通図柄表示器１０は、普通図柄と呼ばれる複数種類の識別情報（例えば、「○」および「×」）を可変表示する。
【００４９】
遊技球がゲート３２を通過しゲートスイッチ３２ａで検出されると、普通図柄表示器１０の表示の可変表示が開始される。この実施の形態では、上下のランプ（点灯時に図柄が視認可能になる）が交互に点灯することによって可変表示が行われ、例えば、可変表示の終了時に下側のランプが点灯すれば当りとなる。そして、普通図柄表示器１０における停止図柄が所定の図柄（当り図柄）である場合に、可変入賞球装置１５が所定回数、所定時間だけ開状態になる。すなわち、可変入賞球装置１５の状態は、普通図柄の停止図柄が当り図柄である場合に、遊技者にとって不利な状態から有利な状態（第２始動入賞口１４に遊技球が入賞可能な状態）に変化する。普通図柄表示器１０の近傍には、ゲート３２を通過した入賞球数を表示する４つのＬＥＤによる表示部を有する普通図柄保留記憶表示器４１が設けられている。ゲート３２への遊技球の通過がある毎に、すなわちゲートスイッチ３２ａによって遊技球が検出される毎に、普通図柄保留記憶表示器４１は点灯するＬＥＤを１増やす。そして、普通図柄表示器１０の可変表示が開始される毎に、点灯するＬＥＤを１減らす。さらに、通常状態に比べて大当りとすることに決定される確率が高い状態である確変状態（通常状態と比較して、特別図柄の変動表示結果として大当りと判定される確率が高められた状態。高確率状態。）では、普通図柄表示器１０における停止図柄が当り図柄になる確率が高められるとともに、可変入賞球装置１５の開放時間と開放回数が高められる。
【００５０】
遊技盤６の遊技領域７の左右周辺には、遊技中に点滅表示される装飾ＬＥＤ２５が設けられ、下部には、入賞しなかった打球が取り込まれるアウト口２６がある。また、遊技領域７の外側の左右上部には、所定の音声出力として効果音や音声を発声する２つのスピーカ２７が設けられている。遊技領域７の外周には、前面枠に設けられた枠ＬＥＤ２８が設けられている。
【００５１】
打球供給皿３を構成する部材においては、遊技者により操作可能な操作手段としての操作ボタン１２０が設けられている。操作ボタン１２０には、遊技者が押圧操作をすることが可能な押しボタンスイッチが設けられている。なお、操作ボタン１２０は、遊技者による押圧操作が可能な押しボタンスイッチが設けられているだけでなく、遊技者による回転操作が可能なダイヤルも設けられている。遊技者は、ダイヤルを回転操作することによって、所定の選択（例えば演出の選択）を行うことができる。
【００５２】
遊技機には、遊技者が打球操作ハンドル５を操作することに応じて駆動モータを駆動し、駆動モータの回転力を利用して遊技球を遊技領域７に発射する打球発射装置（図示せず）が設けられている。打球発射装置から発射された遊技球は、遊技領域７を囲むように円形状に形成された打球レールを通って遊技領域７に入り、その後、遊技領域７を下りてくる。遊技球が第１始動入賞口１３に入り第１始動口スイッチ１３ａで検出されると、第１特別図柄の可変表示を開始できる状態であれば（例えば、特別図柄の可変表示が終了し、第１の開始条件が成立したこと）、第１特別図柄表示器８ａにおいて第１特別図柄の可変表示（変動）が開始されるとともに、演出表示装置９において演出図柄の可変表示が開始される。すなわち、第１特別図柄および演出図柄の可変表示は、第１始動入賞口１３への入賞に対応する。第１特別図柄の可変表示を開始できる状態でなければ、第１保留記憶数が上限値に達していないことを条件として、第１保留記憶数を１増やす。
【００５３】
遊技球が第２始動入賞口１４に入り第２始動口スイッチ１４ａで検出されると、第２特別図柄の可変表示を開始できる状態であれば（例えば、特別図柄の可変表示が終了し、第２の開始条件が成立したこと）、第２特別図柄表示器８ｂにおいて第２特別図柄の可変表示（変動）が開始されるとともに、演出表示装置９において演出図柄の可変表示が開始される。すなわち、第２特別図柄および演出図柄の可変表示は、第２始動入賞口１４への入賞に対応する。第２特別図柄の可変表示を開始できる状態でなければ、第２保留記憶数が上限値に達していないことを条件として、第２保留記憶数を１増やす。
【００５４】
この実施の形態では、確変大当りとなった場合には、大当り遊技終了後にいわゆる確変状態に移行され、遊技状態を高確率状態に移行するとともに、遊技球が始動入賞しやすくなる（すなわち、特別図柄表示器８ａ，８ｂや演出表示装置９における可変表示の実行条件が成立しやすくなる）ように制御された遊技状態である高ベース状態に移行する。高ベース状態である場合には、例えば、高ベース状態でない場合と比較して、可変入賞球装置１５が開状態となる頻度が高められたり、可変入賞球装置１５が開状態となる時間が延長されたりして、始動入賞しやすくなる。
【００５５】
なお、可変入賞球装置１５が開状態となる時間を延長する（開放延長状態ともいう）のでなく、普通図柄表示器１０における停止図柄が当り図柄になる確率が高められる普通図柄確変状態に移行することによって、高ベース状態に移行してもよい。普通図柄表示器１０における停止図柄が所定の図柄（当り図柄）となると、可変入賞球装置１５が所定回数、所定時間だけ開状態になる。この場合、普通図柄確変状態に移行制御することによって、普通図柄表示器１０における停止図柄が当り図柄になる確率が高められ、可変入賞球装置１５が開状態となる頻度が高まる。従って、普通図柄確変状態に移行すれば、可変入賞球装置１５の開放時間と開放回数が高められ、始動入賞しやすい状態（高ベース状態）となる。すなわち、可変入賞球装置１５の開放時間と開放回数は、普通図柄の停止図柄が当り図柄であったり、特別図柄の停止図柄が確変図柄である場合等に高められ、遊技者にとって不利な状態から有利な状態（始動入賞しやすい状態）に変化する。なお、開放回数が高められることは、閉状態から開状態になることも含む概念である。
【００５６】
また、普通図柄表示器１０における普通図柄の変動時間（可変表示期間）が短縮される普通図柄時短状態に移行することによって、高ベース状態に移行してもよい。普通図柄時短状態では、普通図柄の変動時間が短縮されるので、普通図柄の変動が開始される頻度が高くなり、結果として普通図柄が当りとなる頻度が高くなる。従って、普通図柄が当たりとなる頻度が高くなることによって、可変入賞球装置１５が開状態となる頻度が高くなり、始動入賞しやすい状態（高ベース状態）となる。
【００５７】
また、この実施の形態では、高ベース状態に移行される場合には、特別図柄や演出図柄の変動時間（可変表示期間）が短縮される時短状態（特別図柄時短状態）にも移行される。そのように時短状態に移行することによって、特別図柄や演出図柄の変動時間が短縮されるので、特別図柄や演出図柄の変動が開始される頻度が高くなり（換言すれば、保留記憶の消化が速くなる。）、無効な始動入賞が生じてしまう事態を低減することができる。従って、有効な始動入賞が発生しやすくなり、結果として、大当り遊技が行われる可能性が高まる。
【００５８】
さらに、上記に示した全ての状態（開放延長状態、普通図柄確変状態、普通図柄時短状態および特別図柄時短状態）に移行させることによって、始動入賞しやすくなる（高ベース状態に移行する）ようにしてもよい。また、上記に示した各状態（開放延長状態、普通図柄確変状態、普通図柄時短状態および特別図柄時短状態）のうちのいずれか複数の状態に移行させることによって、始動入賞しやすくなる（高ベース状態に移行する）ようにしてもよい。また、上記に示した各状態（開放延長状態、普通図柄確変状態、普通図柄時短状態および特別図柄時短状態）のうちのいずれか１つの状態にのみ移行させることによって、始動入賞しやすくなる（高ベース状態に移行する）ようにしてもよい。
【００５９】
図２は、主基板（遊技制御基板）３１における回路構成の一例を示すブロック図である。なお、図２は、払出制御基板３７および演出制御基板８０等も示されている。主基板３１には、プログラムに従ってパチンコ遊技機１を制御する遊技制御用マイクロコンピュータ（遊技制御手段に相当）５６０が搭載されている。遊技制御用マイクロコンピュータ５６０は、ゲーム制御（遊技進行制御）用のプログラム等を記憶するＲＯＭ５４、ワークメモリとして使用される記憶手段としてのＲＡＭ５５、プログラムに従って制御動作を行うＣＰＵ５６およびＩ／Ｏポート部５７を含む。この実施の形態では、ＲＯＭ５４およびＲＡＭ５５は遊技制御用マイクロコンピュータ５６０に内蔵されている。すなわち、遊技制御用マイクロコンピュータ５６０は、１チップマイクロコンピュータである。１チップマイクロコンピュータには、少なくともＣＰＵ５６のほかＲＡＭ５５が内蔵されていればよく、ＲＯＭ５４は外付けであっても内蔵されていてもよい。また、Ｉ／Ｏポート部５７は、外付けであってもよい。遊技制御用マイクロコンピュータ５６０には、さらに、ハードウェア乱数（ハードウェア回路が発生する乱数）を発生する乱数回路５３が内蔵されている。
【００６０】
また、ＲＡＭ５５は、その一部または全部が電源基板９１０において作成されるバックアップ電源によってバックアップされている不揮発性記憶手段としてのバックアップＲＡＭである。すなわち、遊技機に対する電力供給が停止しても、所定期間（バックアップ電源としてのコンデンサが放電してバックアップ電源が電力供給不能になるまで）は、ＲＡＭ５５の一部または全部の内容は保存される。特に、少なくとも、遊技状態すなわち遊技制御手段の制御状態に応じたデータ（特別図柄プロセスフラグなど）と未払出賞球数を示すデータは、バックアップＲＡＭに保存される。遊技制御手段の制御状態に応じたデータとは、停電等が生じた後に復旧した場合に、そのデータにもとづいて、制御状態を停電等の発生前に復旧させるために必要なデータである。また、制御状態に応じたデータと未払出賞球数を示すデータとを遊技の進行状態を示すデータと定義する。なお、この実施の形態では、ＲＡＭ５５の全部が、電源バックアップされているとする。
【００６１】
なお、遊技制御用マイクロコンピュータ５６０においてＣＰＵ５６がＲＯＭ５４に格納されているプログラムに従って制御を実行するので、以下、遊技制御用マイクロコンピュータ５６０（またはＣＰＵ５６）が実行する（または、処理を行う）ということは、具体的には、ＣＰＵ５６がプログラムに従って制御を実行することである。このことは、主基板３１以外の他の基板に搭載されているマイクロコンピュータについても同様である。
【００６２】
乱数回路５３は、特別図柄の可変表示の表示結果により大当りとするか否か判定するための判定用の乱数を発生するために用いられるハードウェア回路である。乱数回路５３は、初期値（例えば、０）と上限値（例えば、６５５３５）とが設定された数値範囲内で、数値データを、設定された更新規則に従って更新し、ランダムなタイミングで発生する始動入賞時が数値データの読出（抽出）時であることにもとづいて、読出される数値データが乱数値となる乱数発生機能を有する。
【００６３】
乱数回路５３は、数値データの更新範囲の選択設定機能（初期値の選択設定機能、および、上限値の選択設定機能）、数値データの更新規則の選択設定機能、および数値データの更新規則の選択切換え機能等の各種の機能を有する。このような機能によって、生成する乱数のランダム性を向上させることができる。
【００６４】
また、遊技制御用マイクロコンピュータ５６０は、乱数回路５３が更新する数値データの初期値を設定する機能を有している。例えば、ＲＯＭ５４等の所定の記憶領域に記憶された遊技制御用マイクロコンピュータ５６０のＩＤナンバ（遊技制御用マイクロコンピュータ５６０の製品ごとに異なる数値で付与されたＩＤナンバ）を用いて所定の演算を行なって得られた数値データを、乱数回路５３が更新する数値データの初期値として設定する。そのような処理を行うことによって、乱数回路５３が発生する乱数のランダム性をより向上させることができる。
【００６５】
また、ゲートスイッチ３２ａ、始動口スイッチ１３ａ、カウントスイッチ２３、入賞口スイッチ２９ａ，３０ａ，３３ａ，３９ａからの検出信号を遊技制御用マイクロコンピュータ５６０に与える入力ドライバ回路５８も主基板３１に搭載されている。また、可変入賞球装置１５を開閉するソレノイド１６、および大入賞口を形成する特別可変入賞球装置２０を開閉するソレノイド２１を遊技制御用マイクロコンピュータ５６０からの指令に従って駆動する出力回路５９も主基板３１に搭載されている。
【００６６】
また、遊技制御用マイクロコンピュータ５６０は、特別図柄を可変表示する第１特別図柄表示器８ａ、第２特別図柄表示器８ｂ、普通図柄を可変表示する普通図柄表示器１０、第１特別図柄保留記憶表示器１８ａ、第２特別図柄保留記憶表示器１８ｂおよび普通図柄保留記憶表示器４１の表示制御を行う。
【００６７】
なお、大当り遊技状態の発生を示す大当り情報等の情報出力信号をホールコンピュータ等の外部装置に対して出力する情報出力回路（図示せず）も主基板３１に搭載されている。
【００６８】
この実施の形態では、演出制御基板８０に搭載されている演出制御手段（演出制御用マイクロコンピュータで構成される。）が、中継基板７７を介して遊技制御用マイクロコンピュータ５６０から演出内容を指示する演出制御コマンドを受信し、演出図柄を可変表示する演出表示装置９の表示制御を行う。
【００６９】
また、演出制御基板８０に搭載されている演出制御手段が、ランプドライバ基板３５を介して、遊技盤に設けられている装飾ＬＥＤ２５、および枠側に設けられている枠ＬＥＤ２８の表示制御を行うとともに、音声出力基板７０を介してスピーカ２７からの音出力の制御を行う。
【００７０】
図３は、中継基板７７、演出制御基板８０、ランプドライバ基板３５および音声出力基板７０の回路構成例を示すブロック図である。なお、図３に示す例では、ランプドライバ基板３５および音声出力基板７０には、マイクロコンピュータは搭載されていないが、マイクロコンピュータを搭載してもよい。また、ランプドライバ基板３５および音声出力基板７０を設けずに、演出制御に関して演出制御基板８０のみを設けてもよい。
【００７１】
演出制御基板８０は、演出制御用ＣＰＵ１０１、および演出図柄プロセスフラグ等の演出に関する情報を記憶するＲＡＭを含む演出制御用マイクロコンピュータ１００を搭載している。なお、ＲＡＭは外付けであってもよい。この実施の形態では、演出制御用マイクロコンピュータ１００におけるＲＡＭは電源バックアップされていない。演出制御基板８０において、演出制御用ＣＰＵ１０１は、内蔵または外付けのＲＯＭ（図示せず）に格納されたプログラムに従って動作し、中継基板７７を介して入力される主基板３１からの取込信号（演出制御ＩＮＴ信号）に応じて、入力ドライバ１０２および入力ポート１０３を介して演出制御コマンドを受信する。また、演出制御用ＣＰＵ１０１は、演出制御コマンドにもとづいて、ＶＤＰ（ビデオディスプレイプロセッサ）１０９に演出表示装置９の表示制御を行わせる。
【００７２】
この実施の形態では、演出制御用マイクロコンピュータ１００と共動して演出表示装置９の表示制御を行うＶＤＰ１０９が演出制御基板８０に搭載されている。ＶＤＰ１０９は、演出制御用マイクロコンピュータ１００とは独立したアドレス空間を有し、そこにＶＲＡＭをマッピングする。ＶＲＡＭは、画像データを展開するためのバッファメモリである。そして、ＶＤＰ１０９は、ＶＲＡＭ内の画像データを、フレームメモリを介して演出表示装置９に出力する。
【００７３】
演出制御用ＣＰＵ１０１は、受信した演出制御コマンドに従ってＣＧＲＯＭ（図示せず）から必要なデータを読み出すための指令をＶＤＰ１０９に出力する。ＣＧＲＯＭは、演出表示装置９に表示されるキャラクタ画像データや動画像データ、具体的には、人物、文字、図形や記号等（演出図柄を含む）、および背景画像のデータをあらかじめ格納しておくためのＲＯＭである。ＶＤＰ１０９は、演出制御用ＣＰＵ１０１の指令に応じて、ＣＧＲＯＭから画像データを読み出す。そして、ＶＤＰ１０９は、読み出した画像データにもとづいて表示制御を実行する。
【００７４】
演出制御コマンドおよび演出制御ＩＮＴ信号は、演出制御基板８０において、まず、入力ドライバ１０２に入力する。入力ドライバ１０２は、中継基板７７から入力された信号を演出制御基板８０の内部に向かう方向にしか通過させない（演出制御基板８０の内部から中継基板７７への方向には信号を通過させない）信号方向規制手段としての単方向性回路でもある。
【００７５】
中継基板７７には、主基板３１から入力された信号を演出制御基板８０に向かう方向にしか通過させない（演出制御基板８０から中継基板７７への方向には信号を通過させない）信号方向規制手段としての単方向性回路７４が搭載されている。単方向性回路として、例えばダイオードやトランジスタが使用される。図３には、ダイオードが例示されている。また、単方向性回路は、信号毎に設けられる。さらに、単方向性回路である出力ポート５７１を介して主基板３１から演出制御コマンドおよび演出制御ＩＮＴ信号が出力されるので、中継基板７７から主基板３１の内部に向かう信号が規制される。すなわち、中継基板７７からの信号は主基板３１の内部（遊技制御用マイクロコンピュータ５６０側）に入り込まない。なお、出力ポート５７１は、図２に示されたＩ／Ｏポート部５７の一部である。また、出力ポート５７１の外側（中継基板７７側）に、さらに、単方向性回路である信号ドライバ回路が設けられていてもよい。
【００７６】
また、演出制御用ＣＰＵ１０１は、出力ポート１０６を介して、可動部材７６を動作させるためのモータ８５を駆動する。
【００７７】
また、演出制御用ＣＰＵ１０１は、入力ポート１０７を介して、遊技者による操作ボタン１２０の押圧操作に応じて操作ボタン１２０からの信号を入力する。
【００７８】
さらに、演出制御用ＣＰＵ１０１は、出力ポート１０５を介してランプドライバ基板３５に対してＬＥＤやランプを駆動する信号を出力する。また、演出制御用ＣＰＵ１０１は、出力ポート１０４を介して音声出力基板７０に対して音番号データを出力する。
【００７９】
ランプドライバ基板３５において、ＬＥＤやランプを駆動する信号は、入力ドライバ３５１を介してＬＥＤドライバ３５２に入力される。ＬＥＤドライバ３５２は、ＬＥＤを駆動する信号にもとづいて枠ＬＥＤ２８などの枠側に設けられている発光体に電流を供給する。また、遊技盤側に設けられている装飾ＬＥＤ２５などに電流を供給する。
【００８０】
音声出力基板７０において、音番号データは、入力ドライバ７０２を介して音声合成用ＩＣ７０３に入力される。音声合成用ＩＣ７０３は、音番号データに応じた音声や効果音を発生し増幅回路７０５に出力する。増幅回路７０５は、音声合成用ＩＣ７０３の出力レベルを、ボリューム７０６で設定されている音量に応じたレベルに増幅した音声信号をスピーカ２７に出力する。音声データＲＯＭ７０４には、音番号データに応じた制御データが格納されている。音番号データに応じた制御データは、所定期間（例えば演出図柄の変動期間）における効果音または音声の出力態様を時系列的に示すデータの集まりである。
【００８１】
次に、遊技機の動作について説明する。図４は、主基板３１における遊技制御用マイクロコンピュータ５６０が実行するメイン処理を示すフローチャートである。遊技機に対して電源が投入され電力供給が開始されると、リセット信号が入力されるリセット端子の入力レベルがハイレベルになり、遊技制御用マイクロコンピュータ５６０（具体的には、ＣＰＵ５６）は、プログラムの内容が正当か否か確認するための処理であるセキュリティチェック処理を実行した後、ステップＳ１以降のメイン処理を開始する。メイン処理において、ＣＰＵ５６は、まず、必要な初期設定を行う。
【００８２】
初期設定処理において、ＣＰＵ５６は、まず、割込禁止に設定する（ステップＳ１）。次に、割込モードを割込モード２に設定し（ステップＳ２）、スタックポインタにスタックポインタ指定アドレスを設定する（ステップＳ３）。そして、内蔵デバイスの初期化（内蔵デバイス（内蔵周辺回路）であるＣＴＣ（カウンタ／タイマ）およびＰＩＯ（パラレル入出力ポート）の初期化など）を行った後（ステップＳ４）、ＲＡＭをアクセス可能状態に設定する（ステップＳ５）。なお、割込モード２は、ＣＰＵ５６が内蔵する特定レジスタ（Ｉレジスタ）の値（１バイト）と内蔵デバイスが出力する割込ベクタ（１バイト：最下位ビット０）とから合成されるアドレスが、割込番地を示すモードである。
【００８３】
次いで、ＣＰＵ５６は、入力ポートを介して入力されるクリアスイッチ（例えば、電源基板に搭載されている。）の出力信号（クリア信号）の状態を確認する（ステップＳ６）。その確認においてオンを検出した場合には、ＣＰＵ５６は、通常の初期化処理（ステップＳ１０〜Ｓ１５）を実行する。
【００８４】
クリアスイッチがオンの状態でない場合には、遊技機への電力供給が停止したときにバックアップＲＡＭ領域のデータ保護処理（例えばパリティデータの付加等の電力供給停止時処理）が行われたか否か確認する（ステップＳ７）。そのような保護処理が行われていないことを確認したら、ＣＰＵ５６は初期化処理を実行する。バックアップＲＡＭ領域にバックアップデータがあるか否かは、例えば、電力供給停止時処理においてバックアップＲＡＭ領域に設定されるバックアップフラグの状態によって確認される。
【００８５】
電力供給停止時処理が行われたことを確認したら、ＣＰＵ５６は、バックアップＲＡＭ領域のデータチェックを行う（ステップＳ８）。この実施の形態では、データチェックとしてパリティチェックを行う。よって、ステップＳ８では、算出したチェックサムと、電力供給停止時処理で同一の処理によって算出され保存されているチェックサムとを比較する。不測の停電等の電力供給停止が生じた後に復旧した場合には、バックアップＲＡＭ領域のデータは保存されているはずであるから、チェック結果（比較結果）は正常（一致）になる。チェック結果が正常でないということは、バックアップＲＡＭ領域のデータが、電力供給停止時のデータとは異なっていることを意味する。そのような場合には、内部状態を電力供給停止時の状態に戻すことができないので、電力供給の停止からの復旧時でない電源投入時に実行される初期化処理を実行する。
【００８６】
チェック結果が正常であれば、ＣＰＵ５６は、遊技制御手段の内部状態と演出制御手段等の電気部品制御手段の制御状態を電力供給停止時の状態に戻すための遊技状態復旧処理（ステップＳ４１〜Ｓ４３の処理）を行う。具体的には、ＲＯＭ５４に格納されているバックアップ時設定テーブルの先頭アドレスをポインタに設定し（ステップＳ４１）、バックアップ時設定テーブルの内容を順次作業領域（ＲＡＭ５５内の領域）に設定する（ステップＳ４２）。作業領域はバックアップ電源によって電源バックアップされている。バックアップ時設定テーブルには、作業領域のうち初期化してもよい領域についての初期化データが設定されている。ステップＳ４１およびＳ４２の処理によって、作業領域のうち初期化してはならない部分については、保存されていた内容がそのまま残る。初期化してはならない部分とは、例えば、電力供給停止前の遊技状態を示すデータ（特別図柄プロセスフラグ、確変フラグ、時短フラグなど）、出力ポートの出力状態が保存されている領域（出力ポートバッファ）、未払出賞球数を示すデータが設定されている部分などである。
【００８７】
また、ＣＰＵ５６は、電力供給復旧時の初期化コマンドとしての停電復旧指定コマンドを送信する（ステップＳ４３）。また、ＣＰＵ５６は、バックアップＲＡＭに保存されている表示結果（通常大当り、確変大当り、突然確変大当り、小当り、またははずれ）を指定した表示結果指定コマンドを演出制御基板８０に対して送信する（ステップＳ４４）。そして、ステップＳ１４に移行する。なお、ステップＳ４４において、ＣＰＵ５６は、例えば、後述する特別図柄ポインタの値もバックアップＲＡＭに保存している場合には、第１図柄変動指定コマンドや第２図柄変動指定コマンド（図９参照）も送信するようにしてもよい。この場合、演出制御用マイクロコンピュータ１００は、第１図柄変動指定コマンドや第２図柄変動指定コマンドを受信したことにもとづいて、第４図柄の変動表示を再開するようにしてもよい。
【００８８】
なお、この実施の形態では、バックアップＲＡＭ領域には、後述する変動時間タイマの値も保存される。従って、停電復旧した場合には、ステップＳ４４で表示結果指定コマンドが送信された後、保存していた変動時間タイマの値の計測を再開して特別図柄の変動表示が再開されるとともに、保存していた変動時間タイマの値がタイムアウトしたときに、さらに後述する図柄確定指定コマンドが送信される。また、この実施の形態では、バックアップＲＡＭ領域には、後述する特別図柄プロセスフラグの値も保存される。従って、停電復旧した場合には、保存されている特別図柄プロセスフラグの値に応じたプロセスから特別図柄プロセス処理が再開される。
【００８９】
なお、停電復旧時に必ず表示結果指定コマンドを送信するのではなく、ＣＰＵ５６は、まず、バックアップＲＡＭ領域に保存している変動時間タイマの値が０であるか否かを確認するようにしてもよい。そして、変動時間タイマの値が０でなければ、変動中に停電した場合であると判断して、表示結果指定コマンドを送信するようにし、変動時間タイマが０であれば、停電時に変動中の状態ではなかったと判断して、表示結果指定コマンドを送信しないようにしてもよい。
【００９０】
また、ＣＰＵ５６は、まず、バックアップＲＡＭ領域に保存している特別図柄プロセスフラグの値が３であるか否かを確認するようにしてもよい。そして、特別図柄プロセスフラグの値が３であれば、変動中に停電した場合であると判断して、表示結果指定コマンドを送信するようにし、特別図柄プロセスフラグが３でなければ、停電時に変動中ではなかったと判断して、表示結果指定コマンドを送信しないようにしてもよい。
【００９１】
なお、この実施の形態では、バックアップフラグとチェックデータとの双方を用いてバックアップＲＡＭ領域のデータが保存されているか否か確認しているが、いずれか一方のみを用いてもよい。すなわち、バックアップフラグとチェックデータとのいずれかを、遊技状態復旧処理を実行するための契機としてもよい。
【００９２】
初期化処理では、ＣＰＵ５６は、まず、ＲＡＭクリア処理を行う（ステップＳ１０）。なお、ＲＡＭクリア処理によって、所定のデータ（例えば、普通図柄当り判定用乱数を生成するためのカウンタのカウント値のデータ）は０に初期化されるが、任意の値またはあらかじめ決められている値に初期化するようにしてもよい。また、ＲＡＭ５５の全領域を初期化せず、所定のデータ（例えば、普通図柄当り判定用乱数を生成するためのカウンタのカウント値のデータ）をそのままにしてもよい。また、ＲＯＭ５４に格納されている初期化時設定テーブルの先頭アドレスをポインタに設定し（ステップＳ１１）、初期化時設定テーブルの内容を順次作業領域に設定する（ステップＳ１２）。
【００９３】
ステップＳ１１およびＳ１２の処理によって、例えば、普通図柄当り判定用乱数カウンタ、特別図柄バッファ、総賞球数格納バッファ、特別図柄プロセスフラグなど制御状態に応じて選択的に処理を行うためのフラグに初期値が設定される。
【００９４】
また、ＣＰＵ５６は、サブ基板（主基板３１以外のマイクロコンピュータが搭載された基板。）を初期化するための初期化指定コマンド（遊技制御用マイクロコンピュータ５６０が初期化処理を実行したことを示すコマンドでもある。）をサブ基板に送信する（ステップＳ１３）。例えば、演出制御用マイクロコンピュータ１００は、初期化指定コマンドを受信すると、演出表示装置９において、遊技機の制御の初期化がなされたことを報知するための画面表示、すなわち初期化報知を行う。
【００９５】
また、ＣＰＵ５６は、乱数回路５３を初期設定する乱数回路設定処理を実行する（ステップＳ１４）。ＣＰＵ５６は、例えば、乱数回路設定プログラムに従って処理を実行することによって、乱数回路５３にランダムＲの値を更新させるための設定を行う。
【００９６】
そして、ステップＳ１５において、ＣＰＵ５６は、所定時間（例えば４ｍｓ）毎に定期的にタイマ割込がかかるように遊技制御用マイクロコンピュータ５６０に内蔵されているＣＴＣのレジスタの設定を行なう。すなわち、初期値として例えば４ｍｓに相当する値が所定のレジスタ（時間定数レジスタ）に設定される。この実施の形態では、４ｍｓ毎に定期的にタイマ割込がかかるとする。
【００９７】
初期化処理の実行（ステップＳ１０〜Ｓ１５）が完了すると、ＣＰＵ５６は、メイン処理で、表示用乱数更新処理（ステップＳ１７）および初期値用乱数更新処理（ステップＳ１８）を繰り返し実行する。表示用乱数更新処理および初期値用乱数更新処理を実行するときには割込禁止状態に設定し（ステップＳ１６）、表示用乱数更新処理および初期値用乱数更新処理の実行が終了すると割込許可状態に設定する（ステップＳ１９）。この実施の形態では、表示用乱数とは、大当りとしない場合の特別図柄の停止図柄を決定するための乱数や大当りとしない場合にリーチとするか否かを決定するための乱数であり、表示用乱数更新処理とは、表示用乱数を発生するためのカウンタのカウント値を更新する処理である。また、初期値用乱数更新処理とは、初期値用乱数を発生するためのカウンタのカウント値を更新する処理である。この実施の形態では、初期値用乱数とは、普通図柄に関して当りとするか否か決定するための乱数を発生するためのカウンタ（普通図柄当り判定用乱数発生カウンタ）のカウント値の初期値を決定するための乱数である。後述する遊技の進行を制御する遊技制御処理（遊技制御用マイクロコンピュータ５６０が、遊技機に設けられている演出表示装置、可変入賞球装置、球払出装置等の遊技用の装置を、自身で制御する処理、または他のマイクロコンピュータに制御させるために指令信号を送信する処理、遊技装置制御処理ともいう）において、普通図柄当り判定用乱数のカウント値が１周（普通図柄当り判定用乱数の取りうる値の最小値から最大値までの間の数値の個数分歩進したこと）すると、そのカウンタに初期値が設定される。
【００９８】
なお、この実施の形態では、リーチ演出は、演出表示装置９において可変表示される演出図柄を用いて実行される。また、特別図柄の表示結果を大当り図柄にする場合には、リーチ演出は常に実行される（ただし、突然確変大当りの場合には、リーチとはならずに突然確変大当り図柄（例えば「１３５」）が停止表示される場合もある）。特別図柄の表示結果を大当り図柄にしない場合には、遊技制御用マイクロコンピュータ５６０は、乱数を用いた変動パターン種別や変動パターンを決定する抽選を行うことによって、リーチ演出を実行するか否か決定する。ただし、実際にリーチ演出の制御を実行するのは、演出制御用マイクロコンピュータ１００である。
【００９９】
タイマ割込が発生すると、ＣＰＵ５６は、図５に示すステップＳ２０〜Ｓ３４のタイマ割込処理を実行する。タイマ割込処理において、まず、電源断信号が出力されたか否か（オン状態になったか否か）を検出する電源断検出処理を実行する（ステップＳ２０）。電源断信号は、例えば電源基板に搭載されている電源監視回路が、遊技機に供給される電源の電圧の低下を検出した場合に出力する。そして、電源断検出処理において、ＣＰＵ５６は、電源断信号が出力されたことを検出したら、必要なデータをバックアップＲＡＭ領域に保存するための電力供給停止時処理を実行する。次いで、入力ドライバ回路５８を介して、ゲートスイッチ３２ａ、第１始動口スイッチ１３ａ、第２始動口スイッチ１４ａおよびカウントスイッチ２３の検出信号を入力し、それらの状態判定を行う（スイッチ処理：ステップＳ２１）。
【０１００】
次に、ＣＰＵ５６は、第１特別図柄表示器８ａ、第２特別図柄表示器８ｂ、普通図柄表示器１０、第１特別図柄保留記憶表示器１８ａ、第２特別図柄保留記憶表示器１８ｂ、普通図柄保留記憶表示器４１の表示制御を行う表示制御処理を実行する（ステップＳ２２）。第１特別図柄表示器８ａ、第２特別図柄表示器８ｂおよび普通図柄表示器１０については、ステップＳ３２，Ｓ３３で設定される出力バッファの内容に応じて各表示器に対して駆動信号を出力する制御を実行する。
【０１０１】
また、遊技制御に用いられる普通図柄当り判定用乱数等の各判定用乱数を生成するための各カウンタのカウント値を更新する処理を行う（判定用乱数更新処理：ステップＳ２３）。ＣＰＵ５６は、さらに、初期値用乱数および表示用乱数を生成するためのカウンタのカウント値を更新する処理を行う（初期値用乱数更新処理，表示用乱数更新処理：ステップＳ２４，Ｓ２５）。
【０１０２】
さらに、ＣＰＵ５６は、特別図柄プロセス処理を行う（ステップＳ２６）。特別図柄プロセス処理では、第１特別図柄表示器８ａ、第２特別図柄表示器８ｂおよび大入賞口を所定の順序で制御するための特別図柄プロセスフラグに従って該当する処理を実行する。ＣＰＵ５６は、特別図柄プロセスフラグの値を、遊技状態に応じて更新する。
【０１０３】
次いで、普通図柄プロセス処理を行う（ステップＳ２７）。普通図柄プロセス処理では、ＣＰＵ５６は、普通図柄表示器１０の表示状態を所定の順序で制御するための普通図柄プロセスフラグに従って該当する処理を実行する。ＣＰＵ５６は、普通図柄プロセスフラグの値を、遊技状態に応じて更新する。なお、ステップＳ２７の普通図柄プロセス処理では、ゲート３２への遊技球の通過を検出したことにもとづいて普通図柄の変動表示を実行して変動表示結果を導出表示したり、普通図柄の変動表示結果が当りとなったときに可変入賞球装置１５を開放状態に制御したり閉鎖状態に制御したりする処理を実行する。
【０１０４】
また、ＣＰＵ５６は、演出制御用マイクロコンピュータ１００に演出制御コマンドを送出する処理を行う（演出制御コマンド制御処理：ステップＳ２８）。
【０１０５】
さらに、ＣＰＵ５６は、例えばホール管理用コンピュータに供給される大当り情報、始動情報、確率変動情報などのデータを出力する情報出力処理を行う（ステップＳ２９）。
【０１０６】
また、ＣＰＵ５６は、第１始動口スイッチ１３ａ、第２始動口スイッチ１４ａおよびカウントスイッチ２３の検出信号にもとづく賞球個数の設定などを行う賞球処理を実行する（ステップＳ３０）。具体的には、第１始動口スイッチ１３ａ、第２始動口スイッチ１４ａおよびカウントスイッチ２３のいずれかがオンしたことにもとづく入賞検出に応じて、払出制御基板３７に搭載されている払出制御用マイクロコンピュータに賞球個数を示す払出制御コマンド（賞球個数信号）を出力する。払出制御用マイクロコンピュータは、賞球個数を示す払出制御コマンドに応じて球払出装置９７を駆動する。
【０１０７】
この実施の形態では、出力ポートの出力状態に対応したＲＡＭ領域（出力ポートバッファ）が設けられているのであるが、ＣＰＵ５６は、出力ポートの出力状態に対応したＲＡＭ領域におけるソレノイドのオン／オフに関する内容を出力ポートに出力する（ステップＳ３１：出力処理）。
【０１０８】
また、ＣＰＵ５６は、特別図柄プロセスフラグの値に応じて特別図柄の演出表示を行うための特別図柄表示制御データを特別図柄表示制御データ設定用の出力バッファに設定する特別図柄表示制御処理を行う（ステップＳ３２）。
【０１０９】
さらに、ＣＰＵ５６は、普通図柄プロセスフラグの値に応じて普通図柄の演出表示を行うための普通図柄表示制御データを普通図柄表示制御データ設定用の出力バッファに設定する普通図柄表示制御処理を行う（ステップＳ３３）。ＣＰＵ５６は、例えば、普通図柄の変動に関する開始フラグがセットされると終了フラグがセットされるまで、普通図柄の変動速度が０．２秒ごとに表示状態（「○」および「×」）を切り替えるような速度であれば、０．２秒が経過する毎に、出力バッファに設定される表示制御データの値（例えば、「○」を示す１と「×」を示す０）を切り替える。また、ＣＰＵ５６は、出力バッファに設定された表示制御データに応じて、ステップＳ２２において駆動信号を出力することによって、普通図柄表示器１０における普通図柄の演出表示を実行する。
【０１１０】
その後、割込許可状態に設定し（ステップＳ３４）、処理を終了する。
【０１１１】
以上の制御によって、この実施の形態では、遊技制御処理は４ｍｓ毎に起動されることになる。なお、遊技制御処理は、タイマ割込処理におけるステップＳ２１〜Ｓ３３（ステップＳ２９を除く。）の処理に相当する。また、この実施の形態では、タイマ割込処理で遊技制御処理が実行されているが、タイマ割込処理では例えば割込が発生したことを示すフラグのセットのみがなされ、遊技制御処理はメイン処理において実行されるようにしてもよい。
【０１１２】
第１特別図柄表示器８ａまたは第２特別図柄表示器８ｂおよび演出表示装置９にはずれ図柄が停止表示される場合には、演出図柄の可変表示が開始されてから、演出図柄の可変表示状態がリーチ状態にならずに、リーチにならない所定の演出図柄の組み合わせが停止表示されることがある。このような演出図柄の可変表示態様を、可変表示結果がはずれ図柄になる場合における「非リーチ」（「通常はずれ」ともいう）の可変表示態様という。
【０１１３】
第１特別図柄表示器８ａまたは第２特別図柄表示器８ｂおよび演出表示装置９にはずれ図柄が停止表示される場合には、演出図柄の可変表示が開始されてから、演出図柄の可変表示状態がリーチ状態となった後にリーチ演出が実行され、最終的に大当り図柄とはならない所定の演出図柄の組み合わせが停止表示されることがある。このような演出図柄の可変表示結果を、可変表示結果が「はずれ」となる場合における「リーチ」（「リーチはずれ」ともいう）の可変表示態様という。
【０１１４】
この実施の形態では、第１特別図柄表示器８ａまたは第２特別図柄表示器８ｂに大当り図柄が停止表示される場合には、演出図柄の可変表示状態がリーチ状態になった後にリーチ演出が実行され、最終的に演出表示装置９における「左」、「中」、「右」の各図柄表示エリア９Ｌ、９Ｃ、９Ｒに、演出図柄が揃って停止表示される（ただし、突然確変大当りの場合には、リーチとはならずに突然確変大当り図柄（例えば「１３５」）が停止表示される場合もある）。
【０１１５】
第１特別図柄表示器８ａまたは第２特別図柄表示器８ｂに小当りである「５」が停止表示される場合には、演出表示装置９において、演出図柄の可変表示態様が「突然確変大当り」である場合と同様に演出図柄の可変表示が行われた後、所定の小当り図柄（突然確変大当り図柄と同じ図柄。例えば「１３５」）が停止表示されることがある。第１特別図柄表示器８ａまたは第２特別図柄表示器８ｂに小当り図柄である「５」が停止表示されることに対応する演出表示装置９における表示演出を「小当り」の可変表示態様という。
【０１１６】
ここで、小当りとは、大当りと比較して大入賞口の開放回数が少ない回数（この実施の形態では０．１秒間の開放を２回）まで許容される当りである。なお、小当り遊技が終了した場合、遊技状態は変化しない。すなわち、確変状態から通常状態に移行したり通常状態から確変状態に移行したりすることはない。また、突然確変大当りとは、大当り遊技状態において大入賞口の開放回数が少ない回数（この実施の形態では０．１秒間の開放を２回）まで許容されるが大入賞口の開放時間が極めて短い大当りであり、かつ、大当り遊技後の遊技状態を確変状態に移行させるような大当りである（すなわち、そのようにすることにより、遊技者に対して突然に確変状態となったかのように見せるものである）。つまり、この実施の形態では、突然確変大当りと小当りとは、大入賞口の開放パターンが同じである。そのように制御することによって、大入賞口の０．１秒間の開放が２回行われると、突然確変大当りであるか小当りであるかまでは認識できないので、遊技者に対して高確率状態（確変状態）を期待させることができ、遊技の興趣を向上させることができる。
【０１１７】
なお、大当り種別が全て確変大当りであるように遊技機を構成する場合、小当りを設けなくてもよい。また、大当り種別が全て確変大当りである場合に小当りを設けるように構成する場合には、確変状態（高確率状態）に移行されるのみで時短状態（高ベース状態）を伴わない突然確変大当りを設けるようにすることが好ましい。
【０１１８】
図６は、あらかじめ用意された演出図柄の変動パターンを示す説明図である。図６に示すように、この実施の形態では、可変表示結果が「はずれ」であり演出図柄の可変表示態様が「非リーチ」である場合に対応した変動パターンとして、非リーチＰＡ１−１〜非リーチＰＡ１−４の変動パターンが用意されている。また、可変表示結果が「はずれ」であり演出図柄の可変表示態様が「リーチ」である場合に対応した変動パターンとして、ノーマルＰＡ２−１〜ノーマルＰＡ２−２、ノーマルＰＢ２−１〜ノーマルＰＢ２−２、スーパーＰＡ３−１〜スーパーＰＡ３−２、スーパーＰＢ３−１〜スーパーＰＢ３−２、マルチＰＣ１−１〜マルチＰＣ１−３の変動パターンが用意されている。なお、図６に示すように、リーチしない場合に使用され擬似連の演出を伴う非リーチＰＡ１−４の変動パターンについては、再変動が１回行われる。リーチする場合に使用され擬似連の演出を伴う変動パターンのうち、ノーマルＰＢ２−１を用いる場合には、再変動が１回行われる。また、リーチする場合に使用され擬似連の演出を伴う変動パターンのうち、ノーマルＰＢ２−２を用いる場合には、再変動が２回行われる。さらに、リーチする場合に使用され擬似連の演出を伴う変動パターンのうち、スーパーＰＡ３−１〜スーパーＰＡ３−２を用いる場合には、再変動が３回行われる。なお、再変動とは、演出図柄の可変表示が開始されてから表示結果が導出表示されるまでに一旦はずれとなる演出図柄を仮停止させた後に演出図柄の可変表示を再度実行することである。
【０１１９】
また、図６に示すように、この実施の形態では、特別図柄の可変表示結果が大当り図柄または小当り図柄になる場合に対応した変動パターンとして、ノーマルＰＡ２−３〜ノーマルＰＡ２−４、ノーマルＰＢ２−３〜ノーマルＰＢ２−４、スーパーＰＡ３−３〜スーパーＰＡ３−４、スーパーＰＢ３−３〜スーパーＰＢ３−４、マルチＰＣ１−４〜マルチＰＣ１−６、特殊ＰＧ１−１〜特殊ＰＧ１−３、特殊ＰＧ２−１〜特殊ＰＧ２−２の変動パターンが用意されている。なお、図６において、特殊ＰＧ１−１〜特殊ＰＧ１−３、特殊ＰＧ２−１〜特殊ＰＧ２−２の変動パターンは、突然確変大当りまたは小当りとなる場合に使用される変動パターンである。また、図６に示すように、突然確変大当りまたは小当りでない場合に使用され擬似連の演出を伴う変動パターンのうち、ノーマルＰＢ２−３を用いる場合には、再変動が１回行われる。また、リーチする場合に使用され擬似連の演出を伴う変動パターンのうち、ノーマルＰＢ２−４を用いる場合には、再変動が２回行われる。さらに、リーチする場合に使用され擬似連の演出を伴う変動パターンのうち、スーパーＰＡ３−３〜スーパーＰＡ３−４を用いる場合には、再変動が３回行われる。また、突然確変大当りまたは小当りの場合に使用され擬似連の演出を伴う特殊ＰＧ１−３の変動パターンについては、再変動が１回行われる。
【０１２０】
また、マルチＰＣ１−１〜マルチＰＣ１−６の変動パターンは、演出図柄の変動表示中にマルチモニタリーチ演出が実行される変動パターンである。マルチモニタリーチ演出が実行される場合、演出図柄の変動表示中にノーマルリーチとなった後、演出表示装置９の表示画面内において恰も擬似的な複数のモニタ画面（以下、擬似モニタ画面）が分割表示されるような演出が実行され、それぞれの擬似モニタ画面内でスーパーリーチが実行されるような態様のリーチ演出が実行される。
【０１２１】
マルチＰＣ１−１の変動パターンが選択された場合には、ノーマルリーチとなった後、１つ目の擬似モニタ画面が分割表示されてその１つ目の擬似モニタ画面内でスーパーリーチＡが実行され、さらに２つ目の擬似モニタ画面が分割表示されてその２つ目の擬似モニタ画面内でスーパーリーチＢが実行され、変動時間が経過すると、最後に分割表示された２つ目の擬似モニタ画面内ではずれ図柄が確定表示する。
【０１２２】
マルチＰＣ１−２の変動パターンが選択された場合には、ノーマルリーチとなった後、１つ目の擬似モニタ画面が分割表示されてその１つ目の擬似モニタ画面内でスーパーリーチＡが実行され、次いで２つ目の擬似モニタ画面が分割表示されてその２つ目の擬似モニタ画面内でスーパーリーチＡが実行され、さらに３つ目の擬似モニタ画面が分割表示されてその３つ目の擬似モニタ画面内でスーパーリーチＢが実行され、変動時間が経過すると、最後に分割表示された３つ目の擬似モニタ画面内ではずれ図柄が確定表示する。
【０１２３】
マルチＰＣ１−３の変動パターンが選択された場合には、ノーマルリーチとなった後、１つ目の擬似モニタ画面が分割表示されてその１つ目の擬似モニタ画面内でスーパーリーチＡが実行され、次いで２つ目の擬似モニタ画面が分割表示されてその２つ目の擬似モニタ画面内でスーパーリーチＡが実行され、次いで３つ目の擬似モニタ画面が分割表示されてその３つ目の擬似モニタ画面内でスーパーリーチＡが実行され、さらに４つ目の擬似モニタ画面が分割表示されてその４つ目の擬似モニタ画面内でスーパーリーチＢが実行され、変動時間が経過すると、最後に分割表示された４つ目の擬似モニタ画面内ではずれ図柄が確定表示する。
【０１２４】
マルチＰＣ１−４の変動パターンが選択された場合には、ノーマルリーチとなった後、１つ目の擬似モニタ画面が分割表示されてその１つ目の擬似モニタ画面内でスーパーリーチＡが実行され、さらに２つ目の擬似モニタ画面が分割表示されてその２つ目の擬似モニタ画面内でスーパーリーチＢが実行され、変動時間が経過すると、最後に分割表示された２つ目の擬似モニタ画面内で大当り図柄が確定表示する。
【０１２５】
マルチＰＣ１−５の変動パターンが選択された場合には、ノーマルリーチとなった後、１つ目の擬似モニタ画面が分割表示されてその１つ目の擬似モニタ画面内でスーパーリーチＡが実行され、次いで２つ目の擬似モニタ画面が分割表示されてその２つ目の擬似モニタ画面内でスーパーリーチＡが実行され、さらに３つ目の擬似モニタ画面が分割表示されてその３つ目の擬似モニタ画面内でスーパーリーチＢが実行され、変動時間が経過すると、最後に分割表示された３つ目の擬似モニタ画面内で大当り図柄が確定表示する。
【０１２６】
マルチＰＣ１−６の変動パターンが選択された場合には、ノーマルリーチとなった後、１つ目の擬似モニタ画面が分割表示されてその１つ目の擬似モニタ画面内でスーパーリーチＡが実行され、次いで２つ目の擬似モニタ画面が分割表示されてその２つ目の擬似モニタ画面内でスーパーリーチＡが実行され、次いで３つ目の擬似モニタ画面が分割表示されてその３つ目の擬似モニタ画面内でスーパーリーチＡが実行され、さらに４つ目の擬似モニタ画面が分割表示されてその４つ目の擬似モニタ画面内でスーパーリーチＢが実行され、変動時間が経過すると、最後に分割表示された４つ目の擬似モニタ画面内で大当り図柄が確定表示する。
【０１２７】
なお、この実施の形態では、マルチモニタリーチ演出を伴う変動パターンを決定することによって、遊技制御用マイクロコンピュータ５６０側でマルチモニタリーチ演出の有無を決定する場合を示しているが、そのような処理態様にかぎられない。例えば、遊技制御用マイクロコンピュータ５６０側でマルチモニタリーチ演出の有無を決定するのではなく、演出制御用マイクロコンピュータ１００側で乱数にもとづく抽選処理を行い、マルチモニタリーチ演出を実行するか否かを決定するように構成してもよい。
【０１２８】
また、この実施の形態では、マルチモニタリーチ演出が実行される場合に、最後に分割表示される擬似モニタ画面内ではスーパーリーチＢが実行され、それより前に分割される擬似モニタ画面内ではスーパーリーチＡが実行される場合を示しているが、そのような態様にかぎられない。例えば、全ての擬似モニタ画面内でスーパーリーチＡを実行したりスーパーリーチＢを実行したりするなど、擬似モニタ画面間で実行する演出を統一してもよいし、ロングリーチや全回転リーチなどスーパーリーチ以外のリーチを実行する擬似モニタ画面があってもよい。
【０１２９】
また、例えば、同じ３つの擬似モニタ画面に分割表示してマルチモニタリーチ演出を実行する場合であっても、１つ目の擬似モニタ画面ではスーパーリーチＡを開始した後、２つ目の擬似モニタ画面では同じスーパーリーチＡを開始し、３つ目の擬似モニタ画面からスーパーリーチＢを開始する場合と、２つ目の擬似モニタ画面からスーパーリーチＢを開始する場合とがあるようにしてもよく、擬似モニタ画面の数が同じであっても、実行される演出のパターンが異なる場合があるように構成してもよい。
【０１３０】
上記のように、マルチモニタリーチ演出の実行態様として様々な態様が考えられる。
【０１３１】
なお、この実施の形態では、図６に示すように、リーチの種類に応じて変動時間が固定的に定められている場合（例えば、擬似連ありのスーパーリーチＡの場合には変動時間が３２．７５秒で固定であり、擬似連なしのスーパーリーチＡの場合には変動時間が２２．７５秒で固定である）を示しているが、例えば、同じ種類のスーパーリーチの場合であっても、合算保留記憶数に応じて、変動時間を異ならせるようにしてもよい。例えば、同じ種類のスーパーリーチを伴う場合であっても、合算保留記憶数が多くなるに従って、変動時間が短くなるようにしてもよい。また、例えば、同じ種類のスーパーリーチの場合であっても、第１特別図柄の変動表示を行う場合には、第１保留記憶数に応じて、変動時間を異ならせるようにしてもよく、第２特別図柄の変動表示を行う場合には、第２保留記憶数に応じて、変動時間を異ならせるようにしてもよい。この場合、第１保留記憶数や第２保留記憶数の値ごとに別々の判定テーブルを用意しておき（例えば、保留記憶数０〜２用の変動パターン種別判定テーブルと保留記憶数３，４用の変動パターン種別判定テーブルとを用意しておき）、第１保留記憶数または第２保留記憶数の値に応じて判定テーブルを選択して、変動時間を異ならせるようにしてもよい。
【０１３２】
図７は、各乱数を示す説明図である。各乱数は、以下のように使用される。
（１）ランダム１（ＭＲ１）：大当りの種類（後述する通常大当り、確変大当り、突然確変大当り）を決定する（大当り種別判定用）
（２）ランダム２（ＭＲ２）：変動パターンの種類（種別）を決定する（変動パターン種別判定用）
（３）ランダム３（ＭＲ３）：変動パターン（変動時間）を決定する（変動パターン判定用）
（４）ランダム４（ＭＲ４）：普通図柄にもとづく当りを発生させるか否か決定する（普通図柄当り判定用）
（５）ランダム５（ＭＲ５）：ランダム４の初期値を決定する（ランダム４初期値決定用）
【０１３３】
なお、この実施の形態では、変動パターンは、まず、変動パターン種別判定用乱数（ランダム２）を用いて変動パターン種別を決定し、変動パターン判定用乱数（ランダム３）を用いて、決定した変動パターン種別に含まれるいずれかの変動パターンに決定する。そのように、この実施の形態では、２段階の抽選処理によって変動パターンが決定される。
【０１３４】
なお、変動パターン種別とは、複数の変動パターンをその変動態様の特徴に従ってグループ化したものである。例えば、複数の変動パターンをリーチの種類でグループ化して、ノーマルリーチを伴う変動パターンを含む変動パターン種別と、スーパーリーチＡを伴う変動パターンを含む変動パターン種別と、スーパーリーチＢを伴う変動パターンを含む変動パターン種別とに分けてもよい。また、例えば、複数の変動パターンを擬似連の再変動の回数でグループ化して、擬似連を伴わない変動パターンを含む変動パターン種別と、再変動１回の変動パターンを含む変動パターン種別と、再変動２回の変動パターンを含む変動パターン種別と、再変動３回の変動パターンを含む変動パターン種別とに分けてもよい。また、例えば、複数の変動パターンを擬似連や滑り演出などの演出の有無でグループ化してもよい。
【０１３５】
図５に示された遊技制御処理におけるステップＳ２３では、遊技制御用マイクロコンピュータ５６０は、（１）の大当り種別判定用乱数、および（４）の普通図柄当り判定用乱数を生成するためのカウンタのカウントアップ（１加算）を行う。すなわち、それらが判定用乱数であり、それら以外の乱数が表示用乱数（ランダム２、ランダム３）または初期値用乱数（ランダム５）である。なお、遊技効果を高めるために、上記の乱数以外の乱数も用いてもよい。また、この実施の形態では、大当り判定用乱数として、遊技制御用マイクロコンピュータ５６０に内蔵されたハードウェア（遊技制御用マイクロコンピュータ５６０の外部のハードウェアでもよい。）が生成する乱数を用いる。なお、大当り判定用乱数として、ハードウェア乱数ではなく、ソフトウェア乱数を用いてもよい。
【０１３６】
図８（Ａ）は、大当り判定テーブルを示す説明図である。大当り判定テーブルとは、ＲＯＭ５４に記憶されているデータの集まりであって、ランダムＲと比較される大当り判定値が設定されているテーブルである。大当り判定テーブルには、通常状態（確変状態でない遊技状態）において用いられる通常時大当り判定テーブルと、確変状態において用いられる確変時大当り判定テーブルとがある。通常時大当り判定テーブルには、図８（Ａ）の左欄に記載されている各数値が設定され、確変時大当り判定テーブルには、図８（Ａ）の右欄に記載されている各数値が設定されている。図８（Ａ）に記載されている数値が大当り判定値である。
【０１３７】
図８（Ｂ），（Ｃ）は、小当り判定テーブルを示す説明図である。小当り判定テーブルとは、ＲＯＭ５４に記憶されているデータの集まりであって、ランダムＲと比較される小当り判定値が設定されているテーブルである。小当り判定テーブルには、第１特別図柄の変動表示を行うときに用いられる小当り判定テーブル（第１特別図柄用）と、第２特別図柄の変動表示を行うときに用いられる小当り判定テーブル（第２特別図柄用）とがある。小当り判定テーブル（第１特別図柄用）には、図８（Ｂ）に記載されている各数値が設定され、小当り判定テーブル（第２特別図柄用）には、図８（Ｃ）に記載されている各数値が設定されている。また、図８（Ｂ），（Ｃ）に記載されている数値が小当り判定値である。
【０１３８】
なお、第１特別図柄の変動表示を行う場合にのみ小当りと決定するようにし、第２特別図柄の変動表示を行う場合には小当りを設けないようにしてもよい。この場合、図８（Ｃ）に示す第２特別図柄用の小当り判定テーブルは設けなくてもよい。この実施の形態では、遊技状態が確変状態に移行されているときには主として第２特別図柄の変動表示が実行される。遊技状態が確変状態に移行されているときにも小当りが発生するようにし、確変となるか否かを煽る演出を行うように構成すると、現在の遊技状態が確変状態であるにもかかわらず却って遊技者に煩わしさを感じさせてしまう。そこで、第２特別図柄の変動表示中は小当りが発生しないように構成すれば、遊技状態が確変状態である場合には小当りが発生しにくくし必要以上に確変に対する煽り演出を行わないようにすることができ、遊技者に煩わしさを感じさせる事態を防止することができる。
【０１３９】
ＣＰＵ５６は、所定の時期に、乱数回路５３のカウント値を抽出して抽出値を大当り判定用乱数（ランダムＲ）の値とするのであるが、大当り判定用乱数値が図８（Ａ）に示すいずれかの大当り判定値に一致すると、特別図柄に関して大当り（後述する通常大当り、確変大当り、突然確変大当り）にすることに決定する。また、大当り判定用乱数値が図８（Ｂ），（Ｃ）に示すいずれかの小当り判定値に一致すると、特別図柄に関して小当りにすることに決定する。なお、図８（Ａ）に示す「確率」は、大当りになる確率（割合）を示す。また、図８（Ｂ），（Ｃ）に示す「確率」は、小当りになる確率（割合）を示す。また、大当りにするか否か決定するということは、大当り遊技状態に移行させるか否か決定するということであるが、第１特別図柄表示器８ａまたは第２特別図柄表示器８ｂにおける停止図柄を大当り図柄にするか否か決定するということでもある。また、小当りにするか否か決定するということは、小当り遊技状態に移行させるか否か決定するということであるが、第１特別図柄表示器８ａまたは第２特別図柄表示器８ｂにおける停止図柄を小当り図柄にするか否か決定するということでもある。
【０１４０】
なお、この実施の形態では、図８（Ｂ），（Ｃ）に示すように、小当り判定テーブル（第１特別図柄用）を用いる場合には３００分の１の割合で小当りと決定されるのに対して、小当り判定テーブル（第２特別図柄）を用いる場合には３０００分の１の割合で小当りと決定される場合を説明する。従って、この実施の形態では、第１始動入賞口１３に始動入賞して第１特別図柄の変動表示が実行される場合には、第２始動入賞口１４に始動入賞して第２特別図柄の変動表示が実行される場合と比較して、「小当り」と決定される割合が高い。
【０１４１】
図８（Ｄ），（Ｅ）は、ＲＯＭ５４に記憶されている大当り種別判定テーブル１３１ａ，１３１ｂを示す説明図である。このうち、図８（Ｄ）は、遊技球が第１始動入賞口１３に入賞したことにもとづく保留記憶を用いて（すなわち、第１特別図柄の変動表示が行われるとき）大当り種別を決定する場合の大当り種別判定テーブル（第１特別図柄用）１３１ａである。また、図８（Ｅ）は、遊技球が第２始動入賞口１４に入賞したことにもとづく保留記憶を用いて（すなわち、第２特別図柄の変動表示が行われるとき）大当り種別を決定する場合の大当り種別判定テーブル（第２特別図柄用）１３１ｂである。
【０１４２】
大当り種別判定テーブル１３１ａ，１３１ｂは、可変表示結果を大当り図柄にする旨の判定がなされたときに、大当り種別判定用の乱数（ランダム１）にもとづいて、大当りの種別を「通常大当り」、「確変大当り」、「突然確変大当り」のうちのいずれかに決定するために参照されるテーブルである。なお、この実施の形態では、図８（Ｄ），（Ｅ）に示すように、大当り種別判定テーブル１３１ａには「突然確変大当り」に対して８個の判定値が割り当てられている（４０分の８の割合で突然確変大当りと決定される）のに対して、大当り種別判定テーブル１３１ｂには「突然確変大当り」に対して２個の判定値が割り当てられている（４０分の２の割合で突然確変大当りと決定される）場合を説明する。従って、この実施の形態では、第１始動入賞口１３に始動入賞して第１特別図柄の変動表示が実行される場合には、第２始動入賞口１４に始動入賞して第２特別図柄の変動表示が実行される場合と比較して、「突然確変大当り」と決定される割合が高い。なお、第１特別図柄用の大当り種別判定テーブル１３１ａにのみ「突然確変大当り」を振り分けるようにし、第２特別図柄用の大当り種別判定テーブル１３１ｂには「突然確変大当り」の振り分けを行わない（すなわち、第１特別図柄の変動表示を行う場合にのみ、「突然確変大当り」と決定される場合がある）ようにしてもよい。
【０１４３】
なお、この実施の形態では、図８（Ｄ），（Ｅ）に示すように、所定量の遊技価値を付与する第１特定遊技状態としての突然確変大当り（２ラウンドの大当り）と、該遊技価値よりも多い量の遊技価値を付与する第２特定遊技状態としての通常大当りおよび確変大当り（１５ラウンドの大当り）とに決定する場合があるとともに、第１特別図柄の変動表示が実行される場合に高い割合で第１特定遊技状態とすることに決定する場合を示しているが、付与される遊技価値は、この実施の形態で示したようなラウンド数に限られない。例えば、第１特定遊技状態と比較して、遊技価値として１ラウンドあたりの大入賞口への遊技球の入賞数（カウント数）の許容量を多くした第２特定遊技状態を決定するようにしてもよい。また、例えば、第１特定遊技状態と比較して、遊技価値として大当り中の１回あたりの大入賞口の開放時間を長くした第２特定遊技状態を決定するようにしてもよい。また、例えば、同じ１５ラウンドの大当りであっても、１ラウンドあたり大入賞口を１回開放する第１特定遊技状態と、１ラウンドあたり大入賞口を複数回開放する第２特定遊技状態とを用意し、大入賞口の開放回数が実質的に多くなるようにして第２特定遊技状態の遊技価値を高めるようにしてもよい。この場合、例えば、第１特定遊技状態または第２特定遊技状態いずれの場合であっても、大入賞口を１５回開放したときに（この場合、第１特定遊技状態の場合には１５ラウンド全てを終了し、第２特定遊技状態の場合には未消化のラウンドが残っていることになる）、大当りがさらに継続するか否かを煽るような態様の演出を実行するようにしてもよい。そして、第１特定遊技状態の場合には内部的に１５ラウンド全てを終了していることから大当り遊技を終了し、第２特定遊技状態の場合には内部的に未消化のラウンドが残っていることから、大当り遊技が継続する（恰も１５回開放の大当りを終了した後にさらにボーナスで大入賞口の開放が追加で始まったような演出）ようにしてもよい。
【０１４４】
この実施の形態では、図８（Ｄ），（Ｅ）に示すように、大当り種別として、「通常大当り」、「確変大当り」および「突然確変大当り」がある。なお、この実施の形態では、大当り遊技において実行されるラウンド数が１５ラウンドおよび２ラウンドの２種類である場合を示しているが、大当り遊技において実行されるラウンド数は、この実施の形態で示したものに限られない。例えば、７ラウンドの大当り遊技に制御する７Ｒ確変大当りや、５ラウンドの大当り遊技に制御する５Ｒ確変大当りが設けられていてもよい。また、この実施の形態では、大当り種別が「通常大当り」、「確変大当り」および「突然確変大当り」の３種類である場合を示しているが、３種類にかぎらず、例えば、４種類以上の大当り種別を設けるようにしてもよい。また、逆に、大当り種別が３種類よりも少なくてもよく、例えば、大当り種別として２種類のみ設けられていてもよい。
【０１４５】
「通常大当り」とは、１５ラウンドの大当り遊技状態に制御し、その大当り遊技状態の終了後に時短状態（高ベース状態）に移行させる大当りである（後述するステップＳ１６７，１６８参照）。そして、時短状態に移行した後、変動表示を１００回終了すると時短状態が終了する（後述するステップＳ１６８，Ｓ１３７〜１４０参照）。なお、この実施の形態では、時短状態に移行した後、１００回の変動表示の実行を終了する前に大当りが発生した場合にも、時短状態が終了する（後述するステップＳ１３２参照）。
【０１４６】
「確変大当り」とは、１５ラウンドの大当り遊技状態に制御し、その大当り遊技状態の終了後に確変状態（高確率状態）に移行させる大当りである（この実施の形態では確変状態に移行されるとともに時短状態（高ベース状態）にも移行される。後述するステップＳ１６９，Ｓ１７０参照）。そして、確変状態に移行した後、次の大当りが発生するまで確変状態が維持される（後述するステップＳ１３２参照）。
【０１４７】
また、「突然確変大当り」とは、「通常大当り」や「確変大当り」と比較して大入賞口の開放回数が少ない回数（この実施の形態では０．１秒間の開放を２回）まで許容される大当りである。すなわち、「突然確変大当り」となった場合には、２ラウンドの大当り遊技状態に制御される。また、「通常大当り」や「確変大当り」では、１ラウンドあたりの大入賞口の開放時間が２９秒と長いのに対して、「突然確変大当り」では１ラウンドあたりの大入賞口の開放時間が０．１秒と極めて短く、大当り遊技中に大入賞口に遊技球が入賞することは殆ど期待できない。そして、この実施の形態では、その突然確変大当り遊技状態の終了後に確変状態（高確率状態）に移行される（この実施の形態では、確変状態に移行されるとともに時短状態（高ベース状態）にも移行される。後述するステップＳ１６９，Ｓ１７０参照）。そして、確変状態に移行した後、次の大当りが発生するまで確変状態が維持される（後述するステップＳ１３２参照）。
【０１４８】
なお、前述したように、この実施の形態では、「小当り」となった場合にも、大入賞口の開放が０．１秒間ずつ２回行われ、「突然確変大当り」による大当り遊技状態と同様の制御が行われる。そして、「小当り」となった場合には、大入賞口の２回の開放が終了した後、遊技状態は変化せず、「小当り」となる前の遊技状態が維持される。そのようにすることによって、「突然確変大当り」であるか「小当り」であるかを認識できないようにし、遊技の興趣を向上させている。
【０１４９】
大当り種別判定テーブル１３１ａ，１３１ｂには、ランダム１の値と比較される数値であって、「通常大当り」、「確変大当り」、「突然確変大当り」のそれぞれに対応した判定値（大当り種別判定値）が設定されている。ＣＰＵ５６は、ランダム１の値が大当り種別判定値のいずれかに一致した場合に、大当りの種別を、一致した大当り種別判定値に対応する種別に決定する。
【０１５０】
図９および図１０は、遊技制御用マイクロコンピュータ５６０が送信する演出制御コマンドの内容の一例を示す説明図である。図９および図１０に示す例において、コマンド８０ＸＸ（Ｈ）は、特別図柄の可変表示に対応して演出表示装置９において可変表示される演出図柄の変動パターンを指定する演出制御コマンド（変動パターンコマンド）である（それぞれ変動パターンＸＸに対応）。つまり、図６に示された使用されうる変動パターンのそれぞれに対して一意な番号を付した場合に、その番号で特定される変動パターンのそれぞれに対応する変動パターンコマンドがある。なお、「（Ｈ）」は１６進数であることを示す。また、変動パターンを指定する演出制御コマンドは、変動開始を指定するためのコマンドでもある。従って、演出制御用マイクロコンピュータ１００は、コマンド８０ＸＸ（Ｈ）を受信すると、演出表示装置９において演出図柄の可変表示を開始するように制御する。
【０１５１】
コマンド８Ｃ０１（Ｈ）〜８Ｃ０５（Ｈ）は、大当りとするか否か、小当りとするか否か、および大当り種別を示す演出制御コマンドである。演出制御用マイクロコンピュータ１００は、コマンド８Ｃ０１（Ｈ）〜８Ｃ０５（Ｈ）の受信に応じて演出図柄の表示結果を決定するので、コマンド８Ｃ０１（Ｈ）〜８Ｃ０５（Ｈ）を表示結果指定コマンドという。
【０１５２】
コマンド８Ｄ０１（Ｈ）は、第１特別図柄の可変表示（変動）を開始することを示す演出制御コマンド（第１図柄変動指定コマンド）である。コマンド８Ｄ０２（Ｈ）は、第２特別図柄の可変表示（変動）を開始することを示す演出制御コマンド（第２図柄変動指定コマンド）である。第１図柄変動指定コマンドと第２図柄変動指定コマンドとを特別図柄特定コマンド（または図柄変動指定コマンド）と総称することがある。なお、第１特別図柄の可変表示を開始するのか第２特別図柄の可変表示を開始するのかを示す情報を、変動パターンコマンドに含めるようにしてもよい。
【０１５３】
コマンド８Ｆ００（Ｈ）は、第４図柄の可変表示（変動）を終了して表示結果（停止図柄）を導出表示することを示す演出制御コマンド（図柄確定指定コマンド）である。演出制御用マイクロコンピュータ１００は、図柄確定指定コマンドを受信すると、第４図柄の可変表示（変動）を終了して表示結果を導出表示する。
【０１５４】
コマンド９０００（Ｈ）は、遊技機に対する電力供給が開始されたときに送信される演出制御コマンド（初期化指定コマンド：電源投入指定コマンド）である。コマンド９２００（Ｈ）は、遊技機に対する電力供給が再開されたときに送信される演出制御コマンド（停電復旧指定コマンド）である。遊技制御用マイクロコンピュータ５６０は、遊技機に対する電力供給が開始されたときに、バックアップＲＡＭにデータが保存されている場合には、停電復旧指定コマンドを送信し、そうでない場合には、初期化指定コマンドを送信する。
【０１５５】
コマンド９Ｆ００（Ｈ）は、客待ちデモンストレーションを指定する演出制御コマンド（客待ちデモ指定コマンド）である。
【０１５６】
コマンドＡ００１〜Ａ００３（Ｈ）は、ファンファーレ画面を表示すること、すなわち大当り遊技の開始を指定する演出制御コマンド（大当り開始指定コマンド：ファンファーレ指定コマンド）である。この実施の形態では、大当りの種類に応じて、大当り開始１指定コマンド、大当り開始２指定コマンド、または小当り／突然確変大当り開始指定コマンドが用いられる。具体的には、「通常大当り」である場合には大当り開始１指定コマンド（Ａ００１（Ｈ））が用いられ、「通常大当り」である場合には大当り開始２指定コマンド（Ａ００２（Ｈ））が用いられ、「突然確変大当り」や「小当り」である場合には小当り／突然確変大当り開始指定コマンド（Ａ００３（Ｈ））が用いられる。なお、遊技制御用マイクロコンピュータ５６０は、突然大当りである場合に突然確変大当り開始指定用のファンファーレ指定コマンドを送信するものの、小当りである場合にはファンファーレ指定コマンドを送信しないように構成してもよい。
【０１５７】
コマンドＡ１ＸＸ（Ｈ）は、ＸＸで示す回数目（ラウンド）の大入賞口開放中の表示を示す演出制御コマンド（大入賞口開放中指定コマンド）である。なお、大入賞口開放中指定コマンドはラウンドごとにそのラウンドを指定する値がＥＸＴデータに設定されて送信されるので、ラウンドごとに異なる大入賞口開放中指定コマンドが送信される。例えば、大当り遊技中の第１ラウンドを実行する際には、ラウンド１を指定する大入賞口開放中指定コマンド（Ａ１０１（Ｈ））が送信され、大当り遊技中の第１０ラウンドを実行する際には、ラウンド１０を指定する大入賞口開放中指定コマンド（Ａ１０Ａ（Ｈ））が送信される。Ａ２ＸＸ（Ｈ）は、ＸＸで示す回数目（ラウンド）の大入賞口閉鎖を示す演出制御コマンド（大入賞口開放後指定コマンド）である。なお、大入賞口開放後指定コマンドはラウンドごとにそのラウンドを指定する値がＥＸＴデータに設定されて送信されるので、ラウンドごとに異なる大入賞口開放後指定コマンドが送信される。例えば、大当り遊技中の第１ラウンドを終了する際には、ラウンド１を指定する大入賞口開放後指定コマンド（Ａ２０１（Ｈ））が送信され、大当り遊技中の第１０ラウンドを終了する際には、ラウンド１０を指定する大入賞口開放後指定コマンド（Ａ３０Ａ（Ｈ））が送信される。
【０１５８】
コマンドＡ３０１（Ｈ）は、大当り終了画面を表示すること、すなわち大当り遊技の終了を指定する演出制御コマンド（大当り終了１指定コマンド：エンディング１指定コマンド）である。なお、大当り終了１指定コマンド（Ａ３０１（Ｈ））は、「通常大当り」による大当り遊技を終了する場合に用いられる。コマンドＡ３０２（Ｈ）は、大当り終了画面を表示すること、すなわち大当り遊技の終了を指定する演出制御コマンド（大当り終了２指定コマンド：エンディング２指定コマンド）である。なお、大当り終了２指定コマンド（Ａ３０２（Ｈ））は、「確変大当り」による大当り遊技を終了する場合に用いられる。コマンドＡ３０３（Ｈ）は、小当りの遊技の終了または突然確変大当りの遊技の終了を指定する演出制御コマンド（小当り／突然確変大当り終了指定コマンド：エンディング３指定コマンド）である。なお、遊技制御用マイクロコンピュータ５６０は、突然確変大当りである場合に突然確変大当り終了指定用のエンディング指定コマンドを送信するものの、小当りである場合にはエンディング指定コマンドを送信しないように構成してもよい。
【０１５９】
コマンドＢ０００（Ｈ）は、遊技状態が通常状態であるときの背景表示を指定する演出制御コマンド（通常状態背景指定コマンド）である。コマンドＢ００１（Ｈ）は、遊技状態が時短状態であるときの背景表示を指定する演出制御コマンド（時短状態背景指定コマンド）である。コマンドＢ００２（Ｈ）は、遊技状態が確変状態であるときの背景表示を指定する演出制御コマンド（確変状態背景指定コマンド）である。
【０１６０】
コマンドＣ０００（Ｈ）は、第１保留記憶数が１増加したことを指定する演出制御コマンド（第１保留記憶数加算指定コマンド）である。コマンドＣ１００（Ｈ）は、第２保留記憶数が１増加したことを指定する演出制御コマンド（第２保留記憶数加算指定コマンド）である。コマンドＣ２００（Ｈ）は、第１保留記憶数が１減少したことを指定する演出制御コマンド（第１保留記憶数減算指定コマンド）である。コマンドＣ３００（Ｈ）は、第２保留記憶数が１減少したことを指定する演出制御コマンド（第２保留記憶数減算指定コマンド）である。
【０１６１】
なお、この実施の形態では、保留記憶情報として、第１保留記憶数と第２保留記憶数とについて、それぞれ保留記憶数が増加または減少したことを示す演出制御コマンド（第１保留記憶数加算指定コマンド、第２保留記憶数加算指定コマンド）を送信する場合を示しているが、保留記憶情報の形態は、この実施の形態で示したものにかぎらず、例えば、以下のような態様の保留記憶情報を送信するようにしてもよい。
【０１６２】
（１）保留記憶情報として、１つのコマンドのみを送信し、その１つのコマンドにおいて、第１保留記憶と第２保留記憶とのいずれが増加したかを指定するとともに、増加した方の保留記憶数（第１保留記憶数または第２保留記憶数）をＥＸＴデータとして設定して送信するようにしてもよい。
【０１６３】
（２）保留記憶情報として、１つのコマンドのみを送信し、その１つのコマンドにおいて、第１保留記憶と第２保留記憶とのいずれが増加したかを指定するとともに、合算保留記憶数をＥＸＴデータとして設定して送信するようにしてもよい。
【０１６４】
（３）保留記憶情報として、第１始動入賞口１３と第２始動入賞口１４とのいずれに始動入賞したか（第１保留記憶と第２保留記憶とのいずれが増加したか）を指定する演出制御コマンド（第１始動入賞指定コマンド、第２始動入賞指定コマンド）を送信するとともに、それとは別に保留記憶数を指定する保留記憶数指定コマンドを送信するようにし、その保留記憶数指定コマンドにおいて合算保留記憶数をＥＸＴデータとして設定して送信するようにしてもよい。
【０１６５】
（４）保留記憶情報として、第１始動入賞口１３と第２始動入賞口１４とのいずれに始動入賞したか（第１保留記憶と第２保留記憶とのいずれが増加したか）を指定する演出制御コマンド（第１始動入賞指定コマンド、第２始動入賞指定コマンド）を送信するとともに、それとは別に保留記憶数を指定する保留記憶数指定コマンドを送信するようにし、その保留記憶数指定コマンドにおいて増加した方の保留記憶数（第１保留記憶数または第２保留記憶数）をＥＸＴデータとして設定して送信するようにしてもよい。
【０１６６】
演出制御基板８０に搭載されている演出制御用マイクロコンピュータ１００（具体的には、演出制御用ＣＰＵ１０１）は、主基板３１に搭載されている遊技制御用マイクロコンピュータ５６０から上述した演出制御コマンドを受信すると、図９および図１０に示された内容に応じて演出表示装置９の表示状態を変更したり、ランプの表示状態を変更したり、音声出力基板７０に対して音番号データを出力したりする。
【０１６７】
例えば、遊技制御用マイクロコンピュータ５６０は、始動入賞があり第１特別図柄表示器８ａまたは第２特別図柄表示器８ｂにおいて特別図柄の可変表示が開始される度に、演出図柄の変動パターンを指定する変動パターンコマンドおよび表示結果指定コマンドを演出制御用マイクロコンピュータ１００に送信する。
【０１６８】
この実施の形態では、演出制御コマンドは２バイト構成であり、１バイト目はＭＯＤＥ（コマンドの分類）を表し、２バイト目はＥＸＴ（コマンドの種類）を表す。ＭＯＤＥデータの先頭ビット（ビット７）は必ず「１」に設定され、ＥＸＴデータの先頭ビット（ビット７）は必ず「０」に設定される。なお、そのようなコマンド形態は一例であって他のコマンド形態を用いてもよい。例えば、１バイトや３バイト以上で構成される制御コマンドを用いてもよい
【０１６９】
なお、演出制御コマンドの送出方式として、演出制御信号ＣＤ０〜ＣＤ７の８本のパラレル信号線で１バイトずつ主基板３１から中継基板７７を介して演出制御基板８０に演出制御コマンドデータを出力し、演出制御コマンドデータの他に、演出制御コマンドデータの取込を指示するパルス状（矩形波状）の取込信号（演出制御ＩＮＴ信号）を出力する方式を用いる。演出制御コマンドの８ビットの演出制御コマンドデータは、演出制御ＩＮＴ信号に同期して出力される。演出制御基板８０に搭載されている演出制御用マイクロコンピュータ１００は、演出制御ＩＮＴ信号が立ち上がったことを検知して、割込処理によって１バイトのデータの取り込み処理を開始する。
【０１７０】
図９および図１０に示す例では、変動パターンコマンドおよび表示結果指定コマンドを、第１特別図柄表示器８ａでの第１特別図柄の変動に対応した演出図柄の可変表示（変動）と第２特別図柄表示器８ｂでの第２特別図柄の変動に対応した演出図柄の可変表示（変動）とで共通に使用でき、第１特別図柄および第２特別図柄の可変表示に伴って演出を行う画像表示装置９などの演出用部品を制御する際に、遊技制御用マイクロコンピュータ５６０から演出制御用マイクロコンピュータ１００に送信されるコマンドの種類を増大させないようにすることができる。
【０１７１】
図１１および図１２は、主基板３１に搭載される遊技制御用マイクロコンピュータ５６０（具体的には、ＣＰＵ５６）が実行する特別図柄プロセス処理（ステップＳ２６）のプログラムの一例を示すフローチャートである。上述したように、特別図柄プロセス処理では第１特別図柄表示器８ａまたは第２特別図柄表示器８ｂおよび大入賞口を制御するための処理が実行される。特別図柄プロセス処理において、ＣＰＵ５６は、第１始動入賞口１３に遊技球が入賞したことを検出するための第１始動口スイッチ１３ａがオンしていたら、すなわち、第１始動入賞口１３への始動入賞が発生していたら、第１始動口スイッチ通過処理を実行する（ステップＳ３１１，Ｓ３１２）。また、ＣＰＵ５６は、第２始動入賞口１４に遊技球が入賞したことを検出するための第２始動口スイッチ１４ａがオンしていたら、すなわち第２始動入賞口１４への始動入賞が発生していたら、第２始動口スイッチ通過処理を実行する（ステップＳ３１３，Ｓ３１４）。そして、ステップＳ３００〜Ｓ３１０のうちのいずれかの処理を行う。第１始動入賞口スイッチ１３ａまたは第２始動口スイッチ１４ａがオンしていなければ、内部状態に応じて、ステップＳ３００〜Ｓ３１０のうちのいずれかの処理を行う。
【０１７２】
ステップＳ３００〜Ｓ３１０の処理は、以下のような処理である。
【０１７３】
特別図柄通常処理（ステップＳ３００）：特別図柄プロセスフラグの値が０であるときに実行される。遊技制御用マイクロコンピュータ５６０は、特別図柄の可変表示が開始できる状態になると、保留記憶バッファに記憶される数値データの記憶数（合算保留記憶数）を確認する。保留記憶バッファに記憶される数値データの記憶数は合算保留記憶数カウンタのカウント値により確認できる。また、合算保留記憶数カウンタのカウント値が０でなければ、第１特別図柄または第２特別図柄の可変表示の表示結果を大当りとするか否かを決定する。大当りとする場合には大当りフラグをセットする。そして、内部状態（特別図柄プロセスフラグ）をステップＳ３０１に応じた値（この例では１）に更新する。なお、大当りフラグは、大当り遊技が終了するときにリセットされる。
【０１７４】
変動パターン設定処理（ステップＳ３０１）：特別図柄プロセスフラグの値が１であるときに実行される。また、変動パターンを決定し、その変動パターンにおける変動時間（可変表示時間：可変表示を開始してから表示結果を導出表示（停止表示）するまでの時間）を特別図柄の可変表示の変動時間とすることに決定する。また、決定した変動パターンに応じた変動パターンコマンドを演出制御用マイクロコンピュータ１００に送信する制御を行い、特別図柄の変動時間を計測する変動時間タイマをスタートさせる。そして、内部状態（特別図柄プロセスフラグ）をステップＳ３０２に対応した値（この例では２）に更新する。
【０１７５】
表示結果指定コマンド送信処理（ステップＳ３０２）：特別図柄プロセスフラグの値が２であるときに実行される。演出制御用マイクロコンピュータ１００に、表示結果指定コマンドを送信する制御を行う。そして、内部状態（特別図柄プロセスフラグ）をステップＳ３０３に対応した値（この例では３）に更新する。
【０１７６】
特別図柄変動中処理（ステップＳ３０３）：特別図柄プロセスフラグの値が３であるときに実行される。変動パターン設定処理で選択された変動パターンの変動時間が経過（ステップＳ３０１でセットされる変動時間タイマがタイムアウトすなわち変動時間タイマの値が０になる）すると、演出制御用マイクロコンピュータ１００に、図柄確定指定コマンドを送信する制御を行い、内部状態（特別図柄プロセスフラグ）をステップＳ３０４に対応した値（この例では４）に更新する。なお、演出制御用マイクロコンピュータ１００は、遊技制御用マイクロコンピュータ５６０が送信する図柄確定指定コマンドを受信すると演出表示装置９において第４図柄が停止されるように制御する。
【０１７７】
特別図柄停止処理（ステップＳ３０４）：特別図柄プロセスフラグの値が４であるときに実行される。大当りフラグがセットされている場合に、内部状態（特別図柄プロセスフラグ）をステップＳ３０５に対応した値（この例では５）に更新する。また、小当りフラグがセットされている場合には、内部状態（特別図柄プロセスフラグ）をステップＳ３０８に対応した値（この例では８）に更新する。大当りフラグおよび小当りフラグのいずれもセットされていない場合には、内部状態（特別図柄プロセスフラグ）をステップＳ３００に対応した値（この例では０）に更新する。なお、この実施の形態では、特別図柄プロセスフラグの値が４となったことにもとづいて、後述するように、特別図柄表示制御処理において特別図柄の停止図柄を停止表示するための特別図柄表示制御データが特別図柄表示制御データ設定用の出力バッファに設定され（図２２参照）、ステップＳ２２の表示制御処理において出力バッファの設定内容に応じて実際に特別図柄の停止図柄が停止表示される。
【０１７８】
大入賞口開放前処理（ステップＳ３０５）：特別図柄プロセスフラグの値が５であるときに実行される。大入賞口開放前処理では、大入賞口を開放する制御を行う。具体的には、カウンタ（例えば、大入賞口に入った遊技球数をカウントするカウンタ）などを初期化するとともに、ソレノイド２１を駆動して大入賞口を開放状態にする。また、大入賞口開放中指定コマンドを演出制御用マイクロコンピュータ１００に送信する制御を行うとともに、タイマによって大入賞口開放中処理の実行時間を設定し、内部状態（特別図柄プロセスフラグ）をステップＳ３０６に対応した値（この例では６）に更新する。なお、大入賞口開放前処理はラウンド毎に実行されるが、第１ラウンドを開始する場合には、大入賞口開放前処理は大当り遊技を開始する処理でもある。また、大入賞口開放中指定コマンドはラウンドごとにそのラウンドを指定する値がＥＸＴデータに設定されて送信されるので、ラウンドごとに異なる大入賞口開放中指定コマンドが送信される。例えば、大当り遊技中の第１ラウンドを実行する際には、ラウンド１を指定する大入賞口開放中指定コマンド（Ａ１０１（Ｈ））が送信され、大当り遊技中の第１０ラウンドを実行する際には、ラウンド１０を指定する大入賞口開放中指定コマンド（Ａ１０Ａ（Ｈ））が送信される。
【０１７９】
大入賞口開放中処理（ステップＳ３０６）：特別図柄プロセスフラグの値が６であるときに実行される。大入賞口開放中処理では、大入賞口の閉成条件の成立を確認する処理等を行う。大入賞口の閉成条件が成立し、かつ、まだ残りラウンドがある場合には、内部状態（特別図柄プロセスフラグ）をステップＳ３０５に対応した値（この例では５）に更新する。また、大当り中開放後指定コマンドを演出制御用マイクロコンピュータ１００に送信する制御を行うとともに、全てのラウンドを終えた場合には、内部状態（特別図柄プロセスフラグ）をステップＳ３０７に対応した値（この例では７）に更新する。
【０１８０】
大当り終了処理（ステップＳ３０７）：特別図柄プロセスフラグの値が７であるときに実行される。大当り遊技状態が終了したことを遊技者に報知する表示制御を演出制御用マイクロコンピュータ１００に行わせるための制御を行う。また、遊技状態を示すフラグ（例えば、確変フラグや時短フラグ）をセットする処理を行う。そして、内部状態（特別図柄プロセスフラグ）をステップＳ３００に対応した値（この例では０）に更新する。
【０１８１】
小当り開放前処理（ステップＳ３０８）：特別図柄プロセスフラグの値が８であるときに実行される。小当り開放前処理では、大入賞口を開放する制御を行う。具体的には、カウンタ（例えば、大入賞口に入った遊技球数をカウントするカウンタ）などを初期化するとともに、ソレノイド２１を駆動して大入賞口を開放状態にする。また、タイマによって大入賞口開放中処理の実行時間を設定し、内部状態（特別図柄プロセスフラグ）をステップＳ３０９に対応した値（この例では９）に更新する。なお、小当り開放前処理は小当り遊技中の大入賞口の開放毎に実行されるが、小当り遊技中の最初の開放を開始する場合には、小当り開放前処理は小当り遊技を開始する処理でもある。
【０１８２】
小当り開放中処理（ステップＳ３０９）：特別図柄プロセスフラグの値が９であるときに実行される。大入賞口の閉成条件の成立を確認する処理等を行う。大入賞口の閉成条件が成立し、かつ、まだ大入賞口の開放回数が残っている場合には、内部状態（特別図柄プロセスフラグ）をステップＳ３０８に対応した値（この例では８）に更新する。また、全ての開放を終えた場合には、内部状態（特別図柄プロセスフラグ）をステップＳ３１０に対応した値（この例では１０）に更新する。
【０１８３】
小当り終了処理（ステップＳ３１０）：特別図柄プロセスフラグの値が１０であるときに実行される。小当り遊技状態が終了したことを遊技者に報知する表示制御を演出制御用マイクロコンピュータ１００に行わせるための制御を行う。そして、内部状態（特別図柄プロセスフラグ）をステップＳ３００に対応した値（この例では０）に更新する。
【０１８４】
図１３は、ステップＳ３１２，Ｓ３１４の始動口スイッチ通過処理を示すフローチャートである。このうち、図１３（Ａ）は、ステップＳ３１２の第１始動口スイッチ通過処理を示すフローチャートである。また、図１３（Ｂ）は、ステップＳ３１４の第２始動口スイッチ通過処理を示すフローチャートである。
【０１８５】
まず、図１３（Ａ）を参照して第１始動口スイッチ通過処理について説明する。第１始動口スイッチ１３ａがオン状態の場合に実行される第１始動口スイッチ通過処理において、ＣＰＵ５６は、まず、第１保留記憶数が上限値に達しているか否か（具体的には、第１保留記憶数をカウントするための第１保留記憶数カウンタの値が４でるか否か）を確認する（ステップＳ１２１１Ａ）。第１保留記憶数が上限値に達していれば、そのまま処理を終了する。
【０１８６】
第１保留記憶数が上限値に達していなければ、ＣＰＵ５６は、第１保留記憶数カウンタの値を１増やす（ステップＳ１２１２Ａ）とともに、合算保留記憶数をカウントするための合算保留記憶数カウンタの値を１増やす（ステップＳ１２１３Ａ）。次いで、ＣＰＵ５６は、乱数回路５３やソフトウェア乱数を生成するためのカウンタから値を抽出し、それらを、第１保留記憶バッファ（図１４参照）における保存領域に格納する処理を実行する（ステップＳ１２１４Ａ）。なお、ステップＳ１２１４Ａの処理では、ハードウェア乱数であるランダムＲ（大当り判定用乱数）や、ソフトウェア乱数である大当り種別判定用乱数（ランダム１）、変動パターン種別判定用乱数（ランダム２）および変動パターン判定用乱数（ランダム３）が抽出され、保存領域に格納される。なお、変動パターン判定用乱数（ランダム３）を第１始動口スイッチ通過処理（始動入賞時）において抽出して保存領域にあらかじめ格納しておくのではなく、第１特別図柄の変動開始時に抽出するようにしてもよい。例えば、遊技制御用マイクロコンピュータ５６０は、後述する変動パターン設定処理において、変動パターン判定用乱数（ランダム３）を生成するための変動パターン判定用乱数カウンタから値を直接抽出するようにしてもよい。
【０１８７】
図１４は、保留記憶に対応する乱数等を保存する領域（保留記憶バッファ）の構成例を示す説明図である。図１４に示すように、第１保留記憶バッファには、第１保留記憶数の上限値（この例では４）に対応した保存領域が確保されている。また、第２保留記憶バッファには、第２保留記憶数の上限値（この例では４）に対応した保存領域が確保されている。この実施の形態では、第１保留記憶バッファおよび第２保留記憶バッファには、ハードウェア乱数であるランダムＲ（大当り判定用乱数）や、ソフトウェア乱数である大当り種別判定用乱数（ランダム１）、変動パターン種別判定用乱数（ランダム２）および変動パターン判定用乱数（ランダム３）が記憶される。なお、第１保留記憶バッファおよび第２保留記憶バッファは、ＲＡＭ５５に形成されている。
【０１８８】
なお、この実施の形態では、大当り判定用乱数などの乱数値を保留記憶として第１保留記憶バッファおよび第２保留記憶バッファに記憶する場合を示しているが、保留記憶として記憶する所定の情報は乱数値にかぎられない。例えば、大当り判定用乱数などにもとづいて大当りや小当りとするか否かをあらかじめ決定しておき、その決定結果を保留記憶として第１保留記憶バッファおよび第２保留記憶バッファに記憶してもよい。
【０１８９】
そして、ＣＰＵ５６は、第１保留記憶数加算指定コマンドを演出制御用マイクロコンピュータ１００に送信する制御を行う（ステップＳ１２１５Ａ）。
【０１９０】
次に、図１３（Ｂ）を参照して第２始動口スイッチ通過処理について説明する。第２始動口スイッチ１４ａがオン状態の場合に実行される第２始動口スイッチ通過処理において、ＣＰＵ５６は、第２保留記憶数が上限値に達しているか否か（具体的には、第２保留記憶数をカウントするための第２保留記憶数カウンタの値が４でるか否か）を確認する（ステップＳ１２１１Ｂ）。第２保留記憶数が上限値に達していれば、そのまま処理を終了する。
【０１９１】
第２保留記憶数が上限値に達していなければ、ＣＰＵ５６は、第２保留記憶数カウンタの値を１増やす（ステップＳ１２１２Ｂ）とともに、合算保留記憶数をカウントするための合算保留記憶数カウンタの値を１増やす（ステップＳ１２１３Ｂ）。次いで、ＣＰＵ５６は、乱数回路５３やソフトウェア乱数を生成するためのカウンタから値を抽出し、それらを、第２保留記憶バッファ（図１４参照）における保存領域に格納する処理を実行する（ステップＳ１２１４Ｂ）。なお、ステップＳ１２１４Ｂの処理では、ハードウェア乱数であるランダムＲ（大当り判定用乱数）や、ソフトウェア乱数である大当り種別判定用乱数（ランダム１）、変動パターン種別判定用乱数（ランダム２）および変動パターン判定用乱数（ランダム３）が抽出され、保存領域に格納される。なお、変動パターン判定用乱数（ランダム３）を第２始動口スイッチ通過処理（始動入賞時）において抽出して保存領域にあらかじめ格納しておくのではなく、第２特別図柄の変動開始時に抽出するようにしてもよい。例えば、遊技制御用マイクロコンピュータ５６０は、後述する変動パターン設定処理において、変動パターン判定用乱数（ランダム３）を生成するための変動パターン判定用乱数カウンタから値を直接抽出するようにしてもよい。
【０１９２】
そして、ＣＰＵ５６は、第２保留記憶数加算指定コマンドを演出制御用マイクロコンピュータ１００に送信する制御を行う（ステップＳ１２１５Ｂ）。
【０１９３】
図１５および図１６は、特別図柄プロセス処理における特別図柄通常処理（ステップＳ３００）を示すフローチャートである。特別図柄通常処理において、ＣＰＵ５６は、合算保留記憶数の値を確認する（ステップＳ５１）。具体的には、合算保留記憶数カウンタのカウント値を確認する。合算保留記憶数が０であれば、まだ客待ちデモ指定コマンドを送信していなければ、演出制御用マイクロコンピュータ１００に対して客待ちデモ指定コマンドを送信する制御を行い（ステップＳ５１Ａ）、処理を終了する。なお、例えば、ＣＰＵ５６は、ステップＳ５１Ａで客待ちデモ指定コマンドを送信すると、客待ちデモ指定コマンドを送信したことを示す客待ちデモ指定コマンド送信済フラグをセットする。そして、客待ちデモ指定コマンドを送信した後に次回のタイマ割込以降の特別図柄通常処理を実行する場合には、客待ちデモ指定コマンド送信済フラグがセットされていることにもとづいて重ねて客待ちデモ指定コマンドを送信しないように制御すればよい。また、この場合、客待ちデモ指定コマンド送信済フラグは、次回の特別図柄の変動表示が開始されるときにリセットされるようにすればよい。
【０１９４】
合算保留記憶数が０でなければ、ＣＰＵ５６は、第２保留記憶数が０であるか否かを確認する（ステップＳ５２）。具体的には、第２保留記憶数カウンタの値が０であるか否かを確認する。第２保留記憶数が０でなければ、ＣＰＵ５６は、特別図柄ポインタ（第１特別図柄について特別図柄プロセス処理を行っているのか第２特別図柄について特別図柄プロセス処理を行っているのかを示すフラグ）に「第２」を示すデータを設定する（ステップＳ５３）。第２保留記憶数が０であれば（すなわち、第１保留記憶数のみが溜まっている場合）には、ＣＰＵ６６は、特別図柄ポインタに「第１」を示すデータを設定する（ステップＳ５４）。
【０１９５】
この実施の形態では、ステップＳ５２〜Ｓ５４の処理が実行されることによって、第１特別図柄の変動表示に対して、第２特別図柄の変動表示が優先して実行される。言い換えれば、第２特別図柄の変動表示を開始させるための第２の開始条件が第１特別図柄の変動表示を開始させるための第１の開始条件に優先して成立するように制御される。
【０１９６】
次いで、ＣＰＵ５６は、ＲＡＭ５５において、特別図柄ポインタが示す方の保留記憶数＝１に対応する保存領域に格納されている各乱数値を読み出してＲＡＭ５５の乱数バッファ領域に格納する（ステップＳ５５）。具体的には、ＣＰＵ５６は、特別図柄ポインタが「第１」を示している場合には、第１保留記憶バッファにおける第１保留記憶数＝１に対応する保存領域に格納されている各乱数値を読み出してＲＡＭ５５の乱数バッファ領域に格納する。また、ＣＰＵ５６は、特別図柄ポインタが「第２」を示している場合には、第２保留記憶バッファにおける第２保留記憶数＝１に対応する保存領域に格納されている各乱数値を読み出してＲＡＭ５５の乱数バッファ領域に格納する。
【０１９７】
そして、ＣＰＵ５６は、特別図柄ポインタが示す方の保留記憶数カウンタのカウント値を１減算し、かつ、各保存領域の内容をシフトする（ステップＳ５６）。具体的には、ＣＰＵ５６は、特別図柄ポインタが「第１」を示している場合には、第１保留記憶数カウンタのカウント値を１減算し、かつ、保留特定領域および第１保留記憶バッファにおける各保存領域の内容をシフトする。また、特別図柄ポインタが「第２」を示している場合に、第２保留記憶数カウンタのカウント値を１減算し、かつ、保留特定領域および第２保留記憶バッファにおける各保存領域の内容をシフトする。
【０１９８】
すなわち、ＣＰＵ５６は、特別図柄ポインタが「第１」を示している場合に、ＲＡＭ５５の第１保留記憶バッファにおいて第１保留記憶数＝ｎ（ｎ＝２，３，４）に対応する保存領域に格納されている各乱数値を、第１保留記憶数＝ｎ−１に対応する保存領域に格納する。また、特別図柄ポインタが「第２」を示す場合に、ＲＡＭ５５の第２保留記憶バッファにおいて第２保留記憶数＝ｎ（ｎ＝２，３，４）に対応する保存領域に格納されている各乱数値を、第２保留記憶数＝ｎ−１に対応する保存領域に格納する。また、ＣＰＵ５６は、保留特定領域において合算保留記憶数＝ｍ（ｍ＝２〜８）に対応する保存領域に格納されている値（「第１」または「第２」を示す値）を、合算保留記憶数＝ｍ−１に対応する保存領域に格納する。
【０１９９】
よって、各第１保留記憶数（または、各第２保留記憶数）に対応するそれぞれの保存領域に格納されている各乱数値が抽出された順番は、常に、第１保留記憶数（または、第２保留記憶数）＝１，２，３，４の順番と一致するようになっている。また、各合算保留記憶数に対応するそれぞれの保存領域に格納されている各値が抽出された順番は、常に、合算保留記憶数＝１〜８の順番と一致するようになっている。
【０２００】
そして、ＣＰＵ５６は、合算保留記憶数の値を１減らす。すなわち、合算保留記憶数カウンタのカウント値を１減算する（ステップＳ５８）。なお、ＣＰＵ５６は、カウント値が１減算される前の合算保留記憶数カウンタの値をＲＡＭ５５の所定の領域に保存する。
【０２０１】
また、ＣＰＵ５６は、現在の遊技状態に応じて背景指定コマンドを演出制御用マイクロコンピュータ１００に送信する制御を行う（ステップＳ６０）。この場合、ＣＰＵ５６は、確変状態であることを示す確変フラグがセットされている場合には、確変状態背景指定コマンドを送信する制御を行う。また、ＣＰＵ５６は、時短状態であることを示す時短フラグのみがセットされ、確変フラグがセットされていない場合には、時短状態背景指定コマンドを送信する制御を行う。また、ＣＰＵ５６は、確変フラグも時短フラグもセットされていなければ、通常状態背景指定コマンドを送信する制御を行う。
【０２０２】
なお、具体的には、ＣＰＵ５６は、演出制御用マイクロコンピュータ１００に演出制御コマンドを送信する際に、演出制御コマンドに応じたコマンド送信テーブル（あらかじめＲＯＭにコマンド毎に設定されている）のアドレスをポインタにセットする。そして、演出制御コマンドに応じたコマンド送信テーブルのアドレスをポインタにセットして、演出制御コマンド制御処理（ステップＳ２８）において演出制御コマンドを送信する。なお、この実施の形態では、特別図柄の変動を開始するときに、タイマ割込ごとに、背景指定コマンド、変動パターンコマンド、表示結果指定コマンド、保留記憶数減算指定コマンド（第１保留記憶数減算指定コマンドまたは第２保留記憶数減算指定コマンド）の順に演出制御用マイクロコンピュータ１００に送信されることになる。具体的には、特別図柄の変動を開始するときに、まず、背景指定コマンドが送信され、４ｍｓ経過後に変動パターンコマンドが送信され、さらに４ｍｓ経過後に表示結果指定コマンドが送信され、さらに４ｍｓ経過後に保留記憶数減算指定コマンド（第１保留記憶数減算指定コマンドまたは第２保留記憶数減算指定コマンド）が送信される。なお、特別図柄の変動を開始するときにはさらに図柄変動指定コマンド（第１図柄変動指定コマンド、第２図柄変動指定コマンド）も送信されるが、図柄変動指定コマンドは、変動パターンコマンドと同じタイマ割込において演出制御用マイクロコンピュータ１００に対して送信される。
【０２０３】
特別図柄通常処理では、最初に、第１始動入賞口１３を対象として処理を実行することを示す「第１」を示すデータすなわち第１特別図柄を対象として処理を実行することを示す「第１」を示すデータ、または第２始動入賞口１４を対象として処理を実行することを示す「第２」を示すデータすなわち第２特別図柄を対象として処理を実行することを示す「第２」を示すデータが、特別図柄ポインタに設定される。そして、特別図柄プロセス処理における以降の処理では、特別図柄ポインタに設定されているデータに応じた処理が実行される。よって、ステップＳ３００〜Ｓ３１０の処理を、第１特別図柄を対象とする場合と第２特別図柄を対象とする場合とで共通化することができる。
【０２０４】
次いで、ＣＰＵ５６は、乱数バッファ領域からランダムＲ（大当り判定用乱数）を読み出し、大当り判定モジュールを実行する。なお、この場合、ＣＰＵ５６は、第１始動口スイッチ通過処理のステップＳ１２１４Ａや第２始動口スイッチ通過処理のステップＳ１２１４Ｂで抽出し第１保留記憶バッファや第２保留記憶バッファにあらかじめ格納した大当り判定用乱数を読み出し、大当り判定を行う。大当り判定モジュールは、あらかじめ決められている大当り判定値や小当り判定値（図８参照）と大当り判定用乱数とを比較し、それらが一致したら大当りや小当りとすることに決定する処理を実行するプログラムである。すなわち、大当り判定や小当り判定の処理を実行するプログラムである。
【０２０５】
大当り判定の処理では、遊技状態が確変状態の場合には、遊技状態が非確変状態（通常状態）の場合よりも、大当りとなる確率が高くなるように構成されている。具体的には、あらかじめ大当り判定値の数が多く設定されている確変時大当り判定テーブル（ＲＯＭ５４における図８（Ａ）の右側の数値が設定されているテーブル）と、大当り判定値の数が確変時大当り判定テーブルよりも少なく設定されている通常時大当り判定テーブル（ＲＯＭ５４における図８（Ａ）の左側の数値が設定されているテーブル）とが設けられている。そして、ＣＰＵ５６は、遊技状態が確変状態であるか否かを確認し、遊技状態が確変状態であるときは、確変時大当り判定テーブルを使用して大当りの判定の処理を行い、遊技状態が通常状態であるときは、通常時大当り判定テーブルを使用して大当りの判定の処理を行う。すなわち、ＣＰＵ５６は、大当り判定用乱数（ランダムＲ）の値が図８（Ａ）に示すいずれかの大当り判定値に一致すると、特別図柄に関して大当りとすることに決定する。大当りとすることに決定した場合には（ステップＳ６１）、ステップＳ７１に移行する。なお、大当りとするか否か決定するということは、大当り遊技状態に移行させるか否か決定するということであるが、特別図柄表示器における停止図柄を大当り図柄とするか否か決定するということでもある。
【０２０６】
なお、現在の遊技状態が確変状態であるか否かの確認は、確変フラグがセットされているか否かにより行われる。確変フラグは、遊技状態を確変状態に移行するときにセットされ、確変状態を終了するときにリセットされる。具体的には、「確変大当り」または「突然確変大当り」とすることに決定され、大当り遊技を終了する処理においてセットされる。そして、大当り遊技終了後、次の大当りが発生したときにリセットされる。
【０２０７】
大当り判定用乱数（ランダムＲ）の値がいずれの大当り判定値にも一致しなければ（ステップＳ６１のＮ）、ＣＰＵ５６は、小当り判定テーブル（図８（Ｂ），（Ｃ）参照）を使用して小当りの判定の処理を行う。すなわち、ＣＰＵ５６は、大当り判定用乱数（ランダムＲ）の値が図８（Ｂ），（Ｃ）に示すいずれかの小当り判定値に一致すると、特別図柄に関して小当りとすることに決定する。この場合、ＣＰＵ５６は、特別図柄ポインタが示すデータを確認し、特別図柄ポインタが示すデータが「第１」である場合には、図８（Ｂ）に示す小当り判定テーブル（第１特別図柄用）を用いて小当りとするか否かを決定する。また、特別図柄ポインタが示すデータが「第２」である場合には、図８（Ｃ）に示す小当り判定テーブル（第２特別図柄用）を用いて小当りとするか否かを決定する。そして、小当りとすることに決定した場合には（ステップＳ６２）、ＣＰＵ５６は、小当りであることを示す小当りフラグをセットし（ステップＳ６３）、ステップＳ７５に移行する。
【０２０８】
なお、ランダムＲの値が大当り判定値および小当り判定値のいずれにも一致しない場合には（ステップＳ６２のＮ）、すなわち、はずれである場合には、そのままステップＳ７５に移行する。
【０２０９】
ステップＳ７１では、ＣＰＵ５６は、大当りであることを示す大当りフラグをセットする。そして、大当り種別を複数種類のうちのいずれかに決定するために使用するテーブルとして、特別図柄ポインタが示す方の大当り種別判定テーブルを選択する（ステップＳ７２）。具体的には、ＣＰＵ５６は、特別図柄ポインタが「第１」を示している場合には、図８（Ｄ）に示す第１特別図柄用の大当り種別判定用テーブル１３１ａを選択する。また、ＣＰＵ５６は、特別図柄ポインタが「第２」を示している場合には、図８（Ｅ）に示す第２特別図柄用の大当り種別判定用テーブル１３１ｂを選択する。
【０２１０】
次いで、ＣＰＵ５６は、選択した大当り種別判定テーブルを用いて、乱数バッファ領域に格納された大当り種別判定用の乱数（ランダム１）の値と一致する値に対応した種別（「通常大当り」、「確変大当り」または「突然確変大当り」）を大当りの種別に決定する（ステップＳ７３）。なお、この場合、ＣＰＵ５６は、第１始動口スイッチ通過処理のステップＳ１２１４Ａや第２始動口スイッチ通過処理のステップＳ１２１４Ｂで抽出し第１保留記憶バッファや第２保留記憶バッファにあらかじめ格納した大当り種別判定用乱数を読み出し、大当り種別の決定を行う。また、この場合に、図８（Ｄ），（Ｅ）に示すように、第１特別図柄の変動表示が実行される場合には、第２特別図柄の変動表示が実行される場合と比較して、突然確変大当りが選択される割合が高い。
【０２１１】
また、ＣＰＵ５６は、決定した大当りの種別を示すデータをＲＡＭ５５における大当り種別バッファに設定する（ステップＳ７４）。例えば、大当り種別が「通常大当り」の場合には大当り種別を示すデータとして「０１」が設定され、大当り種別が「確変大当り」の場合には大当り種別を示すデータとして「０２」が設定され、大当り種別が「突然確変大当り」の場合には大当り種別を示すデータとして「０３」が設定される。
【０２１２】
次いで、ＣＰＵ５６は、特別図柄の停止図柄を決定する（ステップＳ７５）。具体的には、大当りフラグおよび小当りフラグのいずれもセットされていない場合には、はずれ図柄となる「−」を特別図柄の停止図柄に決定する。大当りフラグがセットされている場合には、大当り種別の決定結果に応じて、大当り図柄となる「１」、「３」、「７」、「９」のいずれかを特別図柄の停止図柄に決定する。すなわち、大当り種別を「突然確変大当り」に決定した場合には「１」を特別図柄の停止図柄に決定し、「通常大当り」に決定した場合には「３」を特別図柄の停止図柄に決定し、「確変大当り」に決定した場合には「７」を特別図柄の停止図柄に決定する。また、小当りフラグがセットされている場合には、小当り図柄となる「５」を特別図柄の停止図柄に決定する。
【０２１３】
なお、この実施の形態では、まず大当り種別を決定し、決定した大当り種別に対応する特別図柄の停止図柄を決定する場合を示したが、大当り種別および特別図柄の停止図柄の決定方法は、この実施の形態で示したものにかぎられない。例えば、あらかじめ特別図柄の停止図柄と大当り種別とを対応付けたテーブルを用意しておき、大当り種別決定用乱数にもとづいてまず特別図柄の停止図柄を決定すると、その決定結果にもとづいて対応する大当り種別も決定されるように構成してもよい。
【０２１４】
そして、特別図柄プロセスフラグの値を変動パターン設定処理（ステップＳ３０１）に対応した値に更新する（ステップＳ７６）。
【０２１５】
図１７は、特別図柄プロセス処理における変動パターン設定処理（ステップＳ３０１）を示すフローチャートである。変動パターン設定処理において、ＣＰＵ５６は、大当りフラグがセットされているか否か確認する（ステップＳ９１）。大当りフラグがセットされている場合には、ＣＰＵ５６は、変動パターン種別を複数種類のうちのいずれかに決定するために使用するテーブルとして、大当り用変動パターン種別判定テーブルのいずれかを選択する（ステップＳ９２）。そして、ステップＳ１００に移行する。
【０２１６】
大当りフラグがセットされていない場合には、ＣＰＵ５６は、小当りフラグがセットされているか否かを確認する（ステップＳ９３）。小当りフラグがセットされている場合には、ＣＰＵ５６は、変動パターン種別を複数種類のうちのいずれかに決定するために使用するテーブルとして、小当り用変動パターン種別判定テーブルを選択する（ステップＳ９４）。そして、ステップＳ１００に移行する。
【０２１７】
小当りフラグもセットされていない場合には、ＣＰＵ５６は、時短状態であることを示す時短フラグがセットされているか否かを確認する（ステップＳ９５）。なお、この実施の形態では、通常大当りにもとづく大当り遊技終了時に時短状態に移行されるときに時短フラグがセットされるとともに、確変大当りにもとづく大当り遊技終了時にも確変状態に移行されるとともに時短状態にも移行されることから時短フラグがセットされる。従って、ステップＳ９５でＹと判定された場合には、通常大当りにもとづく大当り遊技終了後に時短状態にのみ制御されているときに加えて、確変大当りにもとづく大当り遊技終了後に確変状態とともに時短状態に制御されているときがある。
【０２１８】
時短フラグがセットされていなければ（ステップＳ９５のＮ）、すなわち、遊技状態が通常状態であれば、ＣＰＵ５６は、合算保留記憶数が３以上であるか否かを確認する（ステップＳ９６）。合算保留記憶数が３未満であれば（ステップＳ９６のＮ）、ＣＰＵ５６は、変動パターン種別を複数種類のうちのいずれかに決定するために使用するテーブルとして、通常用のはずれ用変動パターン種別判定テーブルを選択する（ステップＳ９７）。そして、ステップＳ１００に移行する。
【０２１９】
合算保留記憶数が３以上である場合（ステップＳ９６のＹ）には、ＣＰＵ５６は、変動パターン種別を複数種類のうちのいずれかに決定するために使用するテーブルとして、短縮用のはずれ用変動パターン種別判定テーブルを選択する（ステップＳ９８）。そして、ステップＳ１００に移行する。
【０２２０】
時短フラグがセットされている場合（ステップＳ９５のＹ）には、すなわち、遊技状態が確変状態または時短状態であれば、ＣＰＵ５６は、変動パターン種別を複数種類のうちのいずれかに決定するために使用するテーブルとして、時短用のはずれ用変動パターン種別判定テーブルを選択する（ステップＳ９９）。そして、ステップＳ１００に移行する。
【０２２１】
この実施の形態では、ステップＳ９５〜Ｓ９９の処理が実行されることによって、遊技状態が通常状態であって合算保留記憶数が３以上である場合には、短縮用のはずれ用変動パターン種別判定テーブルが選択される。また、遊技状態が確変状態や時短状態である場合には、時短用のはずれ用変動パターン種別判定テーブルが選択される。この場合、後述するステップＳ１００の処理で変動パターン種別として短縮用の変動パターン種別が決定される場合があり、短縮用の変動パターン種別が決定された場合には、ステップＳ１０２の処理で短縮変動の変動パターンが決定される。従って、この実施の形態では、遊技状態が確変状態や時短状態である場合または合算保留記憶数が３以上である場合には、短縮変動の変動表示が行われる場合がある。なお、この実施の形態では、確変状態や時短状態で用いる短縮変動用の変動パターン種別判定テーブルと、保留記憶数にもとづく短縮変動用の変動パターン種別判定テーブルとが異なるテーブルである場合を示したが、短縮変動用の変動パターン種別判定テーブルとして共通のテーブルを用いるようにしてもよい。
【０２２２】
なお、この実施の形態では、遊技状態が確変状態や時短状態である場合であっても、合算保留記憶数がほぼ０である場合（例えば、０であるか、０または１である場合）には、短縮変動の変動表示を行わないようにしてもよい。この場合、例えば、ＣＰＵ５６は、ステップＳ９５でＹと判定したときに、合算保留記憶数がほぼ０であるか否かを確認し、合算保留記憶数がほぼ０であれば、通常用のはずれ用変動パターン種別判定テーブルを選択するようにしてもよい。
【０２２３】
次いで、ＣＰＵ５６は、乱数バッファ領域（第１保留記憶バッファまたは第２保留記憶バッファ）からランダム２（変動パターン種別判定用乱数）を読み出し、ステップＳ９２、Ｓ９４、Ｓ９７、Ｓ９８またはＳ９９の処理で選択したテーブルを参照することによって、変動パターン種別を複数種類のうちのいずれかに決定する（ステップＳ１００）。
【０２２４】
次いで、ＣＰＵ５６は、ステップＳ１００の変動パターン種別の決定結果にもとづいて、変動パターンを複数種類のうちのいずれかに決定するために使用するテーブルとして、当り変動パターン判定テーブル、はずれ変動パターン判定テーブルのうちのいずれかを選択する（ステップＳ１０１）。また、乱数バッファ領域（第１保留記憶バッファまたは第２保留記憶バッファ）からランダム３（変動パターン判定用乱数）を読み出し、ステップＳ１０１の処理で選択した変動パターン判定テーブルを参照することによって、変動パターンを複数種類のうちのいずれかに決定する（ステップＳ１０２）。なお、始動入賞のタイミングでランダム３（変動パターン判定用乱数）を抽出しないように構成する場合には、ＣＰＵ５６は、変動パターン判定用乱数（ランダム３）を生成するための変動パターン判定用乱数カウンタから値を直接抽出し、抽出した乱数値にもとづいて変動パターンを決定するようにしてもよい。
【０２２５】
次いで、ＣＰＵ５６は、特別図柄ポインタが示す方の図柄変動指定コマンドを、演出制御用マイクロコンピュータ１００に送信する制御を行う（ステップＳ１０３）。具体的には、ＣＰＵ５６は、特別図柄ポインタが「第１」を示している場合には、第１図柄変動指定コマンドを送信する制御を行う。また、ＣＰＵ５６は、特別図柄ポインタが「第２」を示している場合には、第２図柄変動指定コマンドを送信する制御を行う。また、ＣＰＵ５６は、決定した変動パターンに対応する演出制御コマンド（変動パターンコマンド）を、演出制御用マイクロコンピュータ１００に送信する制御を行う（ステップＳ１０４）。
【０２２６】
次に、ＣＰＵ５６は、ＲＡＭ５５に形成されている変動時間タイマに、選択された変動パターンに対応した変動時間に応じた値を設定する（ステップＳ１０５）。そして、特別図柄プロセスフラグの値を表示結果指定コマンド送信処理（ステップＳ３０２）に対応した値に更新する（ステップＳ１０６）。
【０２２７】
なお、はずれと決定されている場合において、いきなり変動パターン種別を決定するのではなく、まず、リーチ判定用乱数を用いた抽選処理によってリーチとするか否かを決定するようにしてもよい。そして、リーチとするか否かの判定結果にもとづいて、ステップＳ９５〜Ｓ１００の処理を実行し、変動パターン種別を決定するようにしてもよい。この場合、あらかじめ非リーチ用の変動パターン種別判定テーブルと、リーチ用の変動パターン種別判定テーブルとを用意しておき、リーチ判定結果にもとづいて、いずれかの変動パターン種別判定テーブルを選択して、変動パターン種別を決定するようにしてもよい。
【０２２８】
また、リーチ判定用乱数を用いた抽選処理によってリーチとするか否かを決定する場合にも、合算保留記憶数（第１保留記憶数や第２保留記憶数でもよい）に応じて、リーチの選択割合が異なるリーチ判定テーブルを選択して、保留記憶数が多くなるに従ってリーチ確率が低くなるようにリーチとするか否かを決定するようにしてもよい。
【０２２９】
図１８は、表示結果指定コマンド送信処理（ステップＳ３０２）を示すフローチャートである。表示結果指定コマンド送信処理において、ＣＰＵ５６は、決定されている大当りの種類、小当り、はずれに応じて、表示結果１指定〜表示結果５指定のいずれかの演出制御コマンド（図９参照）を送信する制御を行う。具体的には、ＣＰＵ５６は、まず、大当りフラグがセットされているか否か確認する（ステップＳ１１０）。セットされていない場合には、ステップＳ１１６に移行する。大当りフラグがセットされている場合、大当りの種別が「通常大当り」であるときには、表示結果２指定コマンドを送信する制御を行う（ステップＳ１１１，Ｓ１１２）。なお、「通常大当り」であるか否かは、具体的には、特別図柄通常処理のステップＳ７４で大当り種別バッファに設定されたデータが「０１」であるか否かを確認することによって判定できる。また、ＣＰＵ５６は、大当りの種別が「確変大当り」であるときには、表示結果３指定コマンドを送信する制御を行う（ステップＳ１１３，Ｓ１１４）。なお、「確変大当り」であるか否かは、具体的には、特別図柄通常処理のステップＳ７４で大当り種別バッファに設定されたデータが「０２」であるか否かを確認することによって判定できる。そして、「通常大当り」および「確変大当り」のいずれでもないときには（すなわち、「突然確変大当り」であるときには）、ＣＰＵ５６は、表示結果４指定コマンドを送信する制御を行う（ステップＳ１１５）。
【０２３０】
一方、ＣＰＵ５６は、大当りフラグがセットされていないときには（ステップＳ１１０のＮ）、小当りフラグがセットされているか否かを確認する（ステップＳ１１６）。小当りフラグがセットされていれば、ＣＰＵ５６は、表示結果５指定コマンドを送信する制御を行う（ステップＳ１１７）。小当りフラグもセットされていないときは（ステップＳ１１６のＮ）、すなわち、はずれである場合には、ＣＰＵ５６は、表示結果１指定コマンドを送信する制御を行う（ステップＳ１１８）。
【０２３１】
そして、ＣＰＵ５６は、特別図柄プロセスフラグの値を特別図柄変動中処理（ステップＳ３０３）に対応した値に更新する（ステップＳ１１９）。
【０２３２】
図１９は、特別図柄プロセス処理における特別図柄変動中処理（ステップＳ３０３）を示すフローチャートである。特別図柄変動中処理において、ＣＰＵ５６は、まず、保留記憶数減算指定コマンド（第１保留記憶数減算指定コマンドまたは第２保留記憶数減算指定コマンド）を既に送信済みであるか否かを確認する（ステップＳ１１２１）。なお、保留記憶数減算指定コマンドを既に送信済みであるか否かは、例えば、後述するステップＳ１１２２で保留記憶数減算指定コマンドを送信する際に保留記憶数減算指定コマンドを送信したことを示す保留記憶数減算指定コマンド送信済フラグをセットするようにし、ステップＳ１１２１では、その保留記憶数減算指定コマンド送信済フラグがセットされているか否かを確認するようにすればよい。また、この場合、セットした保留記憶数減算指定コマンド送信済フラグは、特別図柄の変動表示を終了する際や大当りを終了する際に後述する特別図柄停止処理や大当り終了処理でリセットするようにすればよい。
【０２３３】
次いで、保留記憶数減算指定コマンドを送信済みでなければ、ＣＰＵ５６は、保留記憶数減算指定コマンドを演出制御用マイクロコンピュータ１００に送信する制御を行う（ステップＳ１１２２）。この場合、特別図柄ポインタに「第１」を示す値が設定されている場合には、ＣＰＵ５６は、第１保留記憶数減算指定コマンドを送信する制御を行う。また、特別図柄ポインタに「第２」を示す値が設定されている場合には、ＣＰＵ５６は、第２保留記憶数減算指定コマンドを送信する制御を行う。
【０２３４】
次いで、ＣＰＵ５６は、変動時間タイマを１減算し（ステップＳ１１２５）、変動時間タイマがタイムアウトしたら（ステップＳ１１２６）、演出制御用マイクロコンピュータ１００に図柄確定指定コマンドを送信する制御を行う（ステップＳ１１２７）。そして、ＣＰＵ５６は、特別図柄プロセスフラグの値を特別図柄停止処理（ステップＳ３０４）に対応した値に更新する（ステップＳ１１２８）。変動時間タイマがタイムアウトしていない場合には、そのまま処理を終了する。
【０２３５】
図２０は、特別図柄プロセス処理における特別図柄停止処理（ステップＳ３０４）を示すフローチャートである。特別図柄停止処理において、ＣＰＵ５６は、大当りフラグがセットされているか否かを確認する（ステップＳ１３１）。大当りフラグがセットされている場合には、ＣＰＵ５６は、セットされていれば、確変状態であることを示す確変フラグや、時短状態であることを示す時短フラグ、時短状態における特別図柄の変動可能回数を示す時短回数カウンタをリセットし（ステップＳ１３２）、演出制御用マイクロコンピュータ１００に大当り開始指定コマンドを送信する制御を行う（ステップＳ１３３）。具体的には、大当りの種別が「通常大当り」である場合には大当り開始１指定コマンド（コマンドＡ００１（Ｈ））を送信する。また、大当りの種別が「確変大当り」である場合には大当り開始２指定コマンド（コマンドＡ００２（Ｈ））を送信する。また、大当りの種別が突然確変大当りである場合には小当り／突然確変大当り開始指定コマンド（コマンドＡ００３（Ｈ））を送信する。なお、大当りの種別が「通常大当り」、「確変大当り」または「突然確変大当り」のいずれであるかは、ＲＡＭ５５に記憶されている大当り種別を示すデータ（大当り種別バッファに記憶されているデータ）にもとづいて判定される。
【０２３６】
また、大当り表示時間タイマに大当り表示時間（大当りが発生したことを、例えば、演出表示装置９において報知する時間）に相当する値を設定する（ステップＳ１３４）。また、大入賞口開放回数カウンタに開放回数（例えば、「通常大当り」や「確変大当り」の場合には１５回。「突然確変大当り」の場合には２回。）をセットする（ステップＳ１３５）。また、大当り遊技における１ラウンドあたりのラウンド時間もセットされる。具体的には、突然確変大当りの場合には、ラウンド時間として０．１秒がセットされ、通常大当りや確変大当りの場合には、ラウンド時間として２９秒がセットされる。そして、特別図柄プロセスフラグの値を大入賞口開放前処理（ステップＳ３０５）に対応した値に更新する（ステップＳ１３６）。
【０２３７】
また、ステップＳ１３１で大当りフラグがセットされていなければ、ＣＰＵ５６は、時短状態における特別図柄の変動可能回数を示す時短回数カウンタの値が０であるか否かを確認する（ステップＳ１３７）。時短回数カウンタの値が０でなければ、ＣＰＵ５６は、時短回数カウンタの値を−１する（ステップＳ１３８）。そして、ＣＰＵ５６は、減算後の時短回数カウンタの値が０になった場合には（ステップＳ１３９）、時短フラグをリセットする（ステップＳ１４０）。
【０２３８】
次いで、ＣＰＵ５６は、小当りフラグがセットされているか否かを確認する（ステップＳ１４１）。小当りフラグがセットされていれば、ＣＰＵ５６は、演出制御用マイクロコンピュータ１００に小当り／突然確変大当り開始指定コマンド（コマンドＡ００３（Ｈ））を送信する（ステップＳ１４２）。また、小当り表示時間タイマに小当り表示時間（小当りが発生したことを、例えば、演出表示装置９において報知する時間）に相当する値を設定する（ステップＳ１４３）。また、大入賞口開放回数カウンタに開放回数（例えば２回）をセットする（ステップＳ１４４）。そして、特別図柄プロセスフラグの値を小当り開始前処理（ステップＳ３０８）に対応した値に更新する（ステップＳ１４５）。
【０２３９】
小当りフラグもセットされていなければ（ステップＳ１４１のＮ）、ＣＰＵ５６は、特別図柄プロセスフラグの値を特別図柄通常処理（ステップＳ３００）に対応した値に更新する（ステップＳ１４６）。
【０２４０】
図２１は、特別図柄プロセス処理における大当り終了処理（ステップＳ３０７）を示すフローチャートである。大当り終了処理において、ＣＰＵ５６は、大当り終了表示タイマが設定されているか否か確認し（ステップＳ１６０）、大当り終了表示タイマが設定されている場合には、ステップＳ１６４に移行する。大当り終了表示タイマが設定されていない場合には、大当りフラグをリセットし（ステップＳ１６１）、大当り終了指定コマンドを送信する制御を行う（ステップＳ１６２）。ここで、「通常大当り」であった場合には大当り終了１指定コマンド（コマンドＡ３０１（Ｈ））を送信し、「確変大当り」であった場合には大当り終了２指定コマンド（コマンドＡ３０２（Ｈ））を送信し、「突然確変大当り」であった場合には小当り／突然確変大当り終了指定コマンド（コマンドＡ３０３（Ｈ））を送信する。そして、大当り終了表示タイマに、画像表示装置９において大当り終了表示が行われている時間（大当り終了表示時間）に対応する表示時間に相当する値を設定し（ステップＳ１６３）、処理を終了する。
【０２４１】
ステップＳ１６４では、大当り終了表示タイマの値を１減算する。そして、ＣＰＵ５６は、大当り終了表示タイマの値が０になっているか否か、すなわち大当り終了表示時間が経過したか否か確認する（ステップＳ１６５）。経過していなければ処理を終了する。
【０２４２】
大当り終了表示時間を経過していれば（ステップＳ１６５のＹ）、ＣＰＵ５６は、今回終了する大当り遊技が通常大当りにもとづくものであるか否かを確認する（ステップＳ１６６）。なお、通常大当りにもとづく大当り遊技を終了する場合であるか否かは、具体的には、特別図柄通常処理のステップＳ７４で大当り種別バッファに設定されたデータが「０１」であるか否かを確認することによって判定できる。通常大当りにもとづく大当り遊技を終了する場合であれば（ステップＳ１６６のＹ）、ＣＰＵ５６は、時短フラグをセットして遊技状態を時短状態に移行させる（ステップＳ１６７）。また、ＣＰＵ５６は、時短回数カウンタに所定回数（本例では１００回）をセットする（ステップＳ１６８）。
【０２４３】
通常大当りにもとづく大当り遊技を終了する場合でなければ（すなわち、確変大当りまたは突然確変大当りにもとづく大当り遊技を終了する場合であれば）、ＣＰＵ５６は、確変フラグをセットして遊技状態を確変状態に移行させる（ステップＳ１６９）とともに、時短フラグをセットして遊技状態を時短状態に移行させる（ステップＳ１７０）。
【０２４４】
そして、ＣＰＵ５６は、特別図柄プロセスフラグの値を特別図柄通常処理（ステップＳ３００）に対応した値に更新する（ステップＳ１７１）。
【０２４５】
なお、この実施の形態では、以上の処理が実行されることによって、確変状態に制御される場合には時短状態にも制御されることから、遊技状態として、通常状態（低確率／低ベース状態）、時短状態（低確率／高ベース状態）、および確変状態（高確率／高ベース状態）の３つの状態があることになる。
【０２４６】
図２２は、主基板３１に搭載される遊技制御用マイクロコンピュータ５６０（具体的には、ＣＰＵ５６）が実行する特別図柄表示制御処理（ステップＳ３２）のプログラムの一例を示すフローチャートである。特別図柄表示制御処理では、ＣＰＵ５６は、特別図柄プロセスフラグの値が３であるか否かを確認する（ステップＳ３２０１）。特別図柄プロセスフラグの値が３であれば（すなわち、特別図柄変動中処理の実行中であれば）、ＣＰＵ５６は、特別図柄変動表示用の特別図柄表示制御データを特別図柄表示制御データ設定用の出力バッファに設定または更新する処理を行う（ステップＳ３２０２）。この場合、ＣＰＵ５６は、特別図柄ポインタが示す方の特別図柄（第１特別図柄または第２特別図柄）の変動表示を行うための特別図柄表示制御データを設定または更新する。例えば、変動速度が１コマ／０．２秒であれば、０．２秒が経過する毎に、出力バッファに設定される特別図柄表示制御データの値を＋１する。そして、その後、表示制御処理（ステップＳ２２参照）が実行され、特別図柄表示制御データ設定用の出力バッファの内容に応じて特別図柄表示器８ａ，８ｂに対して駆動信号が出力されることによって、特別図柄表示器８ａ，８ｂにおける特別図柄の変動表示が実行される。
【０２４７】
特別図柄プロセスフラグの値が３でなければ、ＣＰＵ５６は、特別図柄プロセスフラグの値が４であるか否かを確認する（ステップＳ３２０３）。特別図柄プロセスフラグの値が４であれば（すなわち、特別図柄停止処理に移行した場合には）、ＣＰＵ５６は、特別図柄通常処理で設定された特別図柄の停止図柄を停止表示するための特別図柄表示制御データを特別図柄表示制御データ設定用の出力バッファに設定する処理を行う（ステップＳ３２０４）。この場合、ＣＰＵ５６は、特別図柄ポインタが示す方の特別図柄（第１特別図柄または第２特別図柄）の停止図柄を停止表示するための特別図柄表示制御データを設定する。そして、その後、表示制御処理（ステップＳ２２参照）が実行され、特別図柄表示制御データ設定用の出力バッファの内容に応じて特別図柄表示器８ａ，８ｂに対して駆動信号が出力されることによって、特別図柄表示器８ａ，８ｂにおいて特別図柄の停止図柄が停止表示される。なお、ステップＳ３２０４の処理が実行され停止図柄表示用の特別図柄表示制御データが設定された後には、設定データの変更が行われないので、ステップＳ２２の表示制御処理では最新の特別図柄表示制御データにもとづいて最新の停止図柄を次の変動表示が開始されるまで停止表示し続けることになる。また、ステップＳ３２０１において特別図柄プロセスフラグの値が２または３のいずれかであれば（すなわち、表示結果指定コマンド送信処理または特別図柄変動中処理のいずれかであれば）、特別図柄変動表示用の特別図柄表示制御データを更新するようにしてもよい。この場合、遊技制御用マイクロコンピュータ５６０側で認識する変動時間と演出制御用マイクロコンピュータ１００側で認識する変動時間との間にズレが生じないようにするため、表示結果指定コマンド送信処理においても変動時間タイマを１減算するように構成すればよい。
【０２４８】
なお、この実施の形態では、特別図柄プロセスフラグの値に応じて特別図柄表示制御データを出力バッファに設定する場合を示したが、特別図柄プロセス処理において、特別図柄の変動開始時に開始フラグをセットするとともに、特別図柄の変動終了時に終了フラグをセットするようにしてもよい。そして、特別図柄表示制御処理（ステップＳ３２）において、ＣＰＵ５６は、開始フラグがセットされたことにもとづいて特別図柄表示制御データの値の更新を開始するようにし、終了フラグがセットされたことにもとづいて停止図柄を停止表示さえるための特別図柄表示制御データをセットするようにしてもよい。
【０２４９】
次に、演出制御手段の動作を説明する。図２３は、演出制御基板８０に搭載されている演出制御手段としての演出制御用マイクロコンピュータ１００（具体的には、演出制御用ＣＰＵ１０１）が実行するメイン処理を示すフローチャートである。演出制御用ＣＰＵ１０１は、電源が投入されると、メイン処理の実行を開始する。メイン処理では、まず、ＲＡＭ領域のクリアや各種初期値の設定、また演出制御の起動間隔（例えば、４ｍｓ）を決めるためのタイマの初期設定等を行うための初期化処理を行う（ステップＳ７０１）。
【０２５０】
その後、演出制御用ＣＰＵ１０１は、タイマ割込フラグの監視（ステップＳ７０２）を行うループ処理に移行する。タイマ割込が発生すると、演出制御用ＣＰＵ１０１は、タイマ割込処理においてタイマ割込フラグをセットする。メイン処理において、タイマ割込フラグがセットされていたら、演出制御用ＣＰＵ１０１は、そのフラグをクリアし（ステップＳ７０３）、以下の演出制御処理を実行する。
【０２５１】
演出制御処理において、演出制御用ＣＰＵ１０１は、まず、受信した演出制御コマンドを解析し、受信した演出制御コマンドに応じたフラグをセットする処理等を行う（コマンド解析処理：ステップＳ７０４）。
【０２５２】
次いで、演出制御用ＣＰＵ１０１は、演出制御プロセス処理を行う（ステップＳ７０５）。演出制御プロセス処理では、制御状態に応じた各プロセスのうち、現在の制御状態（演出制御プロセスフラグ）に対応した処理を選択して演出表示装置９の表示制御を実行する。
【０２５３】
次いで、演出制御用ＣＰＵ１０１は、第４図柄プロセス処理を行う（ステップＳ７０６）。第４図柄プロセス処理では、制御状態に応じた各プロセスのうち、現在の制御状態（第４図柄プロセスフラグ）に対応した処理を選択して演出表示装置９の第４図柄表示領域９ｃ，９ｄにおいて第４図柄の表示制御を実行する。
【０２５４】
次いで、大当り図柄決定用乱数などの乱数を生成するためのカウンタのカウント値を更新する乱数更新処理を実行する（ステップＳ７０７）。その後、ステップＳ７０２に移行する。
【０２５５】
図２４は、主基板３１の遊技制御用マイクロコンピュータ５６０から受信した演出制御コマンドを格納するためのコマンド受信バッファの一構成例を示す説明図である。この例では、２バイト構成の演出制御コマンドを６個格納可能なリングバッファ形式のコマンド受信バッファが用いられる。従って、コマンド受信バッファは、受信コマンドバッファ１〜１２の１２バイトの領域で構成される。そして、受信したコマンドをどの領域に格納するのかを示すコマンド受信個数カウンタが用いられる。コマンド受信個数カウンタは、０〜１１の値をとる。なお、必ずしもリングバッファ形式でなくてもよい。
【０２５６】
なお、遊技制御用マイクロコンピュータ５６０から送信された演出制御コマンドは、演出制御ＩＮＴ信号にもとづく割込処理で受信され、ＲＡＭに形成されているバッファ領域に保存されている。コマンド解析処理では、バッファ領域に保存されている演出制御コマンドがどのコマンド（図９および図１０参照）であるのか解析する。なお、演出制御ＩＮＴ信号にもとづく割込処理は、４ｍｓごとに実行されるタイマ割込処理に優先して実行される。
【０２５７】
図２５は、コマンド解析処理（ステップＳ７０４）の具体例を示すフローチャートである。主基板３１から受信された演出制御コマンドは受信コマンドバッファに格納されるが、コマンド解析処理では、演出制御用ＣＰＵ１０１は、コマンド受信バッファに格納されているコマンドの内容を確認する。
【０２５８】
コマンド解析処理において、演出制御用ＣＰＵ１０１は、まず、コマンド受信バッファに受信コマンドが格納されているか否か確認する（ステップＳ６１１）。格納されているか否かは、コマンド受信個数カウンタの値と読出ポインタとを比較することによって判定される。両者が一致している場合が、受信コマンドが格納されていない場合である。コマンド受信バッファに受信コマンドが格納されている場合には、演出制御用ＣＰＵ１０１は、コマンド受信バッファから受信コマンドを読み出す（ステップＳ６１２）。なお、読み出したら読出ポインタの値を＋２しておく（ステップＳ６１３）。＋２するのは２バイト（１コマンド）ずつ読み出すからである。
【０２５９】
受信した演出制御コマンドが変動パターンコマンドであれば（ステップＳ６１４）、演出制御用ＣＰＵ１０１は、受信した変動パターンコマンドを、ＲＡＭに形成されている変動パターンコマンド格納領域に格納する（ステップＳ６１５）。そして、変動パターンコマンド受信フラグをセットする（ステップＳ６１６）。
【０２６０】
受信した演出制御コマンドが表示結果指定コマンドであれば（ステップＳ６１７）、演出制御用ＣＰＵ１０１は、受信した表示結果指定コマンド（表示結果１指定コマンド〜表示結果６指定コマンド）を、ＲＡＭに形成されている表示結果指定コマンド格納領域に格納する（ステップＳ６１８）。
【０２６１】
受信した演出制御コマンドが図柄確定指定コマンドであれば（ステップＳ６１９）、演出制御用ＣＰＵ１０１は、確定コマンド受信フラグをセットする（ステップＳ６２０）。
【０２６２】
受信した演出制御コマンドが大当り開始指定コマンド（コマンドＡ００１〜Ａ００２（Ｈ））であれば（ステップＳ６２１）、演出制御用ＣＰＵ１０１は、大当り開始指定コマンド受信フラグをセットする（ステップＳ６２２）。この場合、例えば、大当り開始１指定コマンドを受信した場合であれば、大当り開始１指定コマンド受信フラグをセットし、大当り開始２指定コマンドを受信した場合であれば、大当り開始２指定コマンド受信フラグをセットする。
【０２６３】
受信した演出制御コマンドが小当り／突然確変大当り開始指定コマンド（コマンドＡ００３（Ｈ））であれば（ステップＳ６２３）、演出制御用ＣＰＵ１０１は、小当り／突然確変大当り開始指定コマンド受信フラグをセットする（ステップＳ６２４）。
【０２６４】
受信した演出制御コマンドが大当り終了指定コマンド（コマンドＡ３０１〜Ａ３０２（Ｈ））であれば（ステップＳ６２５）、演出制御用ＣＰＵ１０１は、大当り終了指定コマンド受信フラグをセットする（ステップＳ６２６）。この場合、例えば、大当り終了１指定コマンドを受信した場合であれば、大当り終了１指定コマンド受信フラグをセットし、大当り終了２指定コマンドを受信した場合であれば、大当り終了２指定コマンド受信フラグをセットする。
【０２６５】
受信した演出制御コマンドが小当り／突然確変大当り終了指定コマンド（コマンドＡ３０３（Ｈ））であれば（ステップＳ６２７）、演出制御用ＣＰＵ１０１は、小当り／突然確変大当り終了指定コマンド受信フラグをセットする（ステップＳ６２８）。
【０２６６】
受信した演出制御コマンドがその他のコマンドであれば、演出制御用ＣＰＵ１０１は、受信した演出制御コマンドに応じたフラグをセットする（ステップＳ６２９）。そして、ステップＳ６１１に移行する。
【０２６７】
図２６は、図２３に示されたメイン処理における演出制御プロセス処理（ステップＳ７０５）を示すフローチャートである。演出制御プロセス処理では、演出制御用ＣＰＵ１０１は、演出制御プロセスフラグの値に応じてステップＳ８００〜Ｓ８０７のうちのいずれかの処理を行う。各処理において、以下のような処理を実行する。なお、演出制御プロセス処理では、演出表示装置９の表示状態が制御され、演出図柄の可変表示が実現されるが、第１特別図柄の変動に同期した演出図柄の可変表示に関する制御も、第２特別図柄の変動に同期した演出図柄の可変表示に関する制御も、一つの演出制御プロセス処理において実行される。なお、第１特別図柄の変動に同期した演出図柄の可変表示と、第２特別図柄の変動に同期した演出図柄の可変表示とを、別の演出制御プロセス処理により実行するように構成してもよい。また、この場合、いずれの演出制御プロセス処理により演出図柄の変動表示が実行されているかによって、いずれの特別図柄の変動表示が実行されているかを判断するようにしてもよい。
【０２６８】
変動パターンコマンド受信待ち処理（ステップＳ８００）：遊技制御用マイクロコンピュータ５６０から変動パターンコマンドを受信しているか否か確認する。具体的には、コマンド解析処理でセットされる変動パターンコマンド受信フラグがセットされているか否か確認する。変動パターンコマンドを受信していれば、演出制御プロセスフラグの値を演出図柄変動開始処理（ステップＳ８０１）に対応した値に変更する。
【０２６９】
演出図柄変動開始処理（ステップＳ８０１）：演出図柄の変動が開始されるように制御する。そして、演出制御プロセスフラグの値を演出図柄変動中処理（ステップＳ８０２）に対応した値に更新する。
【０２７０】
演出図柄変動中処理（ステップＳ８０２）：変動パターンを構成する各変動状態（変動速度）の切り替えタイミング等を制御するとともに、変動時間の終了を監視する。そして、変動時間が終了したら、演出制御プロセスフラグの値を演出図柄変動停止処理（ステップＳ８０３）に対応した値に更新する。
【０２７１】
演出図柄変動停止処理（ステップＳ８０３）：演出図柄の変動を停止し表示結果（停止図柄）を導出表示する制御を行う。そして、演出制御プロセスフラグの値を大当り表示処理（ステップＳ８０４）または変動パターンコマンド受信待ち処理（ステップＳ８００）に対応した値に更新する。
【０２７２】
大当り表示処理（ステップＳ８０４）：変動時間の終了後、演出表示装置９に大当りの発生を報知するための画面を表示する制御を行う。そして、演出制御プロセスフラグの値をラウンド中処理（ステップＳ８０５）に対応した値に更新する。
【０２７３】
ラウンド中処理（ステップＳ８０５）：ラウンド中の表示制御を行う。そして、ラウンド終了条件が成立したら、最終ラウンドが終了していなければ、演出制御プロセスフラグの値をラウンド後処理（ステップＳ８０６）に対応した値に更新する。最終ラウンドが終了していれば、演出制御プロセスフラグの値を大当り終了処理（ステップＳ８０７）に対応した値に更新する。
【０２７４】
ラウンド後処理（ステップＳ８０６）：ラウンド間の表示制御を行う。そして、ラウンド開始条件が成立したら、演出制御プロセスフラグの値をラウンド中処理（ステップＳ８０５）に対応した値に更新する。
【０２７５】
大当り終了演出処理（ステップＳ８０７）：演出表示装置９において、大当り遊技状態が終了したことを遊技者に報知する表示制御を行う。そして、演出制御プロセスフラグの値を変動パターンコマンド受信待ち処理（ステップＳ８００）に対応した値に更新する。
【０２７６】
図２７は、図２６に示された演出制御プロセス処理における変動パターンコマンド受信待ち処理（ステップＳ８００）を示すフローチャートである。変動パターンコマンド受信待ち処理において、演出制御用ＣＰＵ１０１は、変動パターンコマンド受信フラグがセットされているか否か確認する（ステップＳ８１１）。変動パターンコマンド受信フラグがセットされていれば、変動パターンコマンド受信フラグをリセットする（ステップＳ８１２）。そして、演出制御プロセスフラグの値を演出図柄変動開始処理（ステップＳ８０１）に対応した値に更新する（ステップＳ８１３）。なお、前述したように、この実施の形態では、停電復旧時にも表示結果指定コマンドの送信が行われる（ステップＳ４４参照）のであるが、図２７に示すように、この実施の形態では、通常時には、変動パターンコマンドを受信したことにもとづいて演出図柄変動開始処理に移行し演出図柄の変動表示を開始するので、変動パターンコマンドを受信することなく表示結果指定コマンドを受信したのみでは演出図柄の変動表示は開始されない。
【０２７７】
図２８は、図２６に示された演出制御プロセス処理における演出図柄変動開始処理（ステップＳ８０１）を示すフローチャートである。演出図柄変動開始処理において、演出制御用ＣＰＵ１０１は、まず、変動パターンコマンド格納領域から変動パターンコマンドを読み出す（ステップＳ８００１）。次いで、演出制御用ＣＰＵ１０１は、ステップＳ８００１で読み出した変動パターンコマンド、および表示結果指定コマンド格納領域に格納されているデータ（すなわち、受信した表示結果指定コマンド）に応じて演出図柄の表示結果（停止図柄）を決定する（ステップＳ８００２）。すなわち、演出制御用ＣＰＵ１０１によってステップＳ８００２の処理が実行されることによって、可変表示パターン決定手段が決定した可変表示パターン（変動パターン）に応じて、識別情報の可変表示の表示結果（演出図柄の停止図柄）を決定する表示結果決定手段が実現される。なお、変動パターンコマンドで擬似連が指定されている場合には、演出制御用ＣＰＵ１０１は、ステップＳ８００２において、擬似連中の仮停止図柄としてチャンス目図柄（例えば、「２２３」や「４４５」のように、リーチとならないものの大当り図柄と１つ図柄がずれている図柄の組み合わせ）も決定する。また、演出制御用ＣＰＵ１０１は、決定した演出図柄の停止図柄を示すデータを演出図柄表示結果格納領域に格納する。なお、ステップＳ８００２において、演出制御用ＣＰＵ１０１は、受信した変動パターンコマンドにもとづいて大当りであるか否かを判定し、変動パターンコマンドのみにもとづいて演出図柄の停止図柄を決定するようにしてもよい。
【０２７８】
図２９は、演出表示装置９における演出図柄の停止図柄の一例を示す説明図である。図２９に示す例では、受信した表示結果指定コマンドが「通常大当り」を示している場合には（受信した表示結果指定コマンドが表示結果２指定コマンドである場合）、演出制御用ＣＰＵ１０１は、停止図柄として３図柄が同じ偶数図柄で揃った演出図柄の組合せを決定する。また、受信した表示結果指定コマンドが「確変大当り」を示している場合には（受信した表示結果指定コマンドが表示結果３指定コマンドである場合）、演出制御用ＣＰＵ１０１は、停止図柄として３図柄が同じ奇数図柄で揃った演出図柄の組合せを決定する。
【０２７９】
また、受信した表示結果指定コマンドが「突然確変大当り」や「小当り」を示している場合には（受信した表示結果指定コマンドが表示結果４指定コマンドまたは表示結果５指定コマンドである場合）、演出制御用ＣＰＵ１０１は、停止図柄として「１３５」などの演出図柄の組合せを決定する。そして、「はずれ」の場合には（受信した表示結果指定コマンドが表示結果１指定コマンドである場合）、上記以外の演出図柄の組み合わせを決定する。ただし、リーチ演出を伴う場合には、左右の２図柄が揃った演出図柄の組み合わせを決定する。また、演出表示装置９に導出表示される３図柄の組合せが演出図柄の「停止図柄」である。
【０２８０】
演出制御用ＣＰＵ１０１は、例えば、停止図柄を決定するための乱数を抽出し、演出図柄の組合せを示すデータと数値とが対応付けられている停止図柄決定テーブルを用いて、演出図柄の停止図柄を決定する。すなわち、抽出した乱数に一致する数値に対応する演出図柄の組合せを示すデータを選択することによって停止図柄を決定する。
【０２８１】
なお、演出図柄についても、大当りを想起させるような停止図柄（左中右が全て同じ図柄で揃った図柄の組み合わせ）を大当り図柄という。また、この実施の形態では、確変大当りとなる場合には左中右が奇数図柄で揃った状態で停止表示されることから、奇数図柄は確変大当りとなることを想起させる。そのように確変大当りとなることを想起させる図柄を確変図柄という。一方、この実施の形態では、通常大当りとなる場合には左中右が偶数図柄で揃った状態で停止表示されることから、偶数図柄は確変大当りとならない（通常大当りとなる）ことを想起させる。そのように確変大当りとならないことを想起させる図柄を非確変図柄という。また、はずれを想起させるような停止図柄をはずれ図柄という。
【０２８２】
次いで、演出制御用ＣＰＵ１０１は、ステップＳ８００１で読み出した変動パターンコマンドで指定される変動パターンがマルチＰＣ１−１〜マルチＰＣ１−６のいずれかであるか否かを確認する（ステップＳ８００３）。マルチＰＣ１−１〜マルチＰＣ１−６のいずれの変動パターンでもなければ、ステップＳ８００９に移行する。
【０２８３】
マルチＰＣ１−１〜マルチＰＣ１−６のいずれかの変動パターンであれば（すなわち、マルチモニタリーチ演出を伴う変動パターンであれば）、演出制御用ＣＰＵ１０１は、可動部材７６を動作させる役物演出を実行するか否かを決定する（ステップＳ８００４）。図３０（Ａ）および図３０（Ｂ）は、役物演出の有無を決定するための役物演出決定テーブルの具体例を示す説明図である。このうち、図３０（Ａ）は、はずれ用の役物演出決定テーブルの具体例を示し、図３０（Ｂ）は、大当り用の役物演出決定テーブルの具体例を示している。図３０（Ａ），（Ｂ）に示すように、この実施の形態では、マルチモニタリーチ演出が実行される場合に、役物演出が実行された場合には、役物演出が実行されなかった場合と比較して、大当りに対する期待度（大当り信頼度）が高い。なお、大当り信頼度にかぎらず、例えば、役物演出が実行された場合には、確変大当りに対する期待度（確変信頼度）が高くなるように構成するなど、他の信頼度が高くなるように構成してもよい。
【０２８４】
ステップＳ８００４では、演出制御用ＣＰＵ１０１は、例えば、表示結果指定コマンド格納領域に格納されている表示結果指定コマンドにもとづいて、今回開始する変動表示が大当りとなるものであるか否かを判定し（変動パターンがマルチＰＣ１−１〜ＰＣ１−３であればはずれと判定し、マルチＰＣ１−４〜ＰＣ１−６であれば大当りと判定してもよい）、はずれ変動であれば、図３０（Ａ）に示すはずれ用の役物演出決定テーブルを選択し、大当り変動であれば、図３０（Ｂ）に示す大当り用の役物演出決定テーブルを選択する。そして、演出制御用ＣＰＵ１０１は、選択した役物演出決定テーブルを用いて、乱数にもとづく抽選処理を行い、役物演出の有無を決定する。なお、役物演出を実行することに決定した場合には、例えば、役物演出を実行することを示す役物演出決定フラグをセットするようにすればよい。
【０２８５】
なお、この実施の形態では、後述するように、演出図柄変動中処理のステップＳ８１１７の判定処理を実行することによって、役物演出の実行タイミングとなったときに、それが最後に分割表示された擬似モニタ画面に対して役物演出の実行タイミングとなったと判定すれば役物演出を実行し、それより前に分割表示された擬似モニタ画面に対して役物演出の実行タイミングとなったと判定すれば役物演出を実行せず禁則処理を実行する場合を示したが、そのように変動表示の実行中に禁則処理を実行する態様にかぎれない。例えば、変動表示の開始時にステップＳ８００４の役物演出の決定処理において、最後に分割表示される擬似モニタ画面を対象としてのみ役物演出の有無を決定することにより、最後に分割表示される擬似モニタ画面より前に分割表示される擬似モニタ画面を対象としては役物演出を実行しないように禁則をかけるように構成してもよい。
【０２８６】
また、この実施の形態では、後述するように、役物演出が実行される場合には各擬似モニタ画面においてエフェクト表示が実行されるのであるが、上記のように変動開始時に役物演出の決定処理において禁則処理を行うように構成した場合には、例えば、少なくとも１つの擬似モニタ画面を対象として役物演出を実行することが決定されているのであれば、全ての擬似モニタ画面においてエフェクト表示を実行するように構成すればよい。
【０２８７】
次いで、演出制御用ＣＰＵ１０１は、操作ボタン１２０による操作を伴うボタン演出を実行するか否かを決定する（ステップＳ８００５）。図３０（Ｃ）および図３０（Ｄ）は、ボタン演出の有無を決定するためのボタン演出決定テーブルの具体例を示す説明図である。このうち、図３０（Ｃ）は、はずれ用のボタン演出決定テーブルの具体例を示し、図３０（Ｄ）は、大当り用のボタン演出決定テーブルの具体例を示している。図３０（Ｃ），（Ｄ）に示すように、この実施の形態では、マルチモニタリーチ演出が実行される場合に、ボタン演出が実行された場合には、ボタン演出が実行されなかった場合と比較して、大当りに対する期待度（大当り信頼度）が高い。なお、大当り信頼度にかぎらず、例えば、ボタン演出が実行された場合には、確変大当りに対する期待度（確変信頼度）が高くなるように構成するなど、他の信頼度が高くなるように構成してもよい。
【０２８８】
ステップＳ８００５では、演出制御用ＣＰＵ１０１は、例えば、表示結果指定コマンド格納領域に格納されている表示結果指定コマンドにもとづいて、今回開始する変動表示が大当りとなるものであるか否かを判定し（変動パターンがマルチＰＣ１−１〜ＰＣ１−３であればはずれと判定し、マルチＰＣ１−４〜ＰＣ１−６であれば大当りと判定してもよい）、はずれ変動であれば、図３０（Ｃ）に示すはずれ用のボタン演出決定テーブルを選択し、大当り変動であれば、図３０（Ｄ）に示す大当り用のボタン演出決定テーブルを選択する。そして、演出制御用ＣＰＵ１０１は、選択したボタン演出決定テーブルを用いて、乱数にもとづく抽選処理を行い、ボタン演出の有無を決定する。なお、ボタン演出を実行することに決定した場合には、例えば、ボタン演出を実行することを示すボタン演出決定フラグをセットするようにすればよい。
【０２８９】
なお、この実施の形態では、後述するように、演出図柄変動中処理のステップＳ８１２２の判定処理を実行することによって、ボタン演出の実行タイミングとなったときに、それが最後に分割表示された擬似モニタ画面に対して役物演出の実行タイミングとなったと判定すればボタン演出を実行し、それより前に分割表示された擬似モニタ画面に対してボタン演出の実行タイミングとなったと判定すればボタン演出を実行せず禁則処理を実行する場合を示したが、そのように変動表示の実行中に禁則処理を実行する態様にかぎれない。例えば、変動表示の開始時にステップＳ８００５のボタン演出の決定処理において、最後に分割表示される擬似モニタ画面を対象としてのみボタン演出の有無を決定することにより、最後に分割表示される擬似モニタ画面より前に分割表示される擬似モニタ画面を対象としてはボタン演出を実行しないように禁則をかけるように構成してもよい。
【０２９０】
次いで、演出制御用ＣＰＵ１０１は、チャンスアップ演出の有無および種類を決定する（ステップＳ８００６）。図３１は、チャンスアップ演出の有無および種類を決定するためのチャンスアップ演出決定テーブルの具体例を示す説明図である。このうち、図３１（Ａ）は、はずれ用のチャンスアップ演出決定テーブルの具体例を示し、図３１（Ｂ）は、大当り用のチャンスアップ演出決定テーブルの具体例を示している。図３１に示すように、チャンスアップ演出決定テーブルには、チャンスアップ演出なし、チャンスアップ演出Ａ、チャンスアップ演出Ｂ、およびチャンスアップ演出Ｃに対して、それぞれ判定値が割り振られている。チャンスアップ演出Ａは、青色の表示色で表示されるチャンスアップ演出である。また、チャンスアップ演出Ｂは、緑色の表示色で表示されるチャンスアップ演出である。また、チャンスアップ演出Ｃは、赤色の表示色で表示されるチャンスアップ演出である。
【０２９１】
図３１に示すように、この実施の形態では、マルチモニタリーチ演出が実行される場合に、チャンスアップ演出が実行された場合には、チャンスアップ演出が実行されなかった場合と比較して、大当りに対する期待度（大当り信頼度）が高い。また、図３１に示すように、この実施の形態では、チャンスアップ演出が実行される場合には、赤色の表示色で実行されるチャンスアップ演出Ｃが実行される場合が最も大当りに対する期待度（大当り信頼度）が高く、緑色の表示色で実行されるチャンスアップ演出Ｂが実行される場合が次に大当りに対する期待度（大当り信頼度）が高く、青色の表示色で実行されるチャンスアップ演出Ａが実行される場合が最も大当りに対する期待度（大当り信頼度）が低くなっている。なお、大当り信頼度にかぎらず、例えば、チャンスアップ演出が実行された場合には、確変大当りに対する期待度（確変信頼度）が高くなるように構成するなど、他の信頼度が高くなるように構成してもよい。
【０２９２】
ステップＳ８００６では、演出制御用ＣＰＵ１０１は、例えば、表示結果指定コマンド格納領域に格納されている表示結果指定コマンドにもとづいて、今回開始する変動表示が大当りとなるものであるか否かを判定し（変動パターンがマルチＰＣ１−１〜ＰＣ１−３であればはずれと判定し、マルチＰＣ１−４〜ＰＣ１−６であれば大当りと判定してもよい）、はずれ変動であれば、図３１（Ａ）に示すはずれ用のチャンスアップ演出決定テーブルを選択し、大当り変動であれば、図３１（Ｂ）に示す大当り用のチャンスアップ演出決定テーブルを選択する。そして、演出制御用ＣＰＵ１０１は、選択したチャンスアップ演出決定テーブルを用いて、乱数にもとづく抽選処理を行い、チャンスアップ演出の有無および種類を決定する。なお、チャンスアップ演出を実行することに決定した場合には、例えば、チャンスアップ演出を実行することを示すチャンスアップ演出決定フラグをセットするとともに、決定したチャンスアップ演出の種類（チャンスアップ演出Ａ〜Ｃ）をＲＡＭに設けられた格納領域に格納するようにすればよい。
【０２９３】
なお、この実施の形態では、マルチモニタリーチ演出が実行される場合に分割表示される複数の擬似モニタ画面のうち最後に分割表示される擬似モニタ画面に対してチャンスアップ演出の有無および種類が決定され、その最後に分割表示される擬似モニタ画面よりも前に分割表示される擬似モニタ画面に対してもその決定結果が反映される。例えば、擬似モニタ画面が３つ分割表示されてマルチモニタリーチ演出が実行される場合（マルチＰＣ１−２またはマルチＰＣ１−５の変動パターンに従って変動表示される場合）に、ステップＳ８００６で最後の３つ目に分割表示される擬似モニタ画面に対してチャンスアップ演出の実行が決定された場合には、その前に分割表示される１つ目および２つ目の擬似モニタ画面においてもチャンスアップ演出が実行される。
【０２９４】
次いで、演出制御用ＣＰＵ１０１は、役物演出、ボタン演出およびチャンスアップ演出の決定結果に応じて、マルチモニタリーチ演出で分割表示する擬似モニタ画面数に応じた動画データを選択する（ステップＳ８００７）。例えば、この実施の形態では、擬似モニタ画面が３つ分割表示されてマルチモニタリーチ演出が実行される場合（マルチＰＣ１−２またはマルチＰＣ１−５の変動パターンに従って変動表示される場合）には、１つ目および２つ目に分割表示される擬似モニタ画面ではスーパーリーチＡが実行され、３つ目に分割表示される擬似モニタ画面ではスーパーリーチＢが実行されるので、これらスーパーリーチＡおよびスーパーリーチＢに応じた動画データをそれぞれ選択する。また、役物演出や、ボタン演出、チャンスアップ演出の実行も決定している場合には、スーパーリーチＡやスーパーリーチＢとともに、これら役物演出や、ボタン演出、チャンスアップ演出を伴う動画データを選択する。
【０２９５】
なお、この実施の形態では、マルチモニタリーチ演出が実行されない場合であっても、演出表示装置９の表示画面においてスーパーリーチＡが単独で実行されたり（スーパーＰＡ３−１、スーパーＰＢ３−１、スーパーＰＡ３−３、スーパーＰＢ３−３）、スーパーリーチＢが単独で実行されたり（スーパーＰＡ３−２、スーパーＰＢ３−２、スーパーＰＡ３−４、スーパーＰＢ３−４）する場合があり、それぞれスーパーリーチＡやスーパーリーチＢに応じた動画データが再生表示されるのであるが、マルチモニタリーチ演出が実行される場合も単独でスーパーリーチＡやスーパーリーチＢが実行される場合と共通の動画データが各擬似モニタ画面内で再生表示される。
【０２９６】
次いで、演出制御用ＣＰＵ１０１は、マルチモニタリーチ演出に応じたプロセステーブルを選択する（ステップＳ８００８）。そして、ステップＳ８０１０に移行する。
【０２９７】
ステップＳ８００３でマルチＰＣ１−１〜マルチＰＣ１−６のいずれの変動パターンでもなければ、演出制御用ＣＰＵ１０１は、変動パターンに応じたプロセステーブルを選択する（ステップＳ８００９）。そして、ステップＳ８０１０に移行する。
【０２９８】
次いで、演出制御用ＣＰＵ１０１は、ステップＳ８００８，Ｓ８００９で選択したプロセステーブルのプロセスデータ１におけるプロセスタイマをスタートさせる（ステップＳ８０１０）。
【０２９９】
図３２は、プロセステーブルの構成例を示す説明図である。プロセステーブルとは、演出制御用ＣＰＵ１０１が演出装置の制御を実行する際に参照するプロセスデータが設定されたテーブルである。すなわち、演出制御用ＣＰＵ１０１は、プロセステーブルに設定されているプロセスデータに従って演出表示装置９等の演出装置（演出用部品）の制御を行う。プロセステーブルは、プロセスタイマ設定値と表示制御実行データ、ランプ制御実行データおよび音番号データの組み合わせが複数集まったデータで構成されている。表示制御実行データには、演出図柄の可変表示の可変表示時間（変動時間）中の変動態様を構成する各変動の態様を示すデータ等が記載されている。具体的には、演出表示装置９の表示画面の変更に関わるデータが記載されている。また、プロセスタイマ設定値には、その変動の態様での変動時間が設定されている。演出制御用ＣＰＵ１０１は、プロセステーブルを参照し、プロセスタイマ設定値に設定されている時間だけ表示制御実行データに設定されている変動の態様で演出図柄を表示させる制御を行う。
【０３００】
図３２に示すプロセステーブルは、演出制御基板８０におけるＲＯＭに格納されている。また、プロセステーブルは、各変動パターンに応じて用意されている。なお、リーチ演出を伴う変動パターンについて演出制御を実行する場合に用いられるプロセステーブルには、変動開始から所定時間が経過したときに左図柄を停止表示させ、さらに所定時間が経過すると右図柄を停止表示させることを示すプロセスデータが設定されている。なお、停止表示させる図柄をプロセステーブルに設定するのではなく、決定された停止図柄、擬似連や滑り演出における仮停止図柄に応じて、図柄を表示するための画像を合成して生成するようにしてもよい。
【０３０１】
また、演出制御用ＣＰＵ１０１は、プロセスデータ１の内容（表示制御実行データ１、ランプ制御実行データ１、音番号データ１）に従って演出装置（演出用部品としての演出表示装置９、演出用部品としての各種ランプおよび演出用部品としてのスピーカ２７）の制御を実行する（ステップＳ８０１１）。例えば、演出表示装置９において変動パターンに応じた画像を表示させるために、ＶＤＰ１０９に指令を出力する。また、各種ランプを点灯／消灯制御を行わせるために、ランプドライバ基板３５に対して制御信号（ランプ制御実行データ）を出力する。また、スピーカ２７からの音声出力を行わせるために、音声出力基板７０に対して制御信号（音番号データ）を出力する。
【０３０２】
なお、この実施の形態では、演出制御用ＣＰＵ１０１は、変動パターンコマンドに１対１に対応する変動パターンによる演出図柄の可変表示が行われるように制御するが、演出制御用ＣＰＵ１０１は、変動パターンコマンドに対応する複数種類の変動パターンから、使用する変動パターンを選択するようにしてもよい。
【０３０３】
次いで、演出制御用ＣＰＵ１０１は、変動時間タイマに、変動パターンコマンドで特定される変動時間に相当する値を設定する（ステップＳ８０１２）。
【０３０４】
そして、演出制御用ＣＰＵ１０１は、演出制御プロセスフラグの値を演出図柄変動中処理（ステップＳ８０２）に対応した値にする（ステップＳ８０１３）。
【０３０５】
なお、演出図柄の変動表示中に、例えば、ステップアップ予告演出や、キャラクタ予告演出、群予告演出、モチーフ予告演出など様々な予告演出を実行可能に構成してもよい。この場合、例えば、図２８に示す演出図柄変動開始処理において、予告演出の有無および種類を決定する予告演出設定処理を実行するように構成してもよい。そして、ステップＳ８００８，Ｓ８００９において、決定した予告演出に応じたプロセステーブルを選択してステップＳ８００１１や後述する演出図柄変動中処理のステップＳ８１０６の処理を実行することによって、演出図柄の変動表示中に各種予告演出を実行するように構成すればよい。
【０３０６】
図３３〜図３５は、演出制御プロセス処理における演出図柄変動中処理（ステップＳ８０２）を示すフローチャートである。演出図柄変動中処理において、演出制御用ＣＰＵ１０１は、プロセスタイマの値を１減算するとともに（ステップＳ８１０１）、変動時間タイマの値を１減算する（ステップＳ８１０２）。また、演出制御用ＣＰＵ１０１は、後述する擬似モニタ画面において実行する演出の演出時間を計測するための各演出時間タイマ（後述するように、演出時間タイマ１〜４がある）がセットされていれば、セットされている各演出時間タイマの値を１減算する（ステップＳ８１０３）。
【０３０７】
次いで、演出制御用ＣＰＵ１０１は、プロセスタイマがタイムアウトしたら（ステップＳ８１０４）、プロセスデータの切り替えを行う。すなわち、プロセステーブルにおける次に設定されているプロセスタイマ設定値をプロセスタイマに設定する（ステップＳ８１０５）。また、その次に設定されている表示制御実行データ、ランプ制御実行データおよび音番号データにもとづいて演出装置に対する制御状態を変更する（ステップＳ８１０６）。
【０３０８】
次いで、演出制御用ＣＰＵ１０１は、新たな擬似モニタ画面の分割表示タイミングとなっているか否かを確認する（ステップＳ８１０７）。なお、新たな擬似モニタ画面の分割表示タイミングとなっているか否かは、例えば、演出図柄変動開始処理のステップＳ８０１２でセットされる変動時間タイマの値を確認することにより判定できる。新たな擬似モニタ画面の分割表示タイミングとなっていれば、演出制御用ＣＰＵ１０１は、演出表示装置９において新たな擬似モニタ画面の分割表示を開始し、その分割表示した擬似モニタ画面内において動画再生を開始する制御を行う（ステップＳ８１０８）。
【０３０９】
なお、ステップＳ８１０８では、例えば、擬似モニタ画面が２つ分割表示されてマルチモニタリーチ演出が実行される場合（マルチＰＣ１−１またはマルチＰＣ１−４の変動パターンに従って変動表示される場合）には、１つ目の擬似モニタ画面の分割表示を開始する場合には、その１つ目の擬似モニタ画面内でスーパーリーチＡの動画データの再生表示を開始し、２つ目の擬似モニタ画面の分割表示を開始する場合には、その２つ目の擬似モニタ画面内でスーパーリーチＢの動画データの再生表示を開始する。また、例えば、擬似モニタ画面が３つ分割表示されてマルチモニタリーチ演出が実行される場合（マルチＰＣ１−２またはマルチＰＣ１−５の変動パターンに従って変動表示される場合）には、１つ目または２つ目の擬似モニタ画面の分割表示を開始する場合には、その１つ目または２つ目の擬似モニタ画面内でスーパーリーチＡの動画データの再生表示を開始し、３つ目の擬似モニタ画面の分割表示を開始する場合には、その３つ目の擬似モニタ画面内でスーパーリーチＢの動画データの再生表示を開始する。また、例えば、擬似モニタ画面が４つ分割表示されてマルチモニタリーチ演出が実行される場合（マルチＰＣ１−３またはマルチＰＣ１−６の変動パターンに従って変動表示される場合）には、１つ目〜３つ目の擬似モニタ画面の分割表示を開始する場合には、その１つ目〜３つ目の擬似モニタ画面内でスーパーリーチＡの動画データの再生表示を開始し、４つ目の擬似モニタ画面の分割表示を開始する場合には、その４つ目の擬似モニタ画面内でスーパーリーチＢの動画データの再生表示を開始する。
【０３１０】
そして、演出制御用ＣＰＵ１０１は、新たに分割表示した擬似モニタ画面で実行される演出に対応した演出時間タイマに演出時間に応じた値をセットする（ステップＳ８１０９）。
【０３１１】
なお、ステップＳ８１０９では、例えば、擬似モニタ画面が２つ分割表示されてマルチモニタリーチ演出が実行される場合（マルチＰＣ１−１またはマルチＰＣ１−４の変動パターンに従って変動表示される場合）には、１つ目の擬似モニタ画面の分割表示を開始する場合には演出時間タイマ１をセットし、２つ目の擬似モニタ画面の分割表示を開始する場合には演出時間タイマ２をセットする。また、例えば、擬似モニタ画面が３つ分割表示されてマルチモニタリーチ演出が実行される場合（マルチＰＣ１−２またはマルチＰＣ１−５の変動パターンに従って変動表示される場合）には、１つ目の擬似モニタ画面の分割表示を開始する場合には演出時間タイマ１をセットし、２つ目の擬似モニタ画面の分割表示を開始する場合には演出時間タイマ２をセットし、３つ目の擬似モニタ画面の分割表示を開始する場合には演出時間タイマ３をセットする。また、例えば、擬似モニタ画面が４つ分割表示されてマルチモニタリーチ演出が実行される場合（マルチＰＣ１−３またはマルチＰＣ１−６の変動パターンに従って変動表示される場合）には、１つ目の擬似モニタ画面の分割表示を開始する場合には演出時間タイマ１をセットし、２つ目の擬似モニタ画面の分割表示を開始する場合には演出時間タイマ２をセットし、３つ目の擬似モニタ画面の分割表示を開始する場合には演出時間タイマ３をセットし、４つ目の擬似モニタ画面の分割表示を開始する場合には演出時間タイマ４をセットする。
【０３１２】
次いで、演出制御用ＣＰＵ１０１は、チャンスアップ演出の実行を決定しているか否かを確認する（ステップＳ８１１０）。なお、チャンスアップ演出の実行を決定しているか否かは、例えば、演出図柄変動開始処理のステップＳ８００６でチャンスアップ演出決定フラグがセットされているか否かを確認することにより判定できる。チャンスアップ演出の実行を決定していれば、演出制御用ＣＰＵ１０１は、チャンスアップ演出の実行タイミングとなっているか否かを確認する（ステップＳ８１１１）。なお、チャンスアップ演出の実行タイミングとなっているか否かは、例えば、ステップＳ８１０９でセットした演出時間タイマの値を確認することにより判定できる。チャンスアップ演出の実行タイミングとなっていれば、演出制御用ＣＰＵ１０１は、表示対象の擬似モニタ画面内にチャンスアップ画像（例えば、花の絵柄の画像）を表示する制御を行う（ステップＳ８１１２）。
【０３１３】
ステップＳ８１１２では、例えば、演出時間タイマ１の値がチャンスアップ演出の実行タイミングとなっている場合であれば、１つ目に分割表示した擬似モニタ画面内にチャンスアップ画像を表示する制御を行う。また、例えば、演出時間タイマ２の値がチャンスアップ演出の実行タイミングとなっている場合であれば、２つ目に分割表示した擬似モニタ画面内にチャンスアップ画像を表示する制御を行う。また、例えば、演出時間タイマ３の値がチャンスアップ演出の実行タイミングとなっている場合であれば、３つ目に分割表示した擬似モニタ画面内にチャンスアップ画像を表示する制御を行う。また、例えば、演出時間タイマ４の値がチャンスアップ演出の実行タイミングとなっている場合であれば、４つ目に分割表示した擬似モニタ画面内にチャンスアップ画像を表示する制御を行う。
【０３１４】
また、演出図柄変動開始処理のステップＳ８００６で決定したチャンスアップ演出の種類がチャンスアップ演出Ａであれば、例えば、表示対象の擬似モニタ画面内において、チャンスアップ画像として、青色の表示色で花の絵柄の画像を表示する制御を行う。また、決定したチャンスアップ演出の種類がチャンスアップ演出Ｂであれば、例えば、表示対象の擬似モニタ画面内において、チャンスアップ画像として、緑色の表示色で花の絵柄の画像を表示する制御を行う。また、決定したチャンスアップ演出の種類がチャンスアップ演出Ｃであれば、例えば、表示対象の擬似モニタ画面内において、チャンスアップ画像として、赤色の表示色で花の絵柄の画像を表示する制御を行う。
【０３１５】
次いで、演出制御用ＣＰＵ１０１は、役物演出の実行を決定しているか否かを確認する（ステップＳ８１１３）。なお、役物演出の実行を決定しているか否かは、例えば、演出図柄変動開始処理のステップＳ８００４で役物演出決定フラグがセットされているか否かを確認することにより判定できる。役物演出の実行を決定していれば、演出制御用ＣＰＵ１０１は、役物演出を示唆するエフェクト表示の実行タイミングとなっているか否かを確認する（ステップＳ８１１４）。なお、エフェクト表示の実行タイミングとなっているか否かは、例えば、ステップＳ８１０９でセットした演出時間タイマの値を確認することにより判定できる。エフェクト表示の実行タイミングとなっていれば、演出制御用ＣＰＵ１０１は、表示対象の擬似モニタ画面内にエフェクト画像を表示する制御を行う（ステップＳ８１１５）。
【０３１６】
ステップＳ８１１５では、例えば、演出時間タイマ１の値がエフェクト表示の実行タイミングとなっている場合であれば、１つ目に分割表示した擬似モニタ画面内にエフェクト画像を表示する制御を行う。また、例えば、演出時間タイマ２の値がエフェクト表示の実行タイミングとなっている場合であれば、２つ目に分割表示した擬似モニタ画面内にエフェクト画像を表示する制御を行う。また、例えば、演出時間タイマ３の値がエフェクト表示の実行タイミングとなっている場合であれば、３つ目に分割表示した擬似モニタ画面内にエフェクト画像を表示する制御を行う。また、例えば、演出時間タイマ４の値がエフェクト表示の実行タイミングとなっている場合であれば、４つ目に分割表示した擬似モニタ画面内にエフェクト画像を表示する制御を行う。
【０３１７】
また、この実施の形態では、役物演出として飛行機の形状を模した可動部材７６を動作させる演出が実行されるので、ステップＳ８１１５では、例えば、エフェクト画像として、表示対象の擬似モニタ画面内において、エフェクト画像として、飛行機の幻影のような絵柄の画像を表示する制御を行う。
【０３１８】
エフェクト表示の実行タイミングとなっていなければ、演出制御用ＣＰＵ１０１は、役物演出の実行タイミングとなっているか否かを確認する（ステップＳ８１１６）。なお、役物演出の実行タイミングとなっているか否かは、例えば、ステップＳ８１０９でセットした演出時間タイマの値を確認することにより判定できる。役物演出の実行タイミングとなっていれば、演出制御用ＣＰＵ１０１は、その役物演出の実行タイミングとなった擬似モニタ画面が最後に分割表示する擬似モニタ画面であるか否かを確認する（ステップＳ８１１７）。
【０３１９】
ステップＳ８１１７では、例えば、擬似モニタ画面が２つ分割表示されてマルチモニタリーチ演出が実行される場合（マルチＰＣ１−１またはマルチＰＣ１−４の変動パターンに従って変動表示される場合）であれば、演出時間タイマ２の値が役物演出の実行タイミングとなった場合であれば、最後に分割表示する擬似モニタ画面が役物演出の実行タイミングとなったと判定し、演出時間タイマ１の値が役物演出の実行タイミングとなった場合であれば、最後に分割表示する擬似モニタ画面が役物演出の実行タイミングとなった場合ではないと判定する。また、例えば、擬似モニタ画面が３つ分割表示されてマルチモニタリーチ演出が実行される場合（マルチＰＣ１−２またはマルチＰＣ１−５の変動パターンに従って変動表示される場合）であれば、演出時間タイマ３の値が役物演出の実行タイミングとなった場合であれば、最後に分割表示する擬似モニタ画面が役物演出の実行タイミングとなったと判定し、演出時間タイマ１〜２のいずれかの値が役物演出の実行タイミングとなった場合であれば、最後に分割表示する擬似モニタ画面が役物演出の実行タイミングとなった場合ではないと判定する。また、例えば、擬似モニタ画面が４つ分割表示されてマルチモニタリーチ演出が実行される場合（マルチＰＣ１−３またはマルチＰＣ１−６の変動パターンに従って変動表示される場合）であれば、演出時間タイマ４の値が役物演出の実行タイミングとなった場合であれば、最後に分割表示する擬似モニタ画面が役物演出の実行タイミングとなったと判定し、演出時間タイマ１〜３のいずれかの値が役物演出の実行タイミングとなった場合であれば、最後に分割表示する擬似モニタ画面が役物演出の実行タイミングとなった場合ではないと判定する。
【０３２０】
最後に分割表示する擬似モニタ画面が役物演出の実行タイミングとなった場合であれば（ステップＳ８１１７のＹ）、演出制御用ＣＰＵ１０１は、モータ８５を駆動し、可動部材７６を動作させて役物演出を実行する制御を行う（ステップＳ８１１８）。
【０３２１】
この実施の形態では、ステップＳ８１１７の判定処理が実行されることによって、役物演出の実行が決定されている場合であっても、最後に分割表示する擬似モニタ画面が役物演出の実行タイミングとなった場合にのみ役物演出を実行し、それより前に分割表示する擬似モニタ画面が役物演出の実行タイミングとなっても役物演出を実行しないように禁則をかけている。そのように構成することによって、この実施の形態では、いずれの擬似モニタ画面に対して役物演出が実行されたのかが分からなくなることを防止し、却って役物演出が煩わしくなる事態を防止し、マルチモニタリーチ演出を実行可能に構成した場合に適切な演出制御を実現できるようにしている。
【０３２２】
一方で、ステップＳ８１１４，Ｓ８１１５の処理が実行されることによって、役物演出を示唆するエフェクト表示に関しては、最後に分割表示する擬似モニタ画面がエフェクト表示の実行タイミングとなった場合だけでなく、それより前に分割表示する擬似モニタ画面がエフェクト表示の実行タイミングとなっている場合であっても実行可能に構成されている。そのように構成することによって、この実施の形態では、役物演出の対象であるか否かにかかわらずエフェクト表示を実行可能であり、役物演出の対象であるか否かにかかわらず共通の演出データを使用することができる。
【０３２３】
次いで、演出制御用ＣＰＵ１０１は、ボタン演出の実行を決定しているか否かを確認する（ステップＳ８１１９）。なお、ボタン演出の実行を決定しているか否かは、例えば、演出図柄変動開始処理のステップＳ８００５でボタン演出決定フラグがセットされているか否かを確認することにより判定できる。ボタン演出の実行を決定していれば、演出制御用ＣＰＵ１０１は、ボタン演出の実行中であることを示すボタン演出実行中フラグがセットされているか否かを確認する（ステップＳ８１２０）。ボタン演出実行中フラグがセットされていなければ（すなわち、ボタン演出の実行中でなければ）、演出制御用ＣＰＵ１０１は、ボタン演出における操作有効期間の開始タイミングとなっているか否かを確認する（ステップＳ８１２１）。なお、操作有効期間の開始タイミングとなっているか否かは、例えば、ステップＳ８１０９でセットした演出時間タイマの値を確認することにより判定できる。操作有効期間の開始タイミングとなっていれば、演出制御用ＣＰＵ１０１は、その操作有効期間の開始タイミングとなった擬似モニタ画面が最後に分割表示する擬似モニタ画面であるか否かを確認する（ステップＳ８１２２）。
【０３２４】
ステップＳ８１２２では、例えば、擬似モニタ画面が２つ分割表示されてマルチモニタリーチ演出が実行される場合（マルチＰＣ１−１またはマルチＰＣ１−４の変動パターンに従って変動表示される場合）であれば、演出時間タイマ２の値が操作有効期間の開始タイミングとなった場合であれば、最後に分割表示する擬似モニタ画面が操作有効期間の開始タイミングとなったと判定し、演出時間タイマ１の値が操作有効期間の開始タイミングとなった場合であれば、最後に分割表示する擬似モニタ画面が操作有効期間の開始タイミングとなった場合ではないと判定する。また、例えば、擬似モニタ画面が３つ分割表示されてマルチモニタリーチ演出が実行される場合（マルチＰＣ１−２またはマルチＰＣ１−５の変動パターンに従って変動表示される場合）であれば、演出時間タイマ３の値が操作有効期間の開始タイミングとなった場合であれば、最後に分割表示する擬似モニタ画面が操作有効期間の開始タイミングとなったと判定し、演出時間タイマ１〜２のいずれかの値が操作有効期間の開始タイミングとなった場合であれば、最後に分割表示する擬似モニタ画面が操作有効期間の開始タイミングとなった場合ではないと判定する。また、例えば、擬似モニタ画面が４つ分割表示されてマルチモニタリーチ演出が実行される場合（マルチＰＣ１−３またはマルチＰＣ１−６の変動パターンに従って変動表示される場合）であれば、演出時間タイマ４の値が操作有効期間の開始タイミングとなった場合であれば、最後に分割表示する擬似モニタ画面が操作有効期間の開始タイミングとなったと判定し、演出時間タイマ１〜３のいずれかの値が操作有効期間の開始タイミングとなった場合であれば、最後に分割表示する擬似モニタ画面が操作有効期間の開始タイミングとなった場合ではないと判定する。
【０３２５】
最後に分割表示する擬似モニタ画面が操作有効期間の開始タイミングとなった場合であれば（ステップＳ８１２２のＹ）、演出制御用ＣＰＵ１０１は、その最後に分割表示する擬似モニタ画面内において、操作ボタン１２０の操作を指示する操作指示表示の表示を開始する制御を行う（ステップＳ８１２３）。そして、演出制御用ＣＰＵ１０１は、ボタン演出実行中フラグをセットする（ステップＳ８１２４）。
【０３２６】
この実施の形態では、ステップＳ８１２２の判定処理が実行されることによって、ボタン演出の実行が決定されている場合であっても、最後に分割表示する擬似モニタ画面がボタン演出の実行タイミングとなった場合にのみボタン演出を実行し、それより前に分割表示する擬似モニタ画面がボタン演出の実行タイミングとなってもボタン演出を実行しないように禁則をかけている。そのように構成することによって、この実施の形態では、却ってボタン演出が煩わしくなる事態を防止し、マルチモニタリーチ演出を実行可能に構成した場合に適切な演出制御を実現できるようにしている。
【０３２７】
ボタン演出実行中フラグがセットされていれば（すなわち、ボタン演出の実行中であれば）、演出制御用ＣＰＵ１０１は、ボタン演出における操作有効期間の終了タイミングとなっているか否かを確認する（ステップＳ８１２５）。なお、操作有効期間の終了タイミングとなっているか否かは、例えば、ステップＳ８１０９でセットした演出時間タイマ（そのうちの最後の分割表示する擬似モニタ画面に対応する演出時間タイマ）の値を確認することにより判定できる。操作有効期間の終了タイミングとなっていなければ、演出制御用ＣＰＵ１０１は、操作ボタン１２０からの検出信号を入力したか否かを確認する（ステップＳ８１２６）。操作ボタン１２０からの検出信号を入力していれば、演出制御用ＣＰＵ１０１は、操作ボタン１２０による操作を検出したことを示す操作検出フラグをセットする（ステップＳ８１２７）。
【０３２８】
操作有効期間の終了タイミングとなっていれば、演出制御用ＣＰＵ１０１は、最後に分割表示する擬似モニタ画面内に表示されている操作指示表示を消去する制御を行う（ステップＳ８１２８）。また、ボタン演出実行中フラグをリセットする（ステップＳ８１３０）。次いで、操作検出フラグがセットされているか否かを確認する（ステップＳ８１３０）。操作検出フラグがセットされていれば（すなわち、操作ボタン１２０による操作を検出していれば）、演出制御用ＣＰＵ１０１は、操作検出フラグをリセットし（ステップＳ８１３１）、最後に分割表示する擬似モニタ画面内において、大当りとなる可能性を示唆する予告表示の表示を開始する制御を行う（ステップＳ８１３２）。
【０３２９】
次いで、演出制御用ＣＰＵ１０１は、演出図柄の仮停止表示タイミングとなっているか否かを確認する（ステップＳ８１３３）。なお、仮停止表示タイミングとなっているか否かは、例えば、ステップＳ８１０９でセットした演出時間タイマの値を確認することにより判定できる。仮停止表示タイミングとなっていれば、演出制御用ＣＰＵ１０１は、実行中の変動表示が大当りとなるものであるか否かを確認する（ステップＳ８１３４）。なお、実行中の変動表示が大当りとなるものであるか否かは、例えば、表示結果指定コマンド格納領域に格納されている表示結果指定コマンドが大当りを指定するものであるか否かを確認することにより判定できる。また、例えば、変動パターンコマンドで指定される変動パターンがマルチＰＣ１−１〜ＰＣ１−３であればはずれと判定し、マルチＰＣ１−４〜ＰＣ１−６であれば大当りと判定するようにしてもよい。実行中の変動表示が大当り変動であれば（ステップＳ８１３４のＹ）、演出制御用ＣＰＵ１０１は、仮停止表示タイミングとなった擬似モニタ画面が最後に分割表示する擬似モニタ画面であるか否かを確認する（ステップＳ８１３５）。
【０３３０】
ステップＳ８１３５では、例えば、擬似モニタ画面が２つ分割表示されてマルチモニタリーチ演出が実行される場合（マルチＰＣ１−１またはマルチＰＣ１−４の変動パターンに従って変動表示される場合）であれば、演出時間タイマ２の値が仮停止表示タイミングとなった場合であれば、最後に分割表示する擬似モニタ画面が仮停止表示タイミングとなったと判定し、演出時間タイマ１の値が仮停止表示タイミングとなった場合であれば、最後に分割表示する擬似モニタ画面が仮停止表示タイミングとなった場合ではないと判定する。また、例えば、擬似モニタ画面が３つ分割表示されてマルチモニタリーチ演出が実行される場合（マルチＰＣ１−２またはマルチＰＣ１−５の変動パターンに従って変動表示される場合）であれば、演出時間タイマ３の値が仮停止表示タイミングとなった場合であれば、最後に分割表示する擬似モニタ画面が仮停止表示タイミングとなったと判定し、演出時間タイマ１〜２のいずれかの値が仮停止表示タイミングとなった場合であれば、最後に分割表示する擬似モニタ画面が仮停止表示タイミングとなった場合ではないと判定する。また、例えば、擬似モニタ画面が４つ分割表示されてマルチモニタリーチ演出が実行される場合（マルチＰＣ１−３またはマルチＰＣ１−６の変動パターンに従って変動表示される場合）であれば、演出時間タイマ４の値が仮停止表示タイミングとなった場合であれば、最後に分割表示する擬似モニタ画面が仮停止表示タイミングとなったと判定し、演出時間タイマ１〜３のいずれかの値が仮停止表示タイミングとなった場合であれば、最後に分割表示する擬似モニタ画面が仮停止表示タイミングとなった場合ではないと判定する。
【０３３１】
最後に分割表示する擬似モニタ画面が仮停止表示タイミングとなった場合であれば（ステップＳ８１３５のＹ）、演出制御用ＣＰＵ１０１は、その最後に分割表示する擬似モニタ画面内において、大当り図柄の組み合わせを仮停止表示させる制御を行う（ステップＳ８１３６）。
【０３３２】
なお、この実施の形態では、「仮停止表示」とは、演出図柄を揺れ変動させたり上下に微変動させたりして、演出図柄を完全には停止表示させない状態のことである。また、この実施の形態では、リーチとなっている状態において最後に停止する中の演出図柄を仮停止表示させるように制御する。なお、この実施の形態で示した態様にかぎらず、左や右の演出図柄も仮停止表示させた状態としてもよい。
【０３３３】
実行中の変動表示がはずれ変動であった場合（ステップＳ８１３４のＮ）、または最後に分割表示する擬似モニタ画面よりも前に分割表示する擬似モニタ画面が仮停止表示タイミングとなった場合であれば（ステップＳ８１３５のＮ）、演出制御用ＣＰＵ１０１は、その仮停止表示タイミングとなった擬似モニタ画面内において、はずれ図柄の組み合わせ（本例では、リーチはずれ図柄）を仮停止表示させる制御を行う（ステップＳ８１３７）。
【０３３４】
ステップＳ８１３３〜Ｓ８１３７の処理が実行されることによって、この実施の形態では、大当り変動となる変動表示であっても、最後に分割表示する擬似モニタ画面よりも前に分割表示する擬似モニタ画面までははずれ図柄を仮停止表示させ、最後に分割表示する擬似モニタ画面で大当り図柄を仮停止表示させ、マルチモニタリーチ演出において遊技者に注目させる擬似モニタ画面（本例では、最後に分割表示する擬似モニタ画面）を明確にできるようにしている。
【０３３５】
そして、演出制御用ＣＰＵ１０１は、変動時間タイマがタイムアウトしていれば（ステップＳ８１３８）、演出制御プロセスフラグの値を演出図柄変動停止処理（ステップＳ８０３）に応じた値に更新する（ステップＳ８１３９）。
【０３３６】
図３６は、演出制御プロセス処理における演出図柄変動停止処理（ステップＳ８０３）を示すフローチャートである。演出図柄変動停止処理において、まず、演出制御用ＣＰＵ１０１は、演出図柄の停止図柄を表示していることを示す停止図柄表示フラグがセットされているか否かを確認する（ステップＳ８３０１）。停止図柄表示フラグがセットされていれば、ステップＳ８３０９に移行する。この実施の形態では、演出図柄の停止図柄として大当り図柄を表示した場合には、ステップＳ８３０８で停止図柄表示フラグがセットされる。そして、ファンファーレ演出を実行するときに停止図柄表示フラグがリセットされる。従って、停止図柄表示フラグがセットされているということは、大当り図柄を停止表示したがファンファーレ演出をまだ実行していない段階であるので、ステップＳ８３０５，Ｓ８３０６の演出図柄の停止図柄を表示する処理を実行することなく、ステップＳ８３０９に移行する。
【０３３７】
停止図柄表示フラグがセットされていない場合には、演出制御用ＣＰＵ１０１は、確定コマンド受信フラグがセットされているか否かを確認し（ステップＳ８３０２）、セットされていなければ、処理を終了する。確定コマンド受信フラグがセットされている場合には、演出制御用ＣＰＵ１０１は、確定コマンド受信フラグをリセットする（ステップＳ８３０３）。
【０３３８】
次いで、演出制御用ＣＰＵ１０１は、今回実行した変動表示がマルチモニタリーチ演出を伴うものであったか否かを確認する（ステップＳ８３０４）。なお、今回実行した変動表示がマルチモニタリーチ演出を伴うものであったか否かは、例えば、変動パターンコマンドで指定されている変動パターンがマルチＰＣ１−１〜マルチＰＣ１−６であるか否かを確認することにより判定できる。
【０３３９】
マルチモニタリーチ演出を伴う変動表示でなければ（ステップＳ８３０４のＮ）、演出制御用ＣＰＵ１０１は、演出表示装置９の表示画面において、決定されている停止図柄（はずれ図柄、大当り図柄）を確定表示させる制御を行う（ステップＳ８３０５）。マルチモニタリーチ演出を伴う変動表示であれば（ステップＳ８３０４のＹ）、演出制御用ＣＰＵ１０１は、演出表示装置９に表示されている擬似モニタ画面のうち最後に分割表示した擬似モニタ画面内で仮停止表示されている停止図柄（はずれ図柄（本例では、リーチはずれ図柄）、大当り図柄）を確定表示させる制御を行う（ステップＳ８３０６）。なお、この場合、最後に分割表示した擬似モニタ画面よりも前に分割表示した擬似モニタ画面内で仮停止表示されている停止図柄（本例では、リーチはずれ図柄）に関しては、そのまま仮停止表示されているままの状態とし確定表示させない。
【０３４０】
ステップＳ８３０５，Ｓ８３０６の処理で大当り図柄および小当り図柄のいずれも表示しなかった場合（すなわち、はずれ図柄を表示した場合）には（ステップＳ８３０７のＮ）、演出制御用ＣＰＵ１０１は、ステップＳ８３１５に移行する。
【０３４１】
ステップＳ８３０５，Ｓ８３０６の処理で大当り図柄または小当り図柄を停止表示した場合には（ステップＳ８３０７のＹ）、演出制御用ＣＰＵ１０１は、停止図柄表示フラグをセットし（ステップＳ８３０８）、大当り開始指定コマンドを受信したことを示す大当り開始指定コマンド受信フラグ、または小当り／突然確変大当り開始指定コマンドを受信したことを示す小当り／突然確変大当り開始指定コマンド受信フラグがセットされているか否か確認する（ステップＳ８３０９）。大当り開始指定コマンド受信フラグまたは小当り／突然確変大当り開始指定コマンド受信フラグがセットされている場合には、演出制御用ＣＰＵ１０１は、停止図柄表示フラグをリセットし（ステップＳ８３１０）、ファンファーレ演出に応じたプロセステーブルを選択する（ステップＳ８３１１）。なお、演出制御用ＣＰＵ１０１は、大当り開始指定コマンド受信フラグまたは小当り／突然確変大当り開始指定コマンド受信フラグがセットされていた場合には、セットされていたフラグをリセットする。
【０３４２】
そして、演出制御用ＣＰＵ１０１は、プロセスタイマ設定値をプロセスタイマに設定することによってプロセスタイマをスタートさせ（ステップＳ８３１２）、プロセスデータ１の内容（表示制御実行データ１、ランプ制御実行データ１、音番号データ１）に従って演出装置（演出用部品としての演出表示装置９、演出用部品としての各種ランプ、および演出用部品としてのスピーカ２７）の制御を実行する（ステップＳ８３１３）。その後、演出制御プロセスフラグの値を大当り表示処理（ステップＳ８０４）に応じた値に更新する（ステップＳ８３１４）。
【０３４３】
大当りおよび小当りのいずれともしないことに決定されている場合には（ステップＳ８３０７のＮ）、演出制御用ＣＰＵ１０１は、所定のフラグをリセットする（ステップＳ８３１５）。例えば、演出制御用ＣＰＵ１０１は、第１図柄変動指定コマンド受信フラグや、第２図柄変動指定コマンド受信フラグをリセットする。そして、演出制御用ＣＰＵ１０１は、演出制御プロセスフラグの値を変動パターンコマンド受信待ち処理（ステップＳ８００）に応じた値に更新する（ステップＳ８３１６）。
【０３４４】
次に、マルチモニタリーチ演出の演出態様について説明する。図３７〜図４０は、マルチモニタリーチ演出の演出態様を説明するための説明図である。なお、図３７〜図４０において、（１）（２）（３）・・・の順に表示画面の態様が遷移する。また、図３７〜図４０に示す例では、マルチＰＣ１−１〜マルチＰＣ１−６の変動パターンのうち、３つの擬似モニタ画面が分割表示されてマルチモニタリーチ演出が実行され大当りとなるマルチＰＣ１−５の変動パターンを指定する変動パターンコマンドを受信したことにもとづいて、演出図柄の変動表示中にマルチモニタリーチ演出が実行される場合を示している。なお、その他のマルチＰＣ１−１〜ＰＣ１−４，ＰＣ１−６の変動パターンを指定する変動パターンコマンドを受信した場合も、分割表示される擬似モニタ画面の数が異なったり、最後に確定表示される停止図柄の組み合わせが大当り図柄であったりはずれ図柄であったりするだけで、図３７〜図４０に示す演出態様と同様の演出態様のマルチモニタリーチ演出が実行される。
【０３４５】
マルチＰＣ１−５の変動パターンを指定する変動パターンコマンドを受信すると、図３７（１）に示すように、演出表示装置９の表示画面において、左中右の演出図柄の変動表示が開始される。次いで、ノーマルリーチの発生タイミングとなると、図４０（２）に示すように、左および右の図柄として同じ図柄（本例では、図柄「７」）を停止表示させ、リーチ状態とする。
【０３４６】
次いで、１つ目の擬似モニタ画面の分割表示タイミングとなると、図３７（３）に示すように、演出表示装置９において１つ目の擬似モニタ画面２００の分割表示が開始され、その分割表示された１つ目の擬似モニタ画面２００内においてスーパーリーチＡの動画再生が開始される（ステップＳ８１０８参照）。
【０３４７】
次いで、２つ目の擬似モニタ画面の分割表示タイミングとなると、図３７（４）に示すように、演出表示装置９において２つ目の擬似モニタ画面２０１の分割表示が開始され、その分割表示された２つ目の擬似モニタ画面２０１内においてスーパーリーチＡの動画再生が開始される（ステップＳ８１０８参照）。なお、この実施の形態では、図３７（４）に示すように、２つ目の擬似モニタ画面２０１の分割表示が開始されたことに従って、新たな２つ目の擬似モニタ画面２０１に注目させるべく、１つ目の擬似モニタ画面２００の表示サイズが縮小される。
【０３４８】
次いで、３つ目の擬似モニタ画面の分割表示タイミングとなると、図３８（５）に示すように、演出表示装置９において３つ目の擬似モニタ画面２０２の分割表示が開始され、その分割表示された３つ目の擬似モニタ画面２０２内においてスーパーリーチＢの動画再生が開始される（ステップＳ８１０８参照）。なお、この実施の形態では、図３８（５）に示すように、３つ目の擬似モニタ画面２０２の分割表示が開始されたことに従って、新たな３つ目の擬似モニタ画面２０２に注目させるべく、１つ目の擬似モニタ画面２００および２つ目の擬似モニタ画面２０１の表示サイズが縮小される。
【０３４９】
次いで、１つ目の擬似モニタ画面２００においてエフェクト表示およびチャンスアップ演出の実行タイミングとなると、図３８（６）に示すように、１つ目の擬似モニタ画面２００内において、エフェクト画像２１０が表示される（ステップＳ８１１５参照）とともに、チャンスアップ画像２１１が表示される（ステップＳ８１１２参照）。この実施の形態では、図３８（６）に示すように、エフェクト画像２１０として飛行機の幻影のような絵柄の画像が表示され、チャンスアップ画像２１１として青色、緑色または赤色の表示色で花の絵柄の画像が表示される。
【０３５０】
次いで、１つ目の擬似モニタ画面２００において演出図柄の仮停止表示タイミングとなると、図３８（７）に示すように、１つ目の擬似モニタ画面２００内において、演出図柄（本例では、リーチはずれ図柄）が仮停止表示される（ステップＳ８１３７参照）。
【０３５１】
また、２つ目の擬似モニタ画面２０１においてエフェクト表示およびチャンスアップ演出の実行タイミングとなると、図３８（７）に示すように、２つ目の擬似モニタ画面２０１内において、エフェクト画像２１２が表示される（ステップＳ８１１５参照）とともに、チャンスアップ画像２１３が表示される（ステップＳ８１１２参照）。この実施の形態では、図３８（７）に示すように、エフェクト画像２１２として飛行機の幻影のような絵柄の画像が表示され、チャンスアップ画像２１３として青色、緑色または赤色の表示色で花の絵柄の画像が表示される。
【０３５２】
次いで、２つ目の擬似モニタ画面２０１において演出図柄の仮停止表示タイミングとなると、図３８（８）に示すように、２つ目の擬似モニタ画面２０１内において、演出図柄（本例では、リーチはずれ図柄）が仮停止表示される（ステップＳ８１３７参照）。
【０３５３】
また、３つ目の擬似モニタ画面２０２においてエフェクト表示およびチャンスアップ演出の実行タイミングとなると、図３８（８）に示すように、３つ目の擬似モニタ画面２０２内において、エフェクト画像２１４が表示される（ステップＳ８１１５参照）とともに、チャンスアップ画像２１５が表示される（ステップＳ８１１２参照）。この実施の形態では、図３８（８）に示すように、エフェクト画像２１４として飛行機の幻影のような絵柄の画像が表示され、チャンスアップ画像２１５として青色、緑色または赤色の表示色で花の絵柄の画像が表示される。
【０３５４】
なお、図３８（６）〜（８）に示す例では、同じ擬似モニタ画面においてエフェクト表示とチャンスアップ演出とが同じタイミングで実行される場合を示しているが、そのような態様にかぎられない。例えば、同じ擬似モニタ画面においてチャンスアップ演出よりもエフェクト表示の方が先のタイミングで実行されるようにしてもよいし、逆にエフェクト表示よりもチャンスアップ演出の方が先のタイミングで実行されるようにしてもよい。
【０３５５】
また、図３８（７），（８）に示す例では、ある擬似モニタ画面において演出図柄を仮停止表示させるタイミングと、次に分割表示された擬似モニタ画面においてエフェクト表示やチャンスアップ演出が実行されるタイミングとが同じである場合を示したが、そのような態様にかぎられない。例えば、ある擬似モニタ画面において演出図柄を仮停止表示させた後に、次に分割表示された擬似モニタ画面においてエフェクト表示やチャンスアップ演出を実行してもよいし、ある擬似モニタ画面において演出図柄を仮停止表示させる前に、次に分割表示された擬似モニタ画面においてエフェクト表示やチャンスアップ演出を実行してもよい。
【０３５６】
次いで、３つ目の擬似モニタ画面２０２において役物演出の実行タイミングとなると、図３９（９）に示すように、飛行機の形状を模した可動部材７６が動作され、役物演出が実行される（ステップＳ８１１８参照）。
【０３５７】
なお、この実施の形態では、最後に分割表示された３つ目の擬似モニタ画面２０２より前に分割表示された１つ目および２つ目の擬似モニタ画面２００，２０１において役物演出の実行タイミングとなっても禁則処理が行われる（ステップＳ８１１７参照）ので、図３７および図３８に示すように、１つ目および２つ目の擬似モニタ画面２００，２０１に対しては役物演出は実行されない。
【０３５８】
次いで、３つ目の擬似モニタ画面２０２においてボタン演出の操作有効期間の開始タイミングとなると、図３９（１０）に示すように、３つ目の擬似モニタ画面２０２内において、操作ボタン１２０の操作を指示する操作指示表示２１６の表示が開始され、ボタン予告演出が開始される（ステップＳ８１２３参照）。なお、図３９（１０）に示す例では、操作指示表示２１６として、操作ボタン１２０を模した画像とともに「ボタンを押せ！」などの文字表示が表示される場合が示されている。
【０３５９】
なお、この実施の形態では、最後に分割表示された３つ目の擬似モニタ画面２０２より前に分割表示された１つ目および２つ目の擬似モニタ画面２００，２０１においてボタン演出の操作有効期間の開始タイミングとなっても禁則処理が行われる（ステップＳ８１２２参照）ので、図３７および図３８に示すように、１つ目および２つ目の擬似モニタ画面２００，２０１に対してはボタン演出は実行されない。
【０３６０】
次いで、ボタン演出の操作有効期間中に操作ボタン１２０による操作が検出され（ステップＳ８１２６，Ｓ８１２７参照）、その後、ボタン演出の操作有効期間の終了タイミングとなると、図３９（１１）に示すように、３つ目の擬似モニタ画面２０２内において予告表示２１７の表示が開始される（ステップＳ８１３２参照）。なお、図３９（１１）に示す例では、予告表示２１７として、「激熱！」などの文字表示が表示される場合が示されている。
【０３６１】
なお、図３９（９）〜（１１）に示す例では、役物演出を実行した後にボタン演出を実行する場合を示しているが、演出の実行順は、この実施の形態で示したものにかぎられない。例えば、ボタン演出を実行した後に役物演出を実行するように構成してもよい。
【０３６２】
また、図３８（６）〜図３９（１１）に示す例では、役物演出、ボタン演出、およびチャンスアップ演出の全ての実行が決定され実行される場合を示しているが、例えば、役物演出の実行が決定されなかった場合には、図３８（６）〜（８）に示すエフェクト表示は実行されず、図３９（９）に示す役物演出も実行されないことになる。また、ボタン演出の実行が決定されなかった場合には、図３９（１０），（１１）に示すボタン演出は実行されないことになる。また、チャンスアップ演出の実行が決定されなかった場合には、図３８（６）〜（８）に示すチャンスアップ演出は実行されないことになる。
【０３６３】
次いで、３つ目の擬似モニタ画面２０２において演出図柄の仮停止表示タイミングとなると、図３９（１２）に示すように、３つ目の擬似モニタ画面２０２内において、演出図柄（本例では、大当り図柄）が仮停止表示される（ステップＳ８１３６，Ｓ８１３７参照）。
【０３６４】
そして、その後、変動時間を終了すると、図４０（１３）に示すように、最後に分割表示された３つ目の擬似モニタ画面２０２内で仮停止表示されている停止図柄（本例では、大当り図柄）が確定表示される（ステップＳ８３０６参照）。なお、図４０（１３）に示すように、３つ目の擬似モニタ画面２０２よりも前に分割表示された１つ目および２つ目の擬似モニタ画面２００，２０１内で仮停止表示されている演出図柄（本例では、リーチはずれ図柄）に関しては、そのまま仮停止表示されているままの状態とし確定表示されない。
【０３６５】
なお、この実施の形態では、図４０（１３）に示すように、最後に分割表示された擬似モニタ画面よりも前に分割表示された擬似モニタ画面では演出図柄が仮停止表示されているままの状態となる場合を示しているが、そのような態様にかぎられない。例えば、最後に分割表示された擬似モニタ画面よりも前に分割表示された擬似モニタ画面は暗転表示（ブラックアウト）して演出図柄が視認できなくしたり、完全に暗転表示しなくても表示を暗くして視認しにくくしたりしてもよく、何らかの形式で最後に分割表示された擬似モニタ画面において確定表示されている演出図柄の組み合わせが最終的な表示結果であることを認識しやすくできるものであればよい。
【０３６６】
以上に説明したように、この実施の形態によれば、有利状態（本例では、大当り遊技状態）に制御されることを示唆する特定演出（本例では、スーパーリーチＡやスーパーリーチＢなどのリーチ演出）を実行可能であるとともに、複数の特定演出を並行して実行する特別演出（本例では、マルチモニタリーチ演出）を実行可能である。また、特定演出の実行中に、該特定演出が実行される表示手段（本例では、演出表示装置９、擬似モニタ２００〜２０２）とは異なる演出手段（本例では、可動部材７６、操作ボタン１２０）を用いた特殊演出（本例では、役物演出、ボタン演出）を実行可能である。そして、特別演出において、複数の特定演出のうちのいずれか一の特定演出を対象として特殊演出を実行可能であり（本例では、最後に分割表示された擬似モニタ画面において役物演出の実行タイミングとなったときに役物演出を実行したり、ボタン演出の操作有効期間の開始タイミングとなったときに、操作指示表示２１６の表示を開始してボタン演出を開始したりする）、該一の特定演出以外の特定演出に対しては特殊演出を実行しない（本例では、最後に分割表示された擬似モニタ画面よりも前に分割表示された擬似モニタ画面において役物演出の実行タイミングとなったときやボタン演出の操作有効期間の開始タイミングとなったときには、禁則処理により役物演出を実行せず、禁則処理により操作指示表示２１６を表示せずボタン演出を実行しない）。そのため、複数の特定演出を並行して実行可能に構成した場合に適切な演出制御を実現でき、遊技に対する興趣を向上させることができる。
【０３６７】
具体的には、複数のリーチ演出を並行して実行するマルチモニタリーチ演出を実行可能に構成した場合、それぞれのリーチ演出に対応して特殊演出（役物演出やボタン演出）を実行すると、特殊演出がどのリーチ演出に対応しているのかが不明確となって演出が複雑化し、却って遊技に対する興趣が低下する可能性がある。そこで、この実施の形態では、特別演出（マルチモニタリーチ演出）の実行中においては、複数の特定演出（リーチ演出）のうちのいずれか１つの特定演出（リーチ演出）を対象として特殊演出を実行し、他の特定演出に対しては特殊演出を実行しないように制御することによって、演出の複雑化を抑制しつつ、遊技に対する興趣を向上できるようにしている。
【０３６８】
また、この実施の形態によれば、特定演出の実行中に、可動体（本例では、可動部材７６）を動作させる可動体演出（本例では、役物演出）を実行可能である。また、特別演出において、複数の特定演出のうちのいずれか一の特定演出を対象として可動体演出を実行可能であり（本例では、最後に分割表示された擬似モニタ画面において役物演出の実行タイミングとなったときに役物演出を実行する）、該一の特定演出以外の特定演出に対しては可動体演出を実行しない（本例では、最後に分割表示された擬似モニタ画面よりも前に分割表示された擬似モニタ画面において役物演出の実行タイミングとなったときには、禁則処理により役物演出を実行しない）。そのため、複数の特定演出を並行して実行可能に構成した場合に可動体演出の適切な演出制御を実現でき、遊技に対する興趣を向上させることができる。
【０３６９】
また、この実施の形態によれば、特定演出の実行中に、操作手段（本例では、操作ボタン１２０）による操作を伴う操作演出（本例では、ボタン演出）を実行可能である。また、特別演出において、複数の特定演出のうちのいずれか一の特定演出を対象として操作演出を実行可能であり（本例では、最後に分割表示された擬似モニタ画面においてボタン演出の操作有効期間の開始タイミングとなったときに、操作指示表示２１６の表示を開始してボタン演出を開始する）、該一の特定演出以外の特定演出に対しては操作演出を実行しない（本例では、最後に分割表示された擬似モニタ画面よりも前に分割表示された擬似モニタ画面においてボタン演出の操作有効期間の開始タイミングとなったときには、禁則処理により操作指示表示２１６を表示せずボタン演出を実行しない）。そのため、複数の特定演出を並行して実行可能に構成した場合に操作演出の適切な演出制御を実現でき、遊技に対する興趣を向上させることができる。
【０３７０】
なお、この実施の形態では、特殊演出が可動体演出（本例では、役物演出）や操作演出（本例では、ボタン演出）である場合を示したが、そのような態様にかぎられない。例えば、特殊演出として、スピーカ２７から特定の効果音を出力する演出を実行するように構成してもよい。この場合、例えば、マルチモニタリーチ演出が開始されると、マルチモニタリーチ演出専用のＢＧＭなどの音出力に切り替えるように構成し、この実施の形態で示した役物演出やボタン演出と同様に、最後に分割表示される擬似モニタ画面に対してのみ特殊演出としての特定の効果音を出力し、それより前に分割表示される擬似モニタ画面に対しては専用のＢＧＭなどの音出力のみで、特殊演出としての特定の効果音は出力しないように構成してもよい。そのように構成すれば、マルチモニタリーチ演出を実行する場合に出力する音が混在して却って演出音がわからなくなる事態を防止し、適切な演出制御を実現することができる。
【０３７１】
また、例えば、特殊演出として、導光板を備える遊技機において導光板を表示させる導光板演出を実行し、最後に分割表示される擬似モニタ画面に対してのみ導光板演出を実行するように構成してもよく、様々な演出態様が考えられる。
【０３７２】
また、この実施の形態では、一の特定演出以外の特定演出に対しては特殊演出（可動体演出（本例では、役物演出）や操作演出（本例では、ボタン演出））を全く実行しないように構成する場合を示しているが、そのような態様にかぎられない。例えば、特殊演出として可動体演出（本例では、役物演出）を実行する場合に、可動部材７６の動作範囲を小さくすることにより特殊演出を制限してもよいし、特殊演出として導光板演出を実行する場合に、導光板の輝度を低下させることにより特殊演出を制限してもよい。また、例えば、特殊としてスピーカ２７から特定の効果音を出力する演出を実行する場合に、スピーカ２７からの音量を小さくして特殊演出を制限してもよい。さらに、特殊演出を全く実行しないようにするのではなく、特殊演出の実行割合を低下させることにより特殊演出を制限してもよい。そのように、特殊演出を全く実行しないものにかぎらず、何らかの形式で特殊演出が制限されているものであればよい。
【０３７３】
また、この実施の形態では、最後の擬似モニタ画面が分割表示された後に役物演出やボタン演出を実行することにより、最後に分割表示された擬似モニタ画面において実行されるリーチ演出に対して役物演出やボタン演出が実行されていることを認識可能に構成する場合を示しているが、そのような態様にかぎられない。例えば、最後に分割表示される擬似モニタ画面よりも前に分割表示される擬似モニタ画面において実行されるリーチ演出に対して役物演出やボタン演出が実行されるように構成してもよい。この場合、例えば、最終的に４つの擬似モニタ画面が分割表示される場合であっても、３つ目の擬似モニタ画面が分割表示された後、４つ目の擬似モニタ画面が分割表示される前に役物演出やボタン演出を実行することによって、３つ目の擬似モニタ画面において実行されるリーチ演出に対して役物演出やボタン演出が実行されていることを認識可能とするものであってもよい。
【０３７４】
また、この実施の形態では、複数分割表示される擬似モニタ画面のうちの１つの擬似モニタ画面（本例では、最後に分割表示される擬似モニタ画面）でのみ役物演出やボタン演出を実行する場合を示しているが、そのような態様にかぎられない。例えば、３つの擬似モニタ画面が分割表示されるマルチモニタリーチ演出が実行される場合（マルチＰＣ１−２，ＰＣ１−５の変動パターンの場合）、そのうちの２つの擬似モニタ画面を対象として役物演出やボタン演出を実行したり、４つの擬似モニタ画面が分割表示されるマルチモニタリーチ演出が実行される場合（マルチＰＣ１−３，ＰＣ１−６の変動パターンの場合）、そのうちの２つまたは３つの擬似モニタ画面を対象として役物演出やボタン演出を実行したりしてもよく、少なくとも１つの擬似モニタ画面で役物演出やボタン演出を実行しないように禁則をかけるものであればよい。
【０３７５】
また、この実施の形態では、１つの演出表示装置９において複数の擬似モニタ画面を分割表示し、それぞれの擬似モニタ画面においてリーチ演出を実行する場合を示したが、そのような態様にかぎられない。例えば、メイン液晶表示装置とサブ液晶表示装置など複数の表示装置を備え、それぞれの表示装置においてリーチ演出を並行して実行することによりマルチモニタリーチ演出を実行可能に構成した遊技機に、この実施の形態で示した構成を適用してもよい。
【０３７６】
例えば、メイン液晶表示装置とサブ液晶表示装置とを備え、そのメイン液晶表示装置とサブ液晶表示装置とでリーチ演出を並行して実行可能に構成し、メイン液晶表示装置にのみシャッタ形状などの可動部材を備える場合に、そのシャッタ形状の可動部材を動作させる役物演出を実行することにより、メイン液晶表示装置において実行されているリーチ演出に対して役物演出が実行されたことを認識可能に構成してもよい。また、例えば、メイン液晶表示装置に加えて、複数のサブ液晶表示装置があり、それぞれの表示装置においてリーチ演出を並行して実行可能に構成してもよい。この場合、例えば、可動部材を複数備え、それぞれの可動部材に対応する表示装置が区別可能に構成されていることによって、いずれのリーチ演出に対して役物演出が実行されたかを認識可能に構成されていてもよい。
【０３７７】
また、この実施の形態では、操作手段が操作ボタン１２０である場合を示したが、そのような態様にかぎられない。例えば、操作手段として、傾倒操作が可能なスティックコントローラや、回転操作が可能なジョグダイヤル、十字キー、タッチパネルなどを備え、それらの操作を伴う操作演出を実行可能に構成してもよい。また、遊技者の動作を検出可能な光センサや赤外線センサを備えるように構成し、操作演出に代えて、遊技者の動作を伴う動作演出を実行可能に構成してもよい。
【０３７８】
また、この実施の形態では、擬似モニタ画面が最大で４つまで分割表示されてマルチモニタリーチ演出が実行される場合を示したが、そのような態様にかぎらず、例えば、擬似モニタ画面が最大で３つまで分割表示されるように構成してもよいし、擬似モニタ画面が最大で５以上分割表示されるように構成してもよい。
【０３７９】
また、この実施の形態によれば、特殊演出として、可動体（本例では、可動部材７６）を動作させる可動体演出（本例では、役物演出）を実行可能であり、特定演出の実行中に、可動体演出の実行を示唆する示唆演出（本例では、エフェクト表示）を実行可能である。また、特別演出において、複数の特定演出のうちのいずれか一の特定演出を対象として示唆演出を実行可能であるとともに（本例では、最後に分割表示された擬似モニタ画面においてエフェクト表示の実行タイミングとなったときにエフェクト画像を表示する）、該一の特定演出以外の特定演出に対しても示唆演出を実行可能である（本例では、最後に分割表示された擬似モニタ画面よりも前に分割表示された擬似モニタ画面においてエフェクト表示の実行タイミングとなったときにもエフェクト画像を表示する）。そのため、特殊演出の対象であるか否かにかかわらず示唆演出を実行可能であり、特殊演出の対象であるか否かにかかわらず共通の演出データを使用することができる。
【０３８０】
なお、この実施の形態では、エフェクト表示に関しては禁則処理を実行せず、最後に分割表示された擬似モニタ画面よりも前に分割表示された擬似モニタ画面でエフェクト画像を表示可能に構成する場合を示しているが、そのような態様にかぎられない。例えば、エフェクト表示に関しても禁則処理を実行して、最後に分割表示された擬似モニタ画面よりも前に分割表示された擬似モニタ画面においてエフェクト画像を表示しないように構成してもよい。
【０３８１】
また、この実施の形態では、役物演出を実行する場合に全ての擬似モニタ画面でエフェクト表示を実行する場合を示しているが、全ての擬似モニタ画面で実行する必要はなく、一部の擬似モニタ画面でエフェクト表示を実行しないように構成してもよい。
【０３８２】
また、この実施の形態では、エフェクト画像として飛行機の幻影のような絵柄の画像を表示することにより役物演出の実行を示唆する場合を示したが、そのような態様にかぎられない。例えば、エフェクト画像として操作ボタン１２０の幻影のような絵柄の画像を表示することにより、ボタン演出の実行を示唆するように構成してもよい。
【０３８３】
また、この実施の形態によれば、特別演出において、複数の特定演出を互いに異なる表示領域において並行して実行可能である（本例では、図３７〜図３８に示すように、複数の擬似モニタ画面２００〜２０２においてそれぞれスーパーリーチを実行可能である）。そのため、特別演出に対する興趣を向上させることができる。
【０３８４】
なお、この実施の形態では、図３７〜図４０に示すように、擬似モニタ画面２００〜２０２の一部が互いに重複するように表示する場合を示しているが、そのような態様にかぎらず、各擬似モニタ画面が全く重複しないように表示するものであってもよい。そのように、「互いに異なる表示領域」とは、リーチ演出を実行する各擬似モニタ画面の一部が重複するものであってもよいし、全く重複しないものであってもよく、擬似モニタ画面間で少なくとも重複しない領域が存在するように構成されていればよい。
【０３８５】
また、この実施の形態によれば、表示領域を順次分割表示し、少なくとも、分割表示した第１表示領域において特定演出を実行可能であるとともに、第１表示領域の後に分割表示した第２表示領域において特定演出を実行可能である（本例では、図３７（３）〜図３８（５）に示すように、例えば、擬似モニタ画面２００〜２０２を順次分割表示し、１つ目に分割表示した擬似モニタ画面２００においてスーパーリーチＡを実行し、２つ目の分割表示した擬似モニタ画面２０１においてスーパーリーチＡを実行し、３つ目の分割表示した擬似モニタ画面２０２においてスーパーリーチＢを実行する）。また、第２表示領域において、第１表示領域に表示した表示結果よりも有利な表示結果を高い割合により表示する（本例では、図４０（１３）に示すように、例えば、１つ目および２つ目に分割表示した擬似モニタ画面２００，２０１ではリーチはずれ図柄を仮停止表示したままの状態とし、３つ目に分割表示した擬似モニタ画面２０２において大当り図柄を確定表示する）。そのため、特別演出において遊技者に注目させる表示領域を明確にすることができ、遊技に対する興趣を向上させることができる。
【０３８６】
なお、この実施の形態では、「有利な表示結果」として、先に分割表示した擬似モニタ画面ではリーチはずれ図柄を仮停止表示し、後に分割表示した擬似モニタ画面では大当り図柄を仮停止表示および確定表示する場合を示したが、そのような態様にかぎられない。例えば、先に分割表示した擬似モニタ画面では非確変図柄の組み合わせを仮停止表示し、後に分割表示した擬似モニタ画面では確変図柄の組み合わせを仮停止表示および確定表示することにより、有利な表示結果を表示するものであってもよい。また、例えば、先に分割表示した擬似モニタ画面では突然確変大当り図柄など賞球を期待できない図柄の組み合わせを仮停止表示し、後に分割表示した擬似モニタ画面では１５ラウンドの大当り（通常大当りや確変大当り）の賞球を期待できる図柄の組み合わせを仮停止表示および確定表示することにより、有利な表示結果を表示するものであってもよい。また、例えば、先に分割表示した擬似モニタ画面ではラウンド数の少ない大当り（例えば、５ラウンド大当りや７ラウンド大当り）の図柄の組み合わせを仮停止表示し、後に分割表示した擬似モニタ画面ではラウンド数の多い大当り（例えば、１５ラウンド大当り）の図柄の組み合わせを仮停止表示および確定表示することにより、有利な表示結果を表示するものであってもよい。そのように何らかの形式で、後に分割表示した擬似モニタ画面の方が有利な表示結果を表示するものであればよい。
【０３８７】
また、この実施の形態では、大当りとなる場合に、必ず先に分割表示した擬似モニタ画面ではリーチはずれ図柄を仮停止表示し、後に分割表示した擬似モニタ画面では大当り図柄を仮停止表示および確定表示する場合を示したが、そのような態様にかぎられない。例えば、大当りとなる場合であっても、先に分割表示した擬似モニタ画面でも大当り図柄を仮停止表示する場合と、先に分割表示した擬似モニタ画面ではリーチはずれ図柄を仮停止表示する場合との両方が存在するように構成してもよい。そのように何らかの形式で、先に分割表示した擬似モニタ画面よりも後に分割表示した擬似モニタ画面の方が高い割合で有利な表示結果を表示するものであればよい。
【０３８８】
また、この実施の形態によれば、特別演出における複数の特定演出のうちのいずれか一の特定演出に対応して所定演出（本例では、チャンスアップ演出）を実行するか否かを決定し（本例では、最後に分割表示される擬似モニタ画面に対してチャンスアップ演出の有無および種類を決定する）、その決定結果にもとづいて、一の特定演出に対応して所定演出を実行可能である（本例では、最後に分割表示される擬似モニタ画面に対してチャンスアップ演出を実行する）。また、その決定結果にもとづいて、一の特定演出以外の特定演出に対応しても所定演出を実行可能である（本例では、最後に分割表示される擬似モニタ画面よりも前に分割表示される擬似モニタ画面に対してもチャンスアップ演出を実行する）。そのため、所定演出の決定処理の簡略化を図りつつ、一の特定演出に対する決定結果を他の特定演出に対しても反映させて、特別演出における見た目の期待感の統一を図ることができ、遊技に対する興趣を向上させることができる。
【０３８９】
なお、この実施の形態では、チャンスアップ演出として、青色や緑色、赤色の表示色で花の絵柄のチャンスアップ画像を表示する場合を示しているが、そのような態様にかぎられない。例えば、チャンスアップ演出として、青色や緑色、赤色などの表示色でキャラクタのセリフ表示やテロップ表示などを行ってもよく、様々な態様が考えられる。
【０３９０】
また、この実施の形態によれば、擬似モニタ画面が順に増加している態様でマルチモニタリーチ演出を実行するので、擬似モニタがいくつまで増加するかに対して期待感を抱かせることができ、遊技者の期待感を煽ることができる。また、この実施の形態によれば、分割表示される全ての擬似モニタ画面においてエフェクト表示やチャンスアップ演出など何らかの動きがあるので、演出に見応えがあり、演出効果を高めることができる。また、この実施の形態によれば、手前に最も大きく表示される擬似モニタ画面において実行される演出が最も期待度の高い演出になるので、遊技者を演出に対して適切に注目させることができる。また、この実施の形態によれば、手前に分割表示する擬似モニタ画面程大きいサイズで表示するので、単に擬似モニタ画面を複数分割表示するよりも、各擬似モニタ画面の大きさにメリハリをつけることができ、各擬似モニタ画面で実行される演出にメリハリをつけることができる。
【０３９１】
実施の形態２．
第１の実施の形態において、さらに特定演出（リーチ演出）の実行前に導入演出を実行可能に構成してもよい。以下、特定演出（リーチ演出）の実行前に導入演出を実行可能に構成した第２の実施の形態について説明する。
【０３９２】
なお、この実施の形態において、第１の実施の形態と同様の構成および処理をなす部分についてはその詳細な説明を省略し、主として第１の実施の形態と異なる部分について説明する。
【０３９３】
まず、この実施の形態のマルチモニタリーチについて説明する。ここでは、４つの擬似モニタを表示するマルチモニタリーチを一例に説明する。図４１は、第２の実施の形態における４つの擬似モニタを表示するマルチモニタリーチを実行する変動パターン（マルチＰＣ１−６の変動パターンに相当）の可変表示の内容を示すタイミングチャートである。
【０３９４】
図４１に示すように、変動（可変表示）が開始すると基本モニタ（演出表示装置９の飾り図柄表示エリア（左中右の図柄表示エリアに相当）において飾り図柄（演出図柄に相当）の変動が実行される。そして、「左」及び「右」の飾り図柄表示エリアに同じ数字の図柄が停止しリーチが成立する。そして、「中」の飾り図柄表示エリアにおいて、飾り図柄がスクロールするノーマルリーチのリーチ演出が実行される。
【０３９５】
その後、ノーマルリーチが発展することを示す導入演出が実行される。このとき、演出表示装置９において、画面が分割して飾り図柄の変動を実行する表示領域が増加する増加演出が実行され、２分割目の擬似モニタが生成される。元々ノーマルリーチが実行されていた基本モニタでは、導入演出が実行されたことに対応してロングリーチに発展する。増加した２分割目の擬似モニタでは、例えば基本モニタと同じ数字の図柄が揃ったノーマルリーチのリーチ演出が実行される。
【０３９６】
２分割目の擬似モニタでは、その後、ノーマルリーチが発展することを示す導入演出が実行されるとともに、画面が分割して飾り図柄の変動を実行する表示領域が増加する増加演出が実行され、３分割目の擬似モニタが生成される。２分割目の擬似モニタでは、導入演出が実行されたことに対応してスーパーリーチＡに発展する。増加した３分割目の擬似モニタでは、例えば基本モニタと同じ数字の図柄が揃ったノーマルリーチのリーチ演出が実行される。
【０３９７】
３分割目の擬似モニタでは、その後、ノーマルリーチが発展することを示す導入演出が実行されるとともに、画面が分割して飾り図柄の変動を実行する表示領域が増加する増加演出が実行され、４分割目の擬似モニタが生成される。３分割目の擬似モニタでは、導入演出が実行されたことに対応してスーパーリーチＡに発展する。増加した４分割目の擬似モニタでは、例えば基本モニタと同じ数字の図柄が揃ったノーマルリーチのリーチ演出が実行される。
【０３９８】
４分割目の擬似モニタを除くモニタでは、導入演出が実行されてリーチが発展した後、所定期間経過後に順次ハズレの組合せとなる飾り図柄が導出表示される。可変表示結果がハズレとなったモニタは、例えば図４１に示すように、ブラックアウトさせる等によって当該モニタにおける飾り図柄等の表示態様を視認しづらい状態に変化させる。このようにすることで、未だ変動が実行されているモニタに注目しやすくなる。ハズレとなったモニタにおける飾り図柄等の表示態様を視認しづらい状態に変化させる方法は任意であり、モニタのサイズを縮小したり、遮蔽物により覆うようにしてもよい。
【０３９９】
４分割目の擬似モニタでは、その後、ノーマルリーチが発展することを示す導入演出が実行され、スーパーリーチＢに発展する。４分割目の擬似モニタでは、その後、所定期間経過後に大当りの組合せとなる飾り図柄が導出表示される。
【０４００】
このように、この実施の形態のマルチモニタリーチでは、増加した少なくとも一の擬似モニタでは、他のモニタと異なるリーチ演出を実行可能になっているとともに、各モニタでは、リーチ演出が同時進行で実行され、増加演出により増加した順番に表示結果が順次導出表示される。これにより、順次リーチ演出が実行される場合と比べて演出の間延びを抑えることができる。また、いずれのモニタにおいて大当りとなるかに注目させることができる。また、各モニタではそれぞれのタイミングで表示結果が導出表示されるので、遊技者が退屈することがない。
【０４０１】
図４２は、第２の実施の形態における導入演出の演出表示装置９における演出動作例を示す図である。図４２（Ａ）は、可変表示結果が導出表示されている状態を示している。その後、始動入賞が発生したことや既に記憶されていた保留データに基づいて、図４２（Ｂ）に示すように、飾り図柄表示エリアにおいて飾り図柄の可変表示が開始される。ここでは、スーパーリーチＡを実行する変動パターンに決定されたものとする。この場合、図４２（Ｃ）に示すように、「左」及び「右」の飾り図柄表示エリアに同じ数字（ここでは「６」）の図柄が停止しリーチが成立し、「中」の飾り図柄表示エリアにおいて、飾り図柄がスクロールするノーマルリーチのリーチ演出が実行される。
【０４０２】
その後、図４２（Ｄ）に示すように、演出表示装置９が光って一時的に飾り図柄を視認できない状態になる導入演出が実行される。その後、図４２（Ｅ）に示すように、スーパーリーチＡに発展する。
【０４０３】
図４３は、第２の実施の形態における４つの擬似モニタを表示するマルチモニタリーチを実行する変動パターン（マルチＰＣ１−６の変動パターンに相当）の可変表示が実行される場合の演出表示装置９における演出動作例を示す図である。この場合、最初の基本モニタにおいて導入演出が実行される場合は、図４２（Ａ）〜（Ｄ）に示すような演出動作となる。
【０４０４】
マルチモニタリーチが実行される場合には、図４２（Ｄ）に示すように、導入演出が実行されると、図４３（Ａ）に示すように、画面が上下に分割して飾り図柄の変動を実行する表示領域が増加する増加演出が実行され、２分割目の擬似モニタ５−２が生成される。基本モニタ５−１では、導入演出が実行されたことに対応してロングリーチに発展する。
【０４０５】
２分割目の擬似モニタ５−２では、基本モニタと同じ数字の図柄が揃ったノーマルリーチのリーチ演出が実行され、その後、図４３（Ｂ）に示すように、導入演出が実行される。そして、図４３（Ｃ）に示すように、画面が分割して増加する増加演出が実行され、３分割目５−３の擬似モニタが生成される。２分割目の擬似モニタ５−２では、スーパーリーチＡに発展する。３分割目の擬似モニタ５−３では、例えば基本モニタと同じ数字の図柄が揃ったノーマルリーチのリーチ演出が実行される。基本モニタ５−１では、ハズレの組合せとなる飾り図柄が導出表示される。
【０４０６】
続いて、図４３（Ｄ）に示すように、３分割目の擬似モニタ５−３では、導入演出が実行される。そして、図４３（Ｅ）に示すように、画面が分割して増加する増加演出が実行され、４分割目５−４の擬似モニタが生成される。３分割目の擬似モニタ５−３では、スーパーリーチＡに発展する。４分割目の擬似モニタ５−４では、例えば基本モニタと同じ数字の図柄が揃ったノーマルリーチのリーチ演出が実行される。２分割目の擬似モニタ５−２では、ハズレの組合せとなる飾り図柄が導出表示される。
【０４０７】
続いて、図４３（Ｆ）に示すように、４分割目の擬似モニタ５−４において、導入演出が実行され、図４３（Ｇ）に示すように、スーパーリーチＢに発展する。
【０４０８】
その後、図４３（Ｈ）に示すように、３分割目の擬似モニタ５−３において、ハズレの組合せとなる飾り図柄が導出表示され、図４３（Ｉ）に示すように、４分割目の擬似モニタ５−４において、大当り組合せとなる飾り図柄が導出表示され、図４３（Ｊ）に示すように、通常サイズの演出表示装置９が表示され（大当りとなったモニタが通常サイズで表示され）、大当りとなることが報知される。
【０４０９】
図４３（Ｄ）〜（Ｉ）に示すように４分割目の擬似モニタを除くモニタ５−１〜５−３では、ハズレの組合せとなる飾り図柄が導出表示された後、ブラックアウトさせる。このようにすることで、未だ変動が実行されているモニタに注目しやすくなる。なお、表示結果が導出表示されたモニタのサイズを小さくして、変動中のモニタのサイズを大きくするように制御してもよい。また、導出表示された飾り図柄をモニタから消去することで、該モニタの変動が終了したことを遊技者に知らせることができる。
【０４１０】
このように、この実施の形態では、導入演出が実行されるタイミングにおいて、擬似モニタを増加させる増加演出を実行可能であるとともに、増加した複数のモニタにおいてリーチ演出を実行可能である。これにより、導入演出によりリーチが発展することに注目しているときに、増加演出が実行されることがあるので、演出に意外性を持たせることができ、遊技の興趣が向上する。また、複数のモニタにおいてリーチ演出が実行されることで、大当りとなる可能性も増加するような演出が可能となる。また、遊技者が増加演出の実行タイミングを把握しやすくなり、導入演出によりリーチが発展するか増加演出が実行されるかを楽しめるようになる。
【０４１１】
なお、導入演出が実行されるタイミングにおいて、擬似モニタを増加させる増加演出を実行可能であるが、導入演出が実行されるタイミングは、完全一致である必要はなく、導入演出に対応したタイミングで増加演出が実行されればよい。例えば、導入演出の開始タイミング、導入演出の実行中、導入演出の終了時等に増加演出を実行するようにしてもよい。なお、増加演出の実行タイミング複数種類のいずれかに決定するようにしてもよい。また、増加演出の実行タイミングにあわせて専用ＢＧＭを出力してもよい。このようにすることで、増加演出によりモニタが増加したときに、各モニタでＢＧＭを出力する必要がなく、遊技者を混乱させない。
【０４１２】
この実施の形態では、演出表示装置９の表示領域を分割していくことで、擬似モニタを増加させる増加演出が実行されていたが、演出表示装置９に演出表示装置９よりも小さいサイズの基本モニタ５−１を表示した後に、演出表示装置９に順次擬似モニタを表示することで擬似モニタを増加させる増加演出を実行するようにしてもよい。
【０４１３】
図４４は、第２の実施の形態における順次擬似モニタを表示する場合の変形例のマルチモニタリーチの演出動作を示す図である。この変形例では、４つの擬似モニタを表示するマルチモニタリーチを実行する変動パターン（マルチＰＣ１−６の変動パターンに相当）のマルチモニタリーチが実行される場合には、図４２（Ｄ）に示すように、導入演出が実行されると、図４４（Ａ）に示すように、演出表示装置９に基本モニタ５−１が表示され、ロングリーチに発展する。そして、図４４（Ｂ）に示すように、新たに２分割目の擬似モニタ５−２が表示される増加演出が実行される。このとき、導入演出が実行された基本モニタ５−１から２分割目の擬似モニタ５−２から分かれて分割、派生するように表示されてもよい。このようにすることで、導入演出を契機に導入演出が実行されたモニタから新たに擬似モニタが分割して増加するような増加演出を実行することができる。
【０４１４】
その後は、図４３に示した例と同様に、各モニタにおいて導入演出、リーチ演出が実行される。なお、図４３（Ａ）〜（Ｊ）の演出内容が、図４４（Ｂ）〜（Ｉ）の演出内容に対応しているため、説明は省略する。
【０４１５】
図４４に示す例では、新たに表示された擬似モニタは、分割、派生元のモニタよりも大きく表示するとともに、分割、派生元のモニタを縮小し、重ねて表示することで、分割、派生元のモニタより遊技者から見て手前側に表示されるようになっている。このようにすることで、新たに増加したモニタに遊技者が注目しやすくなるとともに、奥行きのある見せ方でマルチモニタリーチの演出効果を高めることができる。なお、この場合であっても、遊技者から見て奥のモニタの表示結果を視認できるようにすることが好ましい。ハズレの表示結果となったモニタについては視認できないようにしてもよい。
【０４１６】
また、図４４に示す例では、各モニタ５−１〜５−４を表示する演出表示装置９における背景ＢＧの表示色がモニタが増加する毎に変化するようになっている。このようにすることで、モニタの数に連動した演出を実行でき、増加演出やマルチモニタリーチの演出効果が高まる。なお、背景ＢＧの表示色を変化されるのではなく、背景ＢＧに表示される画像の表示態様を異ならせるようにしてもよい。また、モニタが増加する毎に背景ＢＧの表示態様を変化させることに加えて、各モニタの枠の部分の表示態様を変化させるようにしてもよい。例えば、各モニタの枠の部分の表示色を背景ＢＧと同様の色に変化させてもよい。
【０４１７】
なお、この実施の形態では、具体的には、演出制御用マイクロコンピュータ１００は、導入演出や増加演出に応じたプロセステーブルを用いて演出図柄変動中処理（ステップＳ８０２）を実行することによって、演出図柄の変動表示中にマルチモニタリーチ演出を実行する際に導入演出や増加演出を実行する。
【０４１８】
以上に説明したように、この実施の形態によれば、特定演出の実行前に導入演出（本例では、図４２（Ｄ）や、図４３（Ｂ）、図４３（Ｄ）、図４３（Ｆ）に示す導入演出）を実行可能であり、導入演出が実行される度に、表示領域を増加させる増加演出（本例では、図４３（Ａ）や、図４３（Ｃ）、図４３（Ｅ）に示す増加演出）を実行可能である。また、増加演出により増加した複数の表示領域において特定演出を実行可能である（本例では、図４３（Ａ）や、図４３（Ｃ）、図４３（Ｅ）に示すように、増加した擬似モニタでロングリーチやスーパーリーチＡなどのリーチ演出が実行される）。そのため、特定演出が実行されることに注目しているときに、増加演出が実行されることがあるので、興趣が向上する。
【０４１９】
なお、上記に示した第１の実施の形態〜第２の実施の形態で示した構成を適宜組み合わせて遊技機を構成することも可能である。
【０４２０】
また、上記の各実施の形態では、演出装置を制御する回路が搭載された基板として、演出制御基板８０、音声出力基板７０およびランプドライバ基板３５が設けられているが、演出装置を制御する回路を１つの基板に搭載してもよい。さらに、演出表示装置９等を制御する回路が搭載された第１の演出制御基板（表示制御基板）と、その他の演出装置（ランプ、ＬＥＤ、スピーカ２７など）を制御する回路が搭載された第２の演出制御基板との２つの基板を設けるようにしてもよい。
【０４２１】
また、上記の各実施の形態では、遊技制御用マイクロコンピュータ５６０は、演出制御用マイクロコンピュータ１００に対して直接コマンドを送信していたが、遊技制御用マイクロコンピュータ５６０が他の基板（例えば、図２に示す音声出力基板７０やランプドライバ基板３５など、または音声出力基板７０に搭載されている回路による機能とランプドライバ基板３５に搭載されている回路による機能とを備えた音／ランプ基板）に演出制御コマンドを送信し、他の基板を経由して演出制御基板８０における演出制御用マイクロコンピュータ１００に送信されるようにしてもよい。その場合、他の基板においてコマンドが単に通過するようにしてもよいし、音声出力基板７０、ランプドライバ基板３５、音／ランプ基板にマイクロコンピュータ等の制御手段を搭載し、制御手段がコマンドを受信したことに応じて音声制御やランプ制御に関わる制御を実行し、さらに、受信したコマンドを、そのまま、または例えば簡略化したコマンドに変更して、演出表示装置９を制御する演出制御用マイクロコンピュータ１００に送信するようにしてもよい。その場合でも、演出制御用マイクロコンピュータ１００は、上記の各実施の形態における遊技制御用マイクロコンピュータ５６０から直接受信した演出制御コマンドに応じて表示制御を行うのと同様に、音声出力基板７０、ランプドライバ基板３５または音／ランプ基板から受信したコマンドに応じて表示制御を行うことができる。
【０４２２】
また、上記の各実施の形態において、「割合が異なる」とは、Ａ：Ｂ＝７０％：３０％やＡ：Ｂ＝３０％：７０％のような関係で割合が異なるものだけにかぎらず、Ａ：Ｂ＝１００％：０％のような関係で割合が異なるもの（すなわち、一方が１００％の割り振りで他方が０％の割り振りとなるようなもの）も含む概念である。
【０４２３】
また、上記の各実施の形態では、遊技機としてパチンコ機を例にしたが、本発明を、メダルが投入されて所定の賭け数が設定され、遊技者による操作レバーの操作に応じて複数種類の図柄を回転させ、遊技者によるストップボタンの操作に応じて図柄を停止させたときに停止図柄の組合せが特定の図柄の組み合わせになると、所定数のメダルが遊技者に払い出されるスロット機に適用することも可能である。
【０４２４】
また、本発明による遊技機は、所定数の景品としての遊技媒体を払い出す遊技機に限定されず、遊技球等の遊技媒体を封入し景品の付与条件が成立した場合に得点を付与する封入式の遊技機に適用することもできる。
【産業上の利用可能性】
【０４２５】
本発明は、可変表示を行うことが可能な遊技機に好適に適用される。
【符号の説明】
【０４２６】
１              パチンコ遊技機
８ａ            第１特別図柄表示器
８ｂ            第２特別図柄表示器
９              演出表示装置
９ａ            第１保留記憶表示部
９ｂ            第２保留記憶表示部
１３            第１始動入賞口
１４            第２始動入賞口
２０            特別可変入賞球装置
３１            遊技制御基板（主基板）
５６            ＣＰＵ
５６０          遊技制御用マイクロコンピュータ
７６            可動部材
８０            演出制御基板
８５            モータ
１００          演出制御用マイクロコンピュータ
１０１          演出制御用ＣＰＵ
１０９          ＶＤＰ
１２０          操作ボタン
【図１】
2018196541.tif 000003
【図２】
2018196541.tif 000004
【図３】
2018196541.tif 000005
【図４】
2018196541.tif 000006
【図５】
2018196541.tif 000007
【図６】
2018196541.tif 000008
【図７】
2018196541.tif 000009
【図８】
2018196541.tif 000010
【図９】
2018196541.tif 000011
【図１０】
2018196541.tif 000012
【図１１】
2018196541.tif 000013
【図１２】
2018196541.tif 000014
【図１３】
2018196541.tif 000015
【図１４】
2018196541.tif 000016
【図１５】
2018196541.tif 000017
【図１６】
2018196541.tif 000018
【図１７】
2018196541.tif 000019
【図１８】
2018196541.tif 000020
【図１９】
2018196541.tif 000021
【図２０】
2018196541.tif 000022
【図２１】
2018196541.tif 000023
【図２２】
2018196541.tif 000024
【図２３】
2018196541.tif 000025
【図２４】
2018196541.tif 000026
【図２５】
2018196541.tif 000027
【図２６】
2018196541.tif 000028
【図２７】
2018196541.tif 000029
【図２８】
2018196541.tif 000030
【図２９】
2018196541.tif 000031
【図３０】
2018196541.tif 000032
【図３１】
2018196541.tif 000033
【図３２】
2018196541.tif 000034
【図３３】
2018196541.tif 000035
【図３４】
2018196541.tif 000036
【図３５】
2018196541.tif 000037
【図３６】
2018196541.tif 000038
【図３７】
2018196541.tif 000039
【図３８】
2018196541.tif 000040
【図３９】
2018196541.tif 000041
【図４０】
2018196541.tif 000042
【図４１】
2018196541.tif 000043
【図４２】
2018196541.tif 000044
【図４３】
2018196541.tif 000045
【図４４】
2018196541.tif 000046